(57)【要約】【課題】通常の白熱電球用ソケット(受金)に着脱できる高輝度の電球形ＬＥＤランプの提供。【解決手段】ＬＥＤランプ(１１０)は、複数の発光ダイオード（ＬＥＤ）(１０−１、１０−２)を回路基板(１１)に実装した発光ユニット(ＬＵ１)と、発光ユニット(ＬＵ１)と対向した反射鏡(６３)と、ほぼ半球形の第一の光透過性分割部材(２０−１)およびほぼ半球形、ほぼ錐台形、またはほぼ錐形の第二の光透過性分割部材(２０−２)を結合しほぼ球形シェル（殻）を有する光透過性グローブ(２０)からなり、発光ユニット(ＬＵ１)および反射鏡(６３)は前記光透過性グローブ(２０)の内部空間に内蔵されている。ＬＥＤランプ(１１０)と点灯回路(４０)と電球用口金(５０)を一体化して白熱電球と互換性のある電球形ＬＥＤランプを提供できる。青色、紫外光線を発するＬＥＤと、蛍光体を有する光透過性グローブを用いてもよい。【選択図】図１
2010157459.tif 000002
【特許請求の範囲】
【請求項１】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ半球形、ほぼ錐台形、またはほぼ錐形の第二の分割部材を結合したほぼ球形シェル（殻）を有する光透過性グローブからなり、
前記発光ユニットおよび、または前記反射鏡は前記光透過性グローブの内部空間に内蔵された、ＬＥＤランプ。
【請求項２】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、周縁部が前記第一および第二の光透過性分割部材の結合個所またはその近辺に部分的または全面的に固定されて前記光透過性グローブによって支持され、前記光透過性グローブの内部空間に内蔵された、ＬＥＤランプ。
【請求項３】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、その外径部または周縁部が前記光透過性グローブの最大口径部の寸法とほぼ等しく、
前記発光ユニットおよび、または前記反射鏡は、前記外径部において前記第一および第二の光透過性分割部材の結合個所またはその近辺に部分的または全面的に固定されて前記光透過性グローブによって支持され、前記光透過性グローブの内部空間に内蔵された、ＬＥＤランプ。
【請求項４】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、前記光透過性グローブの最小口径部または底部の近辺から延長した支持部材によって支持され、前記光透過性グローブの内部空間に内蔵された、ＬＥＤランプ。
【請求項５】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材の開口部の周縁端面を部分的または全面的に結合しほぼ「S」字形曲線を有するほぼ球形シェル（殻）からなる光透過性グローブからなり、
前記発光ユニットおよび、または前記反射鏡は前記光透過性グローブの内部空間に内蔵された、ＬＥＤランプ。
【請求項６】
請求項1ないし請求項５のいずれかに記載のＬＥＤランプであって、
前記第一の分割部材と前記第二の分割部材を結合する手段は、(a)接合部、(b)対向する凹凸部の間に設けられた接合部、(c)対向する凹部の間に設けられた接合部、(d)対向する傾斜端面に設けられた接合部、(e)互いにかみ合う切り込み部の間に設けられた接合部、(d)対向する凹凸のネジからなるネジ部および(e)嵌合部からなる群から選択される、ＬＥＤランプ。
【請求項７】
請求項4に記載のＬＥＤランプであって、前記発光ユニットおよび、または前記反射鏡は、その最大外径部または最大周縁部が前記光透過性グローブの内径の寸法とほぼ等しいか、わずかに小さい、ＬＥＤランプ。
【請求項８】
請求項１ないし請求項６のいずれかに記載のＬＥＤランプであって、前記発光ダイオード（ＬＥＤ）が白色光線を放射する白色発光ダイオードからなる、白色発光形ＬＥＤランプ。
【請求項９】
請求項１ないし請求項６のいずれかに記載のＬＥＤランプであって、複数の前記発光ダイオード（ＬＥＤ）が青色、緑色および赤色を放射する三原色発光ダイオードの組み合わせからなり、
三原色の混色により疑似白色光線を得る、白色発光形ＬＥＤランプ。
【請求項１０】
請求項１ないし請求項６のいずれかに記載のＬＥＤランプであって、
前記発光ダイオード（ＬＥＤ）が主として青色光線および、または紫色光線を放射する発光ダイオードからなり、
前記青色光線および、または紫色光線を吸収して黄色光線に波長変換する黄色蛍光体を前記光透過性グローブに担持し、
前記青色および、または紫色光線と前記黄色光線の混色により疑似白色光線を得る、白色発光形ＬＥＤランプ。
【請求項１１】
請求項１ないし請求項６のいずれかに記載のＬＥＤランプであって、
前記発光ダイオード（ＬＥＤ）が主として紫外光線を放射する発光ダイオードからなり、
前記紫外光線を吸収して白色光線に波長変換する白色蛍光体または前記紫外光線を吸収して青色、緑色および赤色からなる三原色可視光線に波長変換する三原色蛍光体を光透過性グローブに担持した、白色発光形ＬＥＤランプ。
【請求項１２】
請求項９ないし請求項１１のいずれかに記載の白色発光形ＬＥＤランプであって、
前記光透過性グローブの表面に、前記蛍光体からなる蛍光体粒子または前記蛍光体粒子を含有する蛍光体含有粒子を固着して蛍光体膜を形成した、白色発光形ＬＥＤランプ。
【請求項１３】
請求項９ないし請求項１１のいずれかに記載の白色発光形ＬＥＤランプであって、
前記光透過性グローブに、前記蛍光体からなる蛍光体粒子または前記蛍光体粒子を含有する蛍光体含有粒子を分散して蛍光体含有グローブとした、白色発光形ＬＥＤランプ。
【請求項１４】
請求項１ないし請求項１３のいずれかに記載のＬＥＤランプであって、
前記発光ユニットは、第一の表面と第二の表面を有する両面回路基板と、前記第一の表面に実装された少なくとも一つの第一の前記ＬＥＤと、前記第二の表面に実装された少なくとも一つの第二の前記ＬＥＤからなる両面発光形発光ユニットである、ＬＥＤランプ。
【請求項１５】
請求項１ないし請求項１３のいずれかに記載のＬＥＤランプであって、
前記発光ユニットは、両面または片面にＬＥＤ実装面を有する両面または片面回路基板と，前記ＬＥＤ実装面にＬＥＤを実装した両面または片面発光形発光ユニットからなり、
前記反射鏡は、前記ＬＥＤ実装面と対向して配置されたほぼ錐形の反射鏡からなる、ＬＥＤランプ。
【請求項１６】
請求項１ないし請求項１３のいずれかに記載のＬＥＤランプであって、
前記発光ユニットは、片面回路基板の一表面に少なくとも一つの前記ＬＥＤを実装した片面発光形発光ユニットからなり、
前記反射鏡は、一方の前記表面に実装された前記ＬＥＤと対向して配置され、前記反射鏡は、ほぼ中央部に開口（連通孔）を有し、（ａ）ほぼ平板形状の全反射性または半反射性の反射鏡、（ｂ）ほぼ錐形状の全反射または半反射性の反射鏡および（ｃ）ほぼ錐台形状のプリズムから選択された、ＬＥＤランプ。
【請求項１７】
請求項１６に記載のＬＥＤランプであって、
前記反射鏡の前記開口（連通孔）に光拡散部材を設けた、ＬＥＤランプ。
【請求項１８】
請求項１ないし請求項１３のいずれかに記載のＬＥＤランプであって、
前記発光ユニットは、平面、傾斜面および段差の少なくとも二つの実装部を有する立体基板と、前記実装部に前記ＬＥＤを実装した、ＬＥＤランプ。
【請求項１９】
請求項１ないし請求項１３のいずれかに記載のＬＥＤランプであって、
二つの前記発光ユニットを備え、それらの間にほぼ錐形の反射鏡を介在した、ＬＥＤランプ。
【請求項２０】
請求項１ないし請求項１３のいずれかに記載のＬＥＤランプであって、
二つの前記発光ユニットを備え、
傾斜して対向する二つの前記発光ユニットが全体として正または逆のほぼ「ハ」字形、ほぼ「八」字形、またはほぼ「Ｖ」字形の形状を構成するように、前記光透過性グローブの内部空間に配置された、ＬＥＤランプ。
【請求項２１】
請求項１ないし請求項１３のいずれかに記載のＬＥＤランプであって、
複数の前記発光ユニットを備え、
複数の前記発光ユニットは、全体として複数の羽根を有する弓矢の形状を構成するように、前記光透過性グローブの内部空間に配置された、ＬＥＤランプ。
【請求項２２】
請求項２０または請求項２１に記載のＬＥＤランプであって、
前記発光ユニットの回路基板が、それぞれほぼ円形、ほぼ楕円形、ほぼ半円形またはほぼ半楕円形の形状を有する基板からなる、ＬＥＤランプ。
【請求項２３】
請求項２１または請求項２２に記載のＬＥＤランプであって、
前記発光ユニットは、両面回路基板の両面に前記ＬＥＤを実装した両面発光形発光ユニットからなる、ＬＥＤランプ。
【請求項２４】
請求項２１または請求項２３に記載のＬＥＤランプであって、
更に、複数の前記発光ユニットの上部をほぼ水平に欠如した形状を有し、その欠如線に沿って、片面にＬＥＤを実装した片面発光形発光ユニットを配置した、ＬＥＤランプ。
【請求項２５】
請求項１ないし請求項２４のいずれかに記載のＬＥＤランプと、
前記ＬＥＤを点灯する点灯回路と、
電球形口金を備えた電球形ＬＥＤランプ。
【発明の詳細な説明】
【技術分野】
【０００１】
本発明は発光ダイオード（ＬＥＤ）を有するＬＥＤランプに関する。
【０００２】
本発明は、発光ダイオード（ＬＥＤ）を有するＬＥＤランプと、周知の外部ソケット（受金）と容易に電気的に接続可能な周知の口金などの電力供給端子を有する電球形ＬＥＤランプに関する。
【背景技術】
【０００３】
＜先行技術１：ＬＥＤ電球＞  
図６０に示すように、先行技術１（特許文献２：特許公開２００１−２４３８０７、図１）には、一端に口金１が設けられ、他端の開口部に向けてラッパ状に拡がるラッパ状部材２と、このラッパ状部材２の開口部に取付けられ内面に蛍光体の層を有する透光性カバー５と、ラッパ状部材２と半球状の透光性カバー（半球状の光透過性グローブ）５により形成された略球体７の内部に設けられた基板３と、この基板３の半球状の透光性カバー（半球状の光透過性グローブ）５に対向する外面に実装されたＬＥＤ素子４とを備えたＬＥＤ電球が開示されている。
【０００４】
この構成において、口金１から直流電源が供給されるとＬＥＤ素子４が青色光または紫外線を放射する。ＬＥＤ素子４が青色の放射光の場合は蛍光体層６により黄色の可視光に波長変換され、透光カバー５の外に放射される。
【０００５】
このとき、青色の放射光の一部は波長変換されず、青色のまま透光カバー５の外に放射される。この波長変換されて透光性カバー５の外に放射された黄色と、波長変換されなかった青色とが合成され白色光として感じられる。
【０００６】
ＬＥＤ素子４が紫外線放射の場合は、蛍光体の層６により赤、緑、青の可視光に波長変換され、透光性カバー５の外に放射され、これらの光が合成され白色光として感じられる。（ここで、上記部材に付した参照番号は特許文献１の図１における参照番号である。）  
【０００７】
＜先行技術２：ＬＥＤ光源装置およびＬＥＤ電球＞  
図６１に示すように、先行技術２（特許文献２：特許公開２００６−１５６１８７、図１）には、近紫外光または青色光を放射し平面状に配設される複数の発光ダイオード素子１２を有するＬＥＤ発光部６と、発光ダイオード素子１２が配設される面から所定の距離隔てた位置に発光ダイオード素子１２と対向する平面部１６（または扁平な曲面部）を有し、発光ダイオード素子１２から放射される光を波長変換する蛍光体（蛍光体層、蛍光体膜））１５を平面部１６（または扁平な曲面部）に設けた波長変換カバー９とを備えたＬＥＤ光源装置およびＬＥＤ電球が開示されている。
【０００８】
更に特許文献２には一端に口金４が設けられ、他端に向けてラッパ状に拡がる電球外郭部２と、前記ＬＥＤ光源装置と、前記電球外郭部２の他端に設けられ、前記ＬＥＤ光源装置が実装される光源装置実装基板８と、前記電球外郭部２の他端に設けられ、前記基板８及び前記ＬＥＤ光源装置を密閉して覆う半球状の透光性カバー（半球状の光透過性グローブ）５とを備えたＬＥＤ電球１が開示されている。（ここで上記部材に付した参照番号は特許文献２の図１における参照の参照番号である。）  
【０００９】
先行技術１のＬＥＤ電球では、発光ダイオード素子４から放射される青色光線または紫外光線を半球状の透光性カバー（半球状の光透過性グローブ）５の内面に形成した蛍光体層（蛍光体膜）６に照射し、この蛍光体層  （蛍光体膜）６から波長変換されて出射される可視変換光線を利用するものである。
【００１０】
このＬＥＤ電球は、半球状の透光性カバー５のほぼすべての内面に半球状の蛍光体層（蛍光体膜）６が形成されているので、透光性カバー（半球状の光透過性グローブ）５の半球面から可視変換光線が出射し、この可視変換光線は方向性をもたない無指向性の拡散光（散乱光線）となるので、直視しても眼に優しい特性を有する。
【００１１】
先行技術２のＬＥＤ電球１は、蛍光体（蛍光体層、蛍光体膜）１５を平面部１６などに形成した波長変換カバー９の内面と対向して発光ダイオード素子１２を設け、更に波長変換カバー９と発光ダイオード素子１２を覆う半球状の透光性カバー（半球状の光透過性グローブ）５とを備えている。
【００１２】
先行技術２では、可視変換光線を発する箇所は、透光性カバー（半球状の光透過性グローブ）５の内部空間に配置された波長変換カバー９であるために、半球状の透光性カバー（半球状の光透過性グローブ）の半球面に蛍光体（蛍光体層、蛍光体膜）を形成する先行技術１と比較しての蛍光体（蛍光体層、蛍光体膜）の形成面積が少なく、したがって可視変換光線を発する面積が少なくなる。
【特許文献１】特開２００１−２４３８０７公開公報
【特許文献２】特開２００６−１５６１８７公開公報
【発明の開示】
【課題を解決するための手段】
【００１３】
先行技術１では半球状の透光性カバーの内面の半球状の限られた領域に単に蛍光体（蛍光体層、蛍光体膜）を形成したものであるから、蛍光体の形成面積に限界があり、一般照明用として用いる半導体発光ランプ、ＬＥＤ電球などの電球形半導体発光ランプとしては、照度、出射輝度が十分ではない。
【００１４】
先行技術２ではほぼ半球状の透光性カバーの内部空間に、発光ダイオードと発光ダイオードから放射される光を波長変換する蛍光体（蛍光体層、蛍光体膜）を設けた波長変換カバーを配置したものであるので、先行技術１と同様に蛍光体の形成面積に限界があり、一般照明用として用いる半導体発光ランプ、ＬＥＤ電球などの電球形半導体発光ランプとしては、照度、出射輝度が十分ではない。
【００１５】
したがって本発明は、従来より高い照度、出射輝度の可視光線を発することができるＬＥＤ光源装置などの半導体発光ランプを提供することを主な目的とする。
【００１６】
また本発明は、従来技術より高い照度、出射輝度の可視光線を発することができ、白熱電球と互換性を有する電球形半導体発光ランプを提供することを主な目的とする。
【００１７】
本発明の各種の態様は次の通りである。
【００１８】
各種の態様を構成する部材には、参考として本発明の実施の形態を示す図面における部材の参照符号を付してある。しかしながらこれらの参照符号は例示であり、これらに限定されるものではない。
【００１９】
本発明の一態様のＬＥＤランプは、複数の発光ダイオード（１０、１０−１、１０−２）を回路基板（１１、１１’、１１”、１１Ａ、１１Ｂ、１１Ｃ）に実装した発光ユニットと、光透過性を有しほぼ半球形の第一の分割部材（２０−１）および光透過性を有しほぼ半球形、ほぼ錐台形、またはほぼ錐形の第二の分割部材（２０−２）（２０−２）を結合したほぼ球形シェル（殻）を有する光透過性グローブ（２０）からなり、前記発光ユニットは前記光透過性グローブ（２０）の内部空間に内蔵される。
【００２０】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記反射鏡（６３、６３Ａ）は前記光透過性グローブ（２０）の内部空間に内蔵される。
【００２１】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記発光ユニットは、周縁部が前記第一および第二の光透過性分割部材の結合個所またはその近辺に部分的または全面的に固定されて前記光透過性グローブ（２０）によって支持され、前記光透過性グローブ（２０）の内部空間に内蔵される。
【００２２】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記反射鏡（６３、６３Ａ）は、周縁部が前記第一および第二の光透過性分割部材の結合個所またはその近辺に部分的または全面的に固定されて前記光透過性グローブ（２０）によって支持され、前記光透過性グローブ（２０）の内部空間に内蔵される。
【００２３】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記発光ユニットは、その外径部が前記光透過性グローブ（２０）の最大口径部の寸法とほぼ等しく、前記発光ユニットは、前記外径部において前記第一および第二の光透過性分割部材の結合個所またはその近辺に部分的または全面的に固定されて前記光透過性グローブ（２０）によって支持され、前記光透過性グローブ（２０）の内部空間に内蔵される。
【００２４】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニット（ＬＵ１、ＬＵ２ｂ、ＬＵ３、ＬＵ４Ａ、ＬＵ４Ｂ、ＬＵ５Ａ、ＬＵ５Ｂ、ＬＵ６Ａ、ＬＵ６Ｂ、ＬＵ６Ｃ、ＬＵ７Ａ、ＬＵ７Ｂ、ＬＵ７Ｃ）と、または前記発光ユニットおよび前記発光ユニットと対向した反射鏡（６３、６３Ａ）と、光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、前記発光ユニットおよび、または前記反射鏡は、前記光透過性グローブの最小口径部または底部の近辺から延長した棒状、管状などの支柱からなる支持部材（６５、１２’ａ、１２’ｂ）によって支持される。前記光透過性グローブの内部空間に内蔵された前記発光ユニットおよび、または前記反射鏡は、その最大外径部または最大周縁部が前記光透過性グローブの内径の寸法とほぼ等しいか、わずかに小さくするのが望ましく、それにより前記光透過性グローブ内の限定された空間に収容される前記発光ユニットのＬＥＤ実装回路基板の面積を最大化できる。
【００２５】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、光透過性を有しほぼ半球形の第一の分割部材（２０−１）および光透過性を有しほぼ半球形、ほぼ錐台形、またはほぼ錐形の第二の分割部材（２０−２）の開口部の周縁端面を部分的または全面的に結合しほぼ「S」字形曲線を有するほぼ球形シェル（殻）を有する光透過性グローブ（20B、２０-1および20'-2）からなり、前記発光ユニットは前記光透過性グローブの内部空間に内蔵される。この「S」字形曲線を有するほぼ球形の光透過性グローブを備えた電球形ＬＥＤランプは、グローブの外観が最も普及している一般照明用白熱電球とほぼ同一にできる。
【００２６】
本発明の他の態様のＬＥＤランプは、複数の発光ダイオード（１０、１０−１、１０−２）を回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）の開口部の周縁端面を結合手段（２２）により部分的または全面的に結合し互いに一体化したほぼ球形シェル（殻）を有する光透過性グローブ（２０）からなり、前記反射鏡（６３、６３Ａ）は前記光透過性グローブ（２０）の内部空間に内蔵される。
【００２７】
本発明の他の態様のＬＥＤランプは、発光ダイオード（１０、１０−１、１０−２）と、前記ＬＥＤを点灯する点灯回路（４０）と、電球形口金を備えた電球形ＬＥＤランプであって、複数の前記ＬＥＤを回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記反射鏡（６３、６３Ａ）は前記光透過性グローブ（２０）の内部空間に内蔵された、ＬＥＤランプである。
【００２８】
本発明の各種の態様のＬＥＤランプにおいて、前記結合手段（２２）は、接合部、対向する凹凸部の間に設けられた接合部、対向する凹部の間に設けられた接合部、対向する傾斜端面に設けられた接合部、互いにかみ合う切り込み部の間に設けられた接合部、対向する凹凸のネジからなるネジ部および嵌合部からなる群から選択することができる。
【００２９】
本発明の各種の態様のＬＥＤランプにおいて、前記発光ダイオード（１０、１０−１、１０−２）が白色光線を放射する白色発光ダイオードからなり白色発光形ＬＥＤランプとすることができる。
【００３０】
本発明の各種の態様のＬＥＤランプにおいて、複数の前記発光ダイオード（１０、１０−１、１０−２）が青色、緑色および赤色を放射する三原色発光ダイオードの組み合わせからなり、三原色の混色により疑似白色光線を得る、白色発光形ＬＥＤランプとすることができる。
【００３１】
本発明の各種の態様のＬＥＤランプにおいて、前記発光ダイオード（１０、１０−１、１０−２）が主として青色光線および、または紫色光線を放射する発光ダイオードからなり、前記青色光線および、または紫色光線を吸収して黄色光線に波長変換する黄色蛍光体を前記光透過性グローブ（２０）に担持し、前記青色および、または紫色光線と前記黄色光線の混色により疑似白色光線を得る、白色発光形ＬＥＤランプとすることができる。
【００３２】
本発明の各種の態様のＬＥＤランプにおいて、前記発光ダイオード（ＬＥＤ）が主として紫外光線を放射する発光ダイオードからなり、前記紫外光線を吸収して白色光線に波長変換する白色蛍光体または前記紫外光線を吸収して青色、緑色および赤色からなる三原色可視光線に波長変換する三原色蛍光体を光透過性グローブ（２０）に担持した、白色発光形ＬＥＤランプとすることができる。
【００３３】
本発明の各種の態様のＬＥＤランプにおいて、前記蛍光体からなる蛍光体粒子（３０ａ、３０’、３４ａ、３４ｂ）または前記蛍光体粒子を有する蛍光体含有粒子（３４Ａ、３４Ｂ）を有する蛍光体膜（３０、３１、３２、３５、３６）を前記光透過性グローブ（２０）の表面（内面、外面）に形成することができる。
【００３４】
本発明の各種の態様のＬＥＤランプにおいて、前記光透過性グローブ（２０）の表面に、前記蛍光体からなる蛍光体粒子（３０ａ、３０’、３４ａ、３４ｂ）または前記蛍光体粒子を含有する蛍光体含有粒子（３４Ａ、３４Ｂ）を固着して蛍光体膜（３０、３１、３２、３５、３６）を形成することができる。
【００３５】
本発明の各種の態様のＬＥＤランプにおいて、前記光透過性グローブに、前記蛍光体からなる蛍光体粒子（３０ａ、３０’、３４ａ、３４ｂ）または前記蛍光体粒子を含有する蛍光体含有粒子（３４Ａ、３４Ｂ）を分散して蛍光体含有グローブ（２０”、２０”Ａ）とすることができる。
【００３６】
本発明の各種の態様のＬＥＤランプにおいて、前記発光ユニットは、両面または片面にＬＥＤ実装面を有する両面または片面回路基板（１１、１１’）にＬＥＤ（１０−１、１０−２）を実装した両面または片面発光形発光ユニット（ＬＵ１、ＬＵ２）からなり、前記反射鏡は、前記ＬＥＤ実装面と対向して配置されたほぼ錐形の反射鏡（６３、６３Ａ）からなることができる。また錐形の反射鏡（６３、６３Ａ）を、二つの前記発光ユニット（ＬＵ２とＬＵ３、ＬＵ２ａとＬＵ２ｂ）の間に介在してもよい。
【００３７】
本発明の各種の態様のＬＥＤランプにおいて、前記発光ユニットは、片面回路基板（１１’）の一表面に少なくとも一つの前記ＬＥＤ（１０−１）を実装した片面発光形発光ユニット（ＬＵ２）からなり、前記反射鏡は、一方の前記表面に実装された前記ＬＥＤと対向して配置され、前記反射鏡は、ほぼ中央部に開口（連通孔）を有し、（ａ）ほぼ平板形状の全反射性または半反射性の反射鏡（７０）、（ｂ）ほぼ錐形状の全反射または半反射性の反射鏡（７２、７３）および（ｃ）ほぼ錐台形状のプリズム（７７）から選択されることができる。また前記反射鏡の前記開口（連通孔）に光拡散部材（７１、７３、７４、７４’、７６、７８）を設けることができる。
【００３８】
本発明の各種の態様のＬＥＤランプにおいて、前記発光ユニットは、平面、傾斜面および段差の少なくとも二つの実装部を有する立体基板（１１”）と、その前記実装部に前記ＬＥＤ（１０ａ、１０ｂ）を実装した発光ユニット（ＬＵ３）からなることができる。
【００３９】
本発明の各種の態様のＬＥＤランプにおいて、二つの前記発光ユニット（ＬＵ４Ａ、ＬＵ４ＢまたはＬＵ５Ａ、ＬＵ５Ｂ）を備え、傾斜して対向する二つの前記発光ユニットが全体として正または逆のほぼ「ハ」字形、ほぼ「八」字形、またはほぼ「Ｖ」字形の形状を構成するように、前記光透過性グローブ（２０、２０Ｂ）の内部空間に配置されることができる。
【００４０】
本発明の各種の態様のＬＥＤランプにおいて、複数の前記発光ユニット（ＬＵ６Ａ、ＬＵ６Ｂ、ＬＵ６Ｃ）は、全体として複数の羽根を有する弓矢の形状を構成するように、前記光透過性グローブ（２０、２０Ｂ）の内部空間に配置されることができる。更に、複数の前記発光ユニット（ＬＵ６Ａ、ＬＵ６Ｂ、ＬＵ６Ｃ）は、その上部をほぼ水平に欠如した形状を有する発光ユニット（ＬＵ７Ａ、ＬＵ７Ｂ、ＬＵ７Ｃ）とし、その欠如線に沿って、複数のＬＥＤを実装した片面発光形発光ユニット（ＬＵ２ｂ）をほぼ水平に配置することができる。
【００４１】
本発明の他の態様のＬＥＤランプは、発光ダイオード（１０、１０−１、１０−２）と、前記ＬＥＤを点灯する点灯回路（４０）と、電球形口金を備えた電球形ＬＥＤランプであって、複数の前記ＬＥＤを回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記発光ユニットは前記光透過性グローブ（２０）の内部空間に内蔵された、ＬＥＤランプである。          
【００４２】
本発明の他の態様のＬＥＤランプは、発光ダイオード（１０、１０−１、１０−２）と、前記ＬＥＤを点灯する点灯回路（４０）と、電球形口金を備えた電球形ＬＥＤランプであって、複数の前記ＬＥＤを回路基板（１１、１１’、１１”、１１Ａ、１１Ｂ、１１Ｃ）に実装した発光ユニットと、前記発光ユニットと対向した反射鏡（６３、６３Ａ）と、光透過性を有しほぼ半球形の第一の分割部材（２０−１）および光透過性を有しほぼ半球形、ほぼ錐台形、またはほぼ錐形の第二の分割部材（２０−２）を結合したほぼ球形シェル（殻）を有する光透過性グローブ（２０）からなり、前記反射鏡（６３、６３Ａ）は前記光透過性グローブ（２０）の内部空間に内蔵された、ＬＥＤランプである。
【００４３】
本発明の各種の態様のＬＥＤランプと、前記ＬＥＤを点灯する点灯回路と、電球形口金を備えることにより、通常の白熱電球用ソケット（受金）に着脱でき白熱電球と互換性を有する電球形ＬＥＤランプを提供できる。
【００４４】
上記の各種の態様のＬＥＤランプおよび電球形ＬＥＤランプは、光透過性グローブ（２０）のほぼ全面より可視光線が方向性をもたない無指向性の拡散光（散乱光線）からなる照明光線（Ｌ２−１、Ｌ２−２）として発せられ、直視しても眼に優しい特性を有し、更に広角の配光特性を有し、広い範囲を高輝度で照明することができる顕著な効果を発揮することができる。
【発明を実施するための最良の形態】
【００４５】
本発明の種々の実施の形態を以下に添付図面を参照して記載する。
【００４６】
すべての図において同一部分、同一部材には、同一の参照符号を付してある。
【００４７】
＜本発明の一実施の形態：実施例１＞  
本発明の一実施の形態の発光ダイオード・ランプ（ＬＥＤランプ）、電球形ＬＥＤランプを、図１ないし図５に基づいて説明する。
【００４８】
図１は、発光ダイオード・ランプ（ＬＥＤランプ）１１０を示す概略的な分解斜視図である。
【００４９】
図２は、ＬＥＤランプ１１０を示す概略的な斜視図である。
【００５０】
図３は、図２のＡ−Ａ’線に沿って切断したＬＥＤランプ１１０の概略的な断面図である。
【００５１】
図４は、発光ユニットＬＵ１を示す概略的な平面図である。
【００５２】
図５は、発光ユニットＬＵ１を点灯する点灯回路４０を示す概略的なブロック・ダイヤグラムである。
【００５３】
図１ないし図３に示すように、ＬＥＤランプ１１０は、発光ユニットＬＵ１と、光透過性グローブ２０を備える。
【００５４】
図１ないし図６に示すように、発光ユニットＬＵ１は、両面にプリント配線パターン（印刷回路パターン：ＰＲＩＮＴＥＤ  ＣＩＲＣＵＩＴ  ＰＡＴＴＥＲＮ）を有する両面プリント回路基板１１と、その上面に実装された少なくとも一つのＬＥＤ１０−１と、その下面に実装された少なくとも一つの発光ダイオード（ＬＥＤ：ＬＩＧＨＴ  ＥＭＩＴＴＩＮＧ  ＤＩＯＤＥ）１０−２からなることができる。
【００５５】
図３に示すように、両面プリント回路基板１１は、ほぼ球状のグローブ２０−１、２０−２の中央の内径とほぼ等しいか、またはその内径よりもわずかに小さな直径を有する円盤（円板）状プリント回路基板とするのが望ましい。
【００５６】
光透過性（透光性）グローブ２０は、上部に位置する光透過性を有するほぼ半球形の第一の分割部材２０−１と下部に位置する光透過性を有するほぼ半球形（ほぼ錐台形、またはほぼ錐形）の第二の分割部材２０−２からなり、発光ユニットＬＵ１を内部空間に内蔵（収容）して第一の分割部材２０−１と第二の分割部材２０−２を結合したものである。
【００５７】
光透過性（透光性）グローブ２０（２０−１、２０−２）は、ＰＭＭＡなどのアクリル樹脂（ＡＣ）、ポリスチロール樹脂（ＰＳ）、ポリカーボネート樹脂（ＰＣ）、ポリエチレン・テレフタレート樹脂（ＰＥＴ）などの光透過性樹脂からなることができる。
【００５８】
光透過性樹脂の替わりに光透過性ガラスを用いてもよい。
【００５９】
図１ないし図３に示すように、上部シェル２０−１（第一の分割部材）と、ほぼ半円球の下部シェル２０−２（第二の分割部材）とは、上部シェル２０−１のほぼ円形開口の端面の近辺と下部シェル２０−２のほぼ円形開口の端面の近辺とを接着、溶着、ネジ結合などの任意の結合手段により、結合して一体化することにより円球などのほぼ球状シェル（殻）形グローブ２０とすることができる。
【００６０】
円盤（ディスク）状の両面プリント回路基板１１は、その円周部分（リング状周縁部またはその近辺）を円球シェル形のグローブ２０−１、２０−２のほぼ中央の内面に、部分的または全面的に接着、溶着などの結合手段によりグローブ２０−１、２０−２に固定することができる。
【００６１】
図１ないし図３に示す発光ニットＬＵ１は、そのほぼ円形の周縁部が前記第一および第二の光透過性分割部材２０−１、２０−２の結合個所またはその近辺に部分的または全面的に固定されて前記光透過性グローブ２０によって支持され、前記光透過性グローブ２０の内部空間に内蔵（収容）される。
【００６２】
図１ないし図３に示すように、発光ニットＬＵ１はほぼ円盤状の両面プリント回路基板１１の外径部が光透過性グローブ２０の最大口径部の寸法とほぼ等しく（または、わずかに小さく）するのが望ましい。
【００６３】
それにより、ＬＥＤ１０−１、１０−２を実装する回路基板１１の面積を、制限された空間内で、光透過性グローブ２０の最大口径とほぼ等しく最大化することができ、多数および、または高輝度、高出力のＬＥＤ１０−１、１０−２を回路基板１１に実装することができる。
【００６４】
発光ニットＬＵ１は、前記外径部において前記第一および第二の光透過性分割部材の２０−１、２０−２の結合個所またはその近辺に部分的または全面的に固定されて前記光透過性グローブ２０によって支持され、前記光透過性グローブの内部空間に内蔵（収容）することができる。
【００６５】
周知の電球ソケット（図示せず）に差し込み可能な電球形口金５０の内部空洞にＬＥＤ１０（１０−１，１０−２）を点灯するための駆動電力を供給する点灯回路４０が収納され、口金５０の電極端子５０ａ、５０ｂと、点灯回路４０の入力端子が、導電リード線１３により電気的接続される。
【００６６】
図３、図５に示すように、二本の給電リード線１３は、それぞれの一端が電球用口金５０の第一の電極端子５０ａと第二の電極端子５０ｂに接続され、それぞれの他端が点灯回路４０の入力端子に接続される。
【００６７】
点灯回路４０の出力端子は、導電リード線１２により、プリント回路基板１１のプリント配線と接続される。
【００６８】
点灯回路４０の入力端子に供給される交流電力（ＡＣ）は、点灯回路４０により整流されて、直流電力に変換されて、ＬＥＤ１０（１０−１，１０−２）には、その駆動電流が供給されて可視光線などを発する。
【００６９】
発光ユニットＬＵを内蔵（収容）した半球状グローブ２０と、半球状グローブ２０と結合され点灯回路４０を内蔵（収容）したハウジング６０と、電球用口金５０は、一体化されて電球形発光ダイオード（ＬＥＤ）ランプ１１０を構成する。
【００７０】
図５に示すように、点灯回路４０の一例は、商用電源などの外部交流電力（ＡＣ）の電圧を下げる巻き線形または圧電形などのトランスなどの降圧素子を含む降圧回路４０ｂと、降圧回路４０ｂの交流出力を整流して直流電力に変換するダイオード・ブリッジ素子とコンデンサ素子を含む整流回路４０ａからなることができる。
【００７１】
図５に示すように、点灯回路４０の他の一例は、商用電源などの外部交流電力（ＡＣ）を整流し直流電力に変換する交直変換回路（ＡＣ−ＤＣコンバーター）４０ｂと交直変換回路４０ｂの直流出力を、ＬＥＤ１０を駆動することができるパルス出力を含む直流電圧に変換する駆動回路（ＤＣ−ＤＣコンバーター）４０ａからなることができる。
【００７２】
交流電力（ＡＣ）は、周知の外部ソケット（図示せず）から電球用口金５０の電極端子５０ａ、５０ｂを経由し交直変換回路４０ｂに供給される。
【００７３】
駆動回路４０ａの直流出力端子は、リード線１２ａ、１２ｂを経由して両面プリント回路基板１１（前面１１−１と裏面１１−２）の入力端子１１ａ、１１ｂと接続されている。
【００７４】
回路基板１１の前面１１−１には複数のＬＥＤ１０−１（１），１０−１（２），１０−１（３），−−−−，１０−１（ｎ−１），１０−１（ｎ）が前面１１−１上のプリント配線１１ｃにより図５では直列接続された複数のＬＥＤ１０−１が実装されている。
【００７５】
回路基板１１の裏面１１−２には複数のＬＥＤ１０−２（１），１０−２（２），１０−２（３），−−−−，１０−２（ｎ−１），１０−２（ｎ）が裏面１１−２上のプリント配線１１ｃにより図５では直列接続された複数のＬＥＤ１０−２が実装されている。
【００７６】
上記の降圧回路４０ｂを省略して、交流電力（ＡＣ）を整流回路４０ａで直流に変換した直流出力を直列接続した比較的に多数のＬＥＤ１０−１、１０−２に加えて直流駆動してもよい。
【００７７】
複数のＬＥＤ１０−１、１０−２は、それぞれ直列接続の外に、並列接続または直並列接続されてもよい。図５では、回路基板１１の前面１１−１上で直列接続された複数のＬＥＤ１０−１と、回路基板１１の裏面１１−２上で直列接続された複数のＬＥＤ１０−２は並列接続されているが、直列接続されてもよい。
【００７８】
本発明に用いる「両面プリント回路基板」は、（ａ）一つの絶縁基板または両面を絶縁化した金属基板からなる基板の両面に発光ダイオードを実装するための導電パターンを含む電気回路を有する通常の両面プリント回路基板、（ｂ）片面に発光ダイオードを実装するための電気回路を有する通常の二つの片面プリント回路基板を積層一体化した実質的な両面プリント回路基板および（ｃ）通常の二つの片面プリント回路基板を熱伝導基板を介在して積層一体化した実質的な両面プリント回路基板から選択できる。
また上記の回路基板は、その目的に応じて硬質（リジッド）形、柔軟（フレキシブル）形、硬質・柔軟複合形の回路基板から選択して使用できる。
本明細書、本特許請求の範囲において、上記（ａ）、（ｂ）、（ｃ）の両面プリント回路基板であっても片面にのみ発光ダイオードを実装したものは、片面プリント回路基板と称する。
【００７９】
円錐形、多角形などの錐形反射鏡６３を両面プリント回路基板１１の下面側のＬＥＤ１０−２と対向するように保持部材６２の上部（下部シェル２０−２の底部または口金の開口箇所）に設けるのが望ましい。
【００８０】
両面プリント回路基板１１の下面側のＬＥＤ１０−２からの発光光線Ｌ１−２は、一部が直接的に下部シェル２０−２から出射し、一部が錐形反射鏡６３で反射してほぼ横方向に進み下部シェル２０−２から出射して照明光線Ｌ２−２となる。
【００８１】
発光ダイオード素子（ＬＥＤ）１０−１、１０−２のパッケージの形態として、表面実装形（ＳＭＤ）、砲弾形のいずれでもよい。また発光ダイオード素子（ＬＥＤ）１０−１、１０−２として、複数の発光ダイオード・チップを一つのパッケージに収容したものを用いてもよい。
【００８２】
本明細書、本特許請求の範囲における発光ダイオード（ＬＥＤ）は、主として正面（前面）から光線を出射する最も一般的なものである。
【００８３】
発光ダイオード素子（ＬＥＤ）１０−１、１０−２として、白色光線を放射する白色発光ダイオードを用いることにより、ＬＥＤランプ１１０を白色発光形ＬＥＤランプとすることができる。
このような白色発光ダイオードは、例えば、豊田合成株式会社、日亜化学工株式会社、星和電機株式会社、米国ルミレッズ社（Ｌｕｍｉｌｅｄｓ  Ｌｉｇｈｔｉｎｇ  Ｕ．Ｓ．，ＬＬＣ）、米国クリ―社（Ｃｒｅｅ，Ｉｎｃ．）などから入手できる。
【００８４】
その替わりに、発光ダイオード素子（ＬＥＤ）１０−１、１０−２が、青色、緑色および赤色を放射する三原色発光ダイオードの組み合わせからなり、三原色の混色により疑似白色光線を得て、ＬＥＤランプ１１０を白色発光形ＬＥＤランプとすることができる。
【００８５】
このような三原色発光ダイオードは、例えば、豊田合成株式会社、日亜化学工株式会社、星和電機株式会社、米国ルミレッズ社（Ｌｕｍｉｌｅｄｓ  Ｌｉｇｈｔｉｎｇ  Ｕ．Ｓ．，ＬＬＣ）、米国クリ―社（Ｃｒｅｅ，Ｉｎｃ．）などから入手できる。
【００８６】
両面プリント回路基板１１の上面に実装された第一のＬＥＤ１０−１から発する可視光線Ｌ１−１（矢印付き実線で示す）は、上部のグローブ２０−１から外部へ出射して、照明光線Ｌ１−１（矢印付き鎖線で示す）となる。
【００８７】
両面プリント回路基板１１の下面に実装された第二のＬＥＤ１０−２から発する可視光線Ｌ１−２（矢印付き実線で示す）は、下部のグローブ２０−２から外部へ出射して、照明光線Ｌ１−２（矢印付き鎖線で示す）となる。
【００８８】
したがってＬＥＤランプ１１０は、ほぼ球形のグローブ２０の全面から照明光線Ｌ１−１およびＬ１−２を出射できる。
【００８９】
光透過性グローブ２０が無色透明材料からなる場合には、予めその内面に白色顔料などの光散乱性粒子を含む白色塗料を塗布して光散乱層を形成することにより、ＬＥＤランプ１１０のＬＥＤ  １０からの指向性を有する可視光線をグローブで多方向に散乱させ、均一な照明光線とすることができる。
【００９０】
光透過性グローブ２０の内面に散乱層を形成する替わりに、光透過性グローブの透明素材に予め光散乱性粒子を分散させても、上述と同様にＬＥＤ  １０からの指向性を有する可視光線をグローブで多方向に散乱させ、均一な照明光線とすることができる。
【００９１】
下部シェル２０−２は、その底部が保持部材６２の上部と固定され、点灯回路４０を保持部材６２の底部は電球形口金５０に固定され、全体が一体化されて、周知の電球用ソケットと着脱自在の電球形発光ダイオード・ランプとなる。
【００９２】
図１ないし図３に示すＬＥＤランプ１１０は、ボール形状の光透過性グローブを有する白熱電球と類似またはほぼ同じ外観の形状を有している。
【００９３】
下部シェル２０−２がほぼ「Ｓ」字の円錐形曲線を有するようにすることにより、グローブの全体の外観が一般に最も使用されている一般照明用白熱電球と類似またはほぼ同じ形状とすることができる。（図２７ないし図３２などを参照）
【００９４】
＜分割部材の結合手段と回路基板の支持手段＞
図６（図６Ａないし図６Ｄ）、図７（図７Ａないし図７６Ｆ）は、上述の実施形態のＬＥＤランプ１１０の光透過性グローブ２０における第一と第二の光透過性グローブ分割部材２０−１、２０−２の結合個所の近辺（図３の参照符号２２で示す部分）を拡大して示すものである。
【００９５】
図６（図６Ａないし図６Ｄ）、図７（図７Ａないし図６Ｆ）は、二分割などに複数に分割された光透過性グローブ分割部材を結合した結合個所の近辺（図３の参照符号２２で示す部分）を拡大して示すものである。
【００９６】
図６（図６Ａないし図６Ｄ）、図７（図７Ａないし図７Ｆ）は、上部の第一のグローブ分割部材２０−１と下部の第二のグローブ分割部材２０−２とを結合して一体化する各種の結合手段と、回路基板１１を光透過性グローブ２０の内部空間の所定位置に保持する各種の支持手段を示す概略的な部分断面図である。
【００９７】
図６Ａに示すように、上部の光透過性グローブ分割部材２０−１の周縁端面と下部の光透過性グローブ分割部材２０−２の周縁端面は、両方の周縁端面が樹脂系接着材、ガラス系結合材などからなる接合材からなる接合層６７（結合手段２２）により接着、結合して、互いに一体化した光透過性グローブ２０を完成することができる。上記の樹脂系接着材としては、例えばホットメルト形の熱可塑性樹脂、熱または光硬化剤を含み熱または光エネルギーの付与によって硬化する硬化性樹脂を用いることができる。上記のガラス系結合材は、光透過性グローブ分割部材２０−１、２０−２がガラス材料から構成される場合に用いられ、低融点ガラス粉末を含む公知の低融点ガラス・ぺーストなどを用いることができる。
【００９８】
上部の光透過性グローブ分割部材２０−１と下部の光透過性グローブ分割部材２０−２を、例えばＰＭＭＡなどのアクリル樹脂のように溶剤により溶ける溶剤可溶性樹脂材料を用いて、両者を接合しても良い。
【００９９】
上部の光透過性グローブ分割部材２０−１と下部の光透過性グローブ分割部材２０−２がＰＭＭＡなどのアクリル樹脂（ＡＣ）などの熱可塑性樹脂、ガラスのように加熱によって溶融、または熱軟化する熱可塑性材料を用いるときには、周知のレーザー溶接手段により、両方の周縁端面の近辺を加熱溶着して両者を一体化しても良い。
【０１００】
図６Ａに示すように、更にプリント回路基板１１の周縁端面を、下部の光透過性グローブ分割部材２０−２の内面に樹脂系接着材、接合層６７と同様な接合層６８により接合することにより、プリント回路基板１１は光透過性グローブ分割部材２０−２に固定され、光透過性グローブ２０の内部空間の所定位置に保持される。
【０１０１】
この替わりに、プリント回路基板１１は上部の光透過性グローブ分割部２０−１に固定され、保持されてもよい。（図示せず。）
【０１０２】
図６Ｂにおいては、図６Ａと同様に、上部の光透過性グローブ分割部材２０−１の周縁端面と下部の光透過性グローブ分割部材２０−２の周縁端面とは、両方の周縁端面が樹脂系接着材、ガラス系結合材などからなる接合層６７（結合手段２２）により接着、結合されて、互いに一体化されている。
【０１０３】
図６Ｂにおいては、図６Ａと異なり、上部の光透過性グローブ分割部材２０−１の周縁端面と下部の光透過性グローブ分割部材２０−２が互いにかみ合うように周縁端面に切り込みがあり、両者の結合強度を向上させている。
【０１０４】
図６Ｂにおいては、図６Ａと同様に、更にプリント回路基板１１の周縁端面を、下部の光透過性グローブ分割部材２０−２の内面に樹脂系接着材、接合層６７と同様な接合層６８により接合することにより、プリント回路基板１１は下部の光透過性グローブ分割部材２０−２に固定され、保持される。
【０１０５】
図６Ｃにおいては、図６Ａと同様に、上部の光透過性グローブ分割部材２０−１の周縁端面と下部の光透過性グローブ分割部材２０−２の周縁端面とは、両方の周縁端面が樹脂系接着材、ガラス系結合材などからなる接合層６７（結合手段２２）により接着、結合されて、互いに一体化されている。
【０１０６】
図６Ｃにおいては、図６Ａと異なり、上部の光透過性グローブ分割部材２０−１の周縁端面と下部の光透過性グローブ分割部材２０−２の周縁内面に切り込みがあり、切り込みにプリント回路基板１１の周縁端面を挿入し、プリント回路基板１１は接合層６７（結合手段２２）によりハウジング６０と下部の光透過性グローブ分割部材２０−２に固定され、保持される。
【０１０７】
図６Ｄにおいては、図６Ａと同様に、上部の光透過性グローブ分割部材２０−１の周縁端面と下部の光透過性グローブ分割部材２０−２の周縁端面とは、両方の周縁端面が樹脂系接着材、ガラス系結合材などからなる接合層６７（結合手段２２）により接着、結合されて、互いに一体化されている。
【０１０８】
図６Ｄにおいては、図６Ａと異なり、下部の光透過性グローブ分割部材２０−２の周縁内面に切り込みがあり、切り込みにプリント回路基板１１の周縁端面を挿入し、プリント回路基板１１は接合層６７（結合手段２２）によりハウジング６０または下部の光透過性グローブ分割部材２０−２に固定され、保持される。
【０１０９】
図７Ａにおいては、図６Ａと同様に、上部の光透過性グローブ分割部材２０−１の周縁端面と下部の光透過性グローブ分割部材２０−２の周縁端面とは、両方の周縁端面が樹脂系接着材、ガラス系結合材などからなる接合層６７（結合手段２２）により接着、結合されて、互いに一体化されている。
【０１１０】
図７Ａにおいては、図６Ａと異なり、上部の光透過性グローブ分割部材２０−１の周縁端面に凹部があり、この凹部と対応して、下部の光透過性グローブ分割部材２０−２の周縁内面の凸部があり、凹部と凸部の間に接合層６７が介在している。
【０１１１】
プリント回路基板１１は、接着剤などの接合層６８により上部の光透過性グローブ分割部材２０−１と下部の光透過性グローブ分割部材２０−２に固定され、保持される。
【０１１２】
図７Ｂにおいては、図６Ａと同様に、上部の光透過性グローブ分割部材２０−１の周縁端面と下部の光透過性グローブ分割部材２０−２の周縁端面とは、両方の周縁端面が樹脂系接着材、ガラス系結合材などからなる接合層６７（結合手段２２）により接着、結合されて、互いに一体化されている。
【０１１３】
図７Ｂにおいては、図６Ａと同様に、上部の光透過性グローブ分割部材２０−１の周縁端面に凹部があり、この凹部と対応して、下部の光透過性グローブ分割部材２０−２の周縁内面の凹部があり、対向する一対の凹部が形成する空間に接合層６７が介在している。
【０１１４】
プリント回路基板１１は、その周縁端面が接着剤などの接合層６８により下部の光透過性グローブ分割部材２０−２に固定され、保持される。
【０１１５】
図７Ｃにおいては、上部の光透過性グローブ分割部材２０−１の傾斜した周縁端面と下部の光透過性グローブ分割部材２０−２の傾斜周縁端面とが密接してほぼ片仮名の「ハ」字形空間を構成し、「ハ」字形空間に樹脂系接着材、ガラス系結合材などからなる接合材を充填した接合部６７を結合手段２２により接着、結合されて、互いに一体化されている。
【０１１６】
プリント回路基板１１は、その周縁端面が下部の光透過性グローブ分割部材２０−２に接触または密接し、その周縁下面と下部の光透過性グローブ分割部材２０−２の内面に接着剤などの接合部６８が設けられて、保持される。
【０１１７】
図７Ｄにおいては、図６Ａと同様に上部の光透過性グローブ分割部材２０−１の周縁端面と下部の光透過性グローブ分割部材２０−２の周縁端面とは、両方の周縁端面が樹脂系接着材、ガラス系結合材などからなる接合層６７を結合手段２２により接着、結合されて、互いに一体化されている。
【０１１８】
図７Ｄに示すように、下部の光透過性グローブ分割部材２０−２の内面には、水平面を有する支持部６０ａが延長して設けられ、支持部６０ａの水平面においてプリント回路基板１１が接着剤、ネジなどを用いて固定され保持される。
【０１１９】
図７Ｅにおいては、上部の光透過性グローブ分割部材２０−１の周縁内面と下部の光透過性グローブ分割部材２０−２の周縁内面とに、対向する凹凸のネジを有するネジ部６７ａが設けられている。
【０１２０】
そして、上部の光透過性グローブ分割部材２０−１の周縁内面と下部の光透過性グローブ分割部材２０−２がネジ結合されている。
【０１２１】
ネジ部６７ａに接着材を浸透させることによりこのネジ結合がより強固となる。
【０１２２】
図７Ｅに示すように、下部の光透過性グローブ分割部材２０−２の内面には、水平面を有する支持部６０ａが延長して設けられ、支持部６０ａの水平面において接着剤、ネジなどを用いてプリント回路基板１１が固定され保持される。
【０１２３】
図７Ｆにおいては、上部の光透過性グローブ分割部材２０−１の周縁内面と下部の光透過性グローブ分割部材２０−２の周縁内面とに、対向する凹凸の嵌合部６７’が設けられている。
【０１２４】
そして、上部の光透過性グローブ分割部材２０−１の周縁内面と下部の光透過性グローブ分割部材２０−２が嵌め合わされている。
【０１２５】
嵌め合い部６７に接着材を浸透させることによりこの結合がより強固となる。
【０１２６】
以上に図６、図７を参照して記載したように、光透過性グローブ２０は、第一の光透過性グローブ分割部材（第一セグメント）２０−１と第二の光透過性グローブ分割部材（第二セグメント）２０−２が囲む内部空間に、発光ユニットＬＵ１（ＬＥＤ１０およびプリント回路基板１１）が口金５０に対して水平になるように収容して、互いに結合して一体化したものである。
【０１２７】
＜本発明の他の実施の形態：実施例２＞  
本発明の一実施の形態の発光ダイオード・ランプ（ＬＥＤランプ）、電球形ＬＥＤランプを、図８ないし図１０に基づいて説明する。
【０１２８】
前述の実施例１におけるＬＥＤランプ１１０は、上側の第一の光透過性グローブ分割部材２０−１と下側の第二の光透過性グローブ分割部材２０−２が囲む内部空間（空洞）に、口金５０に対してほぼ水平になるように、ＬＥＤ１０およびプリント回路基板１１からなる発光ユニットＬＵ１１１を横方向に内蔵（収容）して互いに結合して一体化して光透過性グローブ２０としたものである。
【０１２９】
これと異なり、この実施例２におけるＬＥＤランプ１２０は、左側の第一の光透過性グローブ分割部材２０−１と右側の第二の光透過性グローブ分割部材２０−２が囲む内部空間（空洞）に、口金５０に対してほぼほぼ垂直になるように、ＬＥＤ１０およびプリント回路基板１１からなる発光ユニットＬＵ１を縦方向に内蔵（収容）して互いに結合して一体化して光透過性グローブ２０としたものである。
【０１３０】
図８は、発光ダイオード・ランプ（ＬＥＤランプ）１２０を示す概略的な分解斜視図である。
【０１３１】
図９は、ＬＥＤランプ１２０を示す概略的な斜視図である。
【０１３２】
図１０は、図９のＢ−Ｂ’線に沿って切断したＬＥＤランプ１２０の概略的な断面図である。
【０１３３】
図８ないし図１０に示すように、ＬＥＤランプ１２０は、発光ユニットＬＵ１と、光透過性グローブ２０を備える。
【０１３４】
発光ユニットＬＵ１は、両面プリント回路基板１１と、その左面に実装された少なくとも一つのＬＥＤ１０−１と、その右面に実装された少なくとも一つのＬＥＤ１０−２からなる。
【０１３５】
図１０に示すように、両面プリント回路基板１１は、ほぼ球状のグローブ２０−１、２０−２の中央の内径とほぼ等しいか、またはその内径よりもわずかに小さな直径を有する円盤状プリント回路基板とするのが望ましい。
【０１３６】
光透過性グローブ２０は、左側に位置する光透過性を有するほぼ半球形の第一の分割部材２０−１と右側に位置する光透過性を有するほぼ半球形の第二の分割部材２０−２からなり、発光ユニットＬＵ１を内部空間に内蔵（収容）して第一の分割部材２０−１と第二の分割部材２０−２を結合したものである。
【０１３７】
光透過性グローブ２０（２０−１、２０−２）は、ＰＭＭＡなどのアクリル樹脂（ＡＣ）、ポリスチロール樹脂（ＰＳ）、ポリカーボネート樹脂（ＰＣ）、ポリエチレン・テレフタレート樹脂（ＰＥＴ）などの光透過性樹脂からなることができる。
【０１３８】
光透過性樹脂の替わりに光透過性ガラスを用いてもよい。
【０１３９】
図８ないし図１０に示すように、左側シェル２０−１（第一の分割部材）と、ほぼ半円球の右側シェル２０−２（第二の分割部材）とは、左側シェル２０−１のほぼ円形開口の端面の近辺と右側シェル２０−２のほぼ円形開口の端面の近辺とを接着、溶着、ネジ結合などの任意の結合手段により、結合して一体化することにより円球などのほぼ球状シェル（殻）形グローブ２０とすることができる。
【０１４０】
円盤（ディスク）状などの平板状の両面プリント回路基板１１は、その円周部分（リング状周縁部）などの周縁部またはその近辺を円球シェル形のグローブ２０−１、２０−２のほぼ中央の内面に、部分的または全面的に接着、溶着などの結合手段によりグローブ２０にほぼ垂直に縦方向に固定することができる。
【０１４１】
図８ないし図１０に示す発光ニットＬＵ１は、そのほぼ円形の周縁部が前記第一および第二の光透過性分割部材２０−１、２０−２の結合個所またはその近辺に部分的または全面的に固定されて前記光透過性グローブ２０によって支持され、前記光透過性グローブ２０の内部空間に内蔵（収容）される。
【０１４２】
図８ないし図１０に示すように、発光ニットＬＵ１はほぼ円盤状の両面プリント回路基板１１の外径部が光透過性グローブ２０の最大口径部の寸法とほぼ等しく（または、わずかに小さく）するのが望ましい。
【０１４３】
それにより、ＬＥＤ１０−１、１０−２を実装する回路基板１１の面積を、制限された空間内で、光透過性グローブ２０の最大口径とほぼ等しく最大化することができ、多数および、または高輝度、高出力のＬＥＤ１０−１、１０−２を回路基板１１の両面の配線パターンの所定箇所に実装することができる。
【０１４４】
発光ニットＬＵ１は、前記外径部において前記第一および第二の光透過性分割部材の２０−１、２０−２の結合個所またはその近辺に部分的または全面的に固定されて前記光透過性グローブ２０によって支持され、前記光透過性グローブの内部空間に内蔵（収容）することができる。
【０１４５】
周知の電球ソケット（図示せず）に差し込み可能な電球形口金５０の内部空洞にＬＥＤ１０（１０−１，１０−２）を点灯するための駆動電力を供給する点灯回路４０が収納され、口金５０の電極端子５０ａ、５０ｂと、点灯回路４０の入力端子が、導電リード線１３により電気的接続される。
【０１４６】
図１０に示すように、二本の給電リード線１３は、それぞれの一端が電球用口金５０の第一の電極端子５０ａと第二の電極端子５０ｂに接続され、それぞれの他端が点灯回路４０の入力端子に接続される。
【０１４７】
点灯回路４０の出力端子は、導電リード線１２により、プリント回路基板１１のプリント配線と接続される。
【０１４８】
点灯回路４０の入力端子に供給される交流電力（ＡＣ）は、点灯回路４０により整流されて、直流電力に変換されて、ＬＥＤ１０（１０−１，１０−２）には、その駆動電流が供給されて可視光線などを発する。
【０１４９】
発光ユニットＬＵ１を内蔵（収容）したほぼ球状のグローブ２０と、グローブ２０の底部と電球用口金５０の上部を固定するハウジング６０と、点灯回路４０を内蔵（収容）した電球用口金５０は、一体化されて電球形発光ダイオード（ＬＥＤ）ランプ１２０を構成する。
【０１５０】
電球形発光ダイオード（ＬＥＤ）ランプ１２０の点灯回路４０は、電球形発光ダイオード（ＬＥＤ）ランプ１１０の点灯回路４０と同一である。（図４、図５を参照されたい。）  
【０１５１】
発光ダイオード（ＬＥＤ）ランプ１２０において、第一と第二の光透過性グローブ分割部材２０−１、２０−２の「結合手段」および回路基板１１を光透過性グローブ分割部材２０の内部空間の所定位置に保持する「支持手段」については、発光ダイオード（ＬＥＤ）ランプ１１０の結合手段および支持手段と同一である。（図６、図７を参照されたい。）
【０１５２】
＜本発明の他の実施の形態：実施例３＞  
本発明の他の実施の形態を、図１１ないし図１３に基づいて説明する。
【０１５３】
この一形態において、図１ないし図８１２を参照して記述した本発明の実施の一形態と同様な箇所の記述はできるだけ省略する。（同一箇所には同一な参照符号を付してある。）
【０１５４】
図１１は、ＬＥＤランプ１３０の概略的な分解斜視図である。
【０１５５】
図１２は、ＬＥＤランプ１３０の概略的な斜視図である。
【０１５６】
図１３は、図１２１４のＣ−Ｃ’線に沿って切断したＬＥＤランプ１３０の概略的な断面図である。
【０１５７】
図１１ないし図１３に示すように、ＬＥＤランプ１３０は、両面プリント回路基板１１と、回路基板１１の両面のそれぞれに実装された少なくとも一つのＬＥＤ１０−１、１０−２と、第一および第二の光透過性グローブ分割部材分割部材２０−１、２０’−２を備える。
【０１５８】
図１１ないし図１３に示すＬＥＤランプ１３０は、最も多く使われている代表的な一般照明用白熱電球と類似またはほぼ同じ外観形状の光透過性グローブを有している。
【０１５９】
ＬＥＤ１０−１、１０−２は、白色などの可視光線Ｌ１−１、Ｌ−２を放射する発光ダイオード（ＬＥＤ）である。
【０１６０】
発光ユニットＬＵ１は、平面的な両面プリント回路基板１１と、その上面に実装された複数の第一のＬＥＤ１０−１と、その下面に実装された複数の複数の第二のＬＥＤ１０−２からなる。
【０１６１】
光透過性グローブ２０−１、２０’−２は、ＰＭＭＡなどのアクリル樹脂（ＡＣ）、ポリスチロール樹脂（ＰＳ）、ポリカーボネート樹脂（ＰＣ）、ポリエチレン・テレフタレート樹脂（ＰＥＴ）などの光透過性樹脂からなることができる。
【０１６２】
光透過性樹脂の替わりに光透過性ガラスを用いてもよい。
【０１６３】
図１１ないし図１３に示すＬＥＤランプ１３０は、最も多く使われている代表的な一般照明用白熱電球と類似またはほぼ同じ外観形状の光透過性グローブを有している。
【０１６４】
第一の光透過性グローブ分割部材２０−１は、第一の円形開口を有するほぼ半円球（ドーム）の形状を有する上部シェル２０−１（第一の分割部材）を備える。
【０１６５】
この実施例のＬＥＤランプ１３０では、図１ないし図３に示すＬＥＤランプ１１０と異なり、第二の光透過性グローブ分割部材分割部材２０’−２は、上部の第二の大円形開口と底部の第三の小円形開口からなり水平方向の直径が大開口から小開口に向かって順次減少する漏斗（ロート）状、円錐状または円錐台形の形状、アルファベット文字のほぼ「Ｓ」またはその鏡文字の曲線形状またはそれと類似の形状を有する錐形殻からなる下部シェル２０’−２（第二の分割部材）を備える。
【０１６６】
ほぼ半球状の第一の光透過性グローブ分割部材２０−１の第一の円形開口の直径と、第二の光透過性グローブ分割部材２０’−２の上部における第二の円形開口の直径はほぼ等しいので、第一の円形開口のリング状部分と第二の円形開口のリング状部分を任意の結合手段により結合して一体化することにより一般照明用白熱電球と類似またはほぼ同じ外観形状を有するシェル形グローブ（２０−１および２０’−２とすることができる。
【０１６７】
グローブ２０−１、２０’−２が囲むほぼ球状の内部空間内のほぼ中央箇所にＬＥＤ１０−１、１０−２を実装した両面プリント回路基板１１が収容されている。
【０１６８】
図１３に示すように、両面プリント回路基板１１は、グローブ２０−１、２０’−２の中央の内径よりもわずかに小さな直径を有する円盤状プリント回路基板とするのが望ましい。
【０１６９】
円盤（ディスク）状の両面プリント回路基板１１は、その円周部分（リング状周縁部またはその近辺）をグローブ２０−１、２０’−２のリング状の結合個所の近辺の内面に、部分的または全面的に接着、溶着などの結合手段によりグローブ２０−１、２０’−２に結合することができる。
【０１７０】
円錐形、多角錐形などの錐形反射鏡６３の底部を、下部シェル２０’−２の開口箇所に固定して配置するのが望ましい。
【０１７１】
下部シェル２０’−２は、その底部（小口径部）が保持部材６２の上部と固定され、点灯回路４０を保持部材６２の底部は電球形口金５０に固定され、全体が一体化されて、周知の電球用ソケットと着脱自在の電球形ＬＥＤランプとなる。
【０１７２】
点灯回路４０の入力側において、口金５０のネジ部の給電端子５０ａと底部の給電端子５０ｂに一対の電線１３により電気的接続される。
【０１７３】
点灯回路４０の出力電力は、電線１２、１２’により両面プリント回路基板１１を経由して、ＬＥＤ１０−１、１０−２に供給される。
【０１７４】
回路基板１１の上面１１−１に実装された第一のＬＥＤ１０−１から発する白色などの可視光線Ｌ１−１（矢印付き実線で示す）は、第一の光透過性グローブ分割部材２０−１から出射して第一の照明光線Ｌ２−１となる。
【０１７５】
回路基板１１の下面１１−２に実装された第二のＬＥＤ１０−２から発する白色などの可視光線Ｌ１−２（矢印付き実線で示す）は、第二の光透過性グローブ分割部材２０−１から出射して第一の照明光線Ｌ２−２となる。
【０１７６】
これによりＬＥＤランプ１３０は、一般照明用白熱電球と同様に、光透過性グローブ２０の頂部から口金の上部までの全面から照明用光線（Ｌ１−１およびＬ２−２）を出射できる。
【０１７７】
電球形発光ダイオード（ＬＥＤ）ランプ１２０の点灯回路４０は、電球形発光ダイオード（ＬＥＤ）ランプ１１０の点灯回路４０と同一である。（図４、図５を参照されたい。）  
【０１７８】
発光ダイオード（ＬＥＤ）ランプ１２０において、第一と第二の光透過性グローブ分割部材２０−１、２０−２の「結合手段」および回路基板１１を光透過性グローブ分割部材２０の内部空間の所定位置に保持する「支持手段」については、発光ダイオード（ＬＥＤ）ランプ１１０の結合手段および支持手段と同一である。（図６、図７を参照されたい。）
【０１７９】
＜本発明の他の実施の形態：実施例４＞  
本発明の他の実施の形態を、図１４ないし図１６に基づいて説明する。
【０１８０】
図１４は、ＬＥＤランプ１４０の概略的な分解斜視図である。
【０１８１】
図１５は、ＬＥＤランプ１４０の概略的な斜視図である。
【０１８２】
図１６は、図１４のＤ−Ｄ’線に沿って切断したＬＥＤランプ１４０の概略的な断面図である。
【０１８３】
図１４ないし図１６に示すように、ＬＥＤランプ１４０は、少なくとも一つの可視光形ＬＥＤ１０を有する発光ユニットＬＵ１と、光透過性グローブ２０Ａを備え、発光ユニットＬＵ１が光透過性グローブ２０Ａの内部空間に収容されている。
【０１８４】
発光ユニットＬＵ１は、両面プリント回路基板１１の両面（１１−１、１１−２）のそれぞれに、少なくとも一つの可視光形ＬＥＤ１０−１、１０−２が実装されている。
【０１８５】
光透過性グローブ２０Ａは、ほぼ半円球形の第一の光透過性グローブ分割部材２０−１とほぼ半円球形とほぼ「Ｓ」字形の曲面を有するほぼ円錐形またはほぼ円錐台形の第二の光透過性グローブ分割部材２０−１、２０’−２）を結合して一体化したものである。
【０１８６】
図１４ないし図１６に示すように、このＬＥＤランプ１４０は最も多く使われている代表的な一般照明用白熱電球と光透過性グローブが類似またはほぼ同じ外観形状を有している。
【０１８７】
本特許請求の範囲および本明細書において、用語「両面プリント回路基板」は、（ａ）一つの絶縁基板または両面を絶縁化した金属基板からなる基板の両面に導電配線からなる回路を有する通常の両面プリント回路基板、（ｂ）片面に回路を有する通常の二つの片面プリント回路基板を積層一体化して実質的に両面プリント回路基板および（ｃ）通常の二つの片面プリント回路基板を熱伝導基板を介在して積層一体化した実質的な両面プリント回路基板から選択できる。
【０１８８】
可視光形ＬＥＤ１０（１０−１、１０−２）は、白色光線などからなる可視光線Ｌ１−１、Ｌ１−２を放射する発光ダイオード（ＬＥＤ）からなる。
【０１８９】
ほぼ平面的な両面プリント回路基板１１の上面１１−１の配線パターンの所定箇所に複数の第一のＬＥＤ１０−１が実装され、その下面１１−２の配線パターンの所定箇所に複数の第二のＬＥＤ１０−２が実装されている。
【０１９０】
光透過性グローブ分割部材２０−１、２０’−２は、ＰＭＭＡなどのアクリル樹脂（ＡＣ）、ポリスチロール樹脂（ＰＳ）、ポリカーボネート樹脂（ＰＣ）、ポリエチレン・テレフタレート樹脂（ＰＥＴ）などの光透過性樹脂からなることができる。
【０１９１】
光透過性樹脂の替わりに光透過性ガラスを用いてもよい。
【０１９２】
第一の光透過性グローブ分割部材２０−１は、ほぼ円形の第一の開口を有するほぼ半円球（ドーム）の形状を有する上部シェル（殻）からなる。
【０１９３】
第二の光透過性グローブ分割部材２０’−２は、図１４ないし図１６に示すように、水平方向の直径（口径）が、上記第一の開口と対向する最上部のほぼ円形の第二の開口（最大口径）から最下部（底部）のほぼ円形の第三の開口（最小口径）に向かって順次減少する、漏斗（ロート）状、円錐台状の形状、アルファベット文字のほぼ「Ｓ」形またはその鏡文字の曲線形状またはそれと類似の形状を有する錐形台殻からなる下部シェル２０’−２を備えることができる。
【０１９４】
第一の光透過性グローブ分割部材２０−１の第一の円形開口の直径と第二の光透過性グローブ分割部材２０’−２の第二の円形開口の直径はほぼ等しいので、第一の円形開口のリング状部分と第二の円形開口のリング状部分を任意の結合手段により結合して一体化することにより、全体として一般照明用白熱電球と類似またはほぼ同じ外観形状を有するシェル形グローブ２０Ａとすることができる。
【０１９５】
図１６に示すように、両面プリント回路基板１１は、第一および第二のグローブ分割部材２０−１、２０’−２の結合部（グローブ２０Ａの最大口径部）の内径よりもわずかに小さな直径を有する円盤（円板）状プリント回路基板とすることができる。
【０１９６】
シェル形グローブ２０Ａが囲むほぼ球状殻部分の内部空間内における第一および第二のグローブ分割部材２０−１、２０’−２の結合部の近辺にＬＥＤ１０を実装した発光ユニットＬＵ１の回路基板１１を収容するときには、限定された上記内部空間に面積を最大化した回路基板１１を配置することができる。それにより最大数および、または高輝度のＬＥＤ１０を回路基板１１に実装した発光ユニットＬＵ１をシェル形グローブ２０Ａの内部空間に設けることができることになる。
【０１９７】
中空支持部材（中空支柱）など支持部材（支柱）６５は、第二の光透過性グローブ分割部材２０’−２の最下部（底部）のほぼ円形の第三の開口（最小口径）付近からほぼ垂直に延長され、その頂部がプリント回路基板１１に固定される。それによりプリント回路基板１１はグローブ２０の内部空間の所定位置にほぼ水平に支持される。
【０１９８】
中空支持部材６５があるために、プリント回路基板１１の周縁をグローブ２０に固定しなくてもよい。
【０１９９】
プリント回路基板１１の周縁とグローブ２０の内面との離間距離が非常に近い場合には、ＬＥＤランプ１４０が輸送中または地震などによる振動により中空支持部材６５がゆれてプリント回路基板１１とグローブ２０がぶつかりグローブ２０が傷つくか破損する可能性があるために、これを防ぐために図６、図７に示した支持手段（６８など）によりプリント回路基板１１の周縁をグローブ２０に固定してもよい。
【０２００】
少なくとも一つの中空支持部材６５は、プリント回路基板１１をグローブ２０の内部空間の所定位置にほぼ水平に支持するとともに、プリント回路基板１１の両面に実装したＬＥＤ１０−１、１０−２に電力を供給する一対の電線１２’を収容する上下に連通する貫通孔６５ｂを有する中空パイプ状からなる管状部材６５ａと、管状部材６５ａの両端に設けた貫通孔付の円盤などの板状部材６５ｃ、６５ｄからなる。
【０２０１】
中空支持部材６５は、その下部の板状部材６５ｃにより保持部材６２に立設され、両面プリント回路基板１１の下面のほぼ中心まで延長される。
【０２０２】
中空支持部材６５の上端に設けた板状部材６５ｄは両面プリント回路基板１１−１の下面に固定され、両面プリント回路基板１１は中空支持部材６５によってグローブ２０で囲まれた内部空間の所定位置にほぼ水平に保持される。
【０２０３】
グローブ２０の最大内径と対応する箇所に両面プリント回路基板１１をほぼ水平に支持するときには、限られたスペースで最大面積の回路基板１１を用いることができるので、ＬＥＤ１０の実装個数を増大でき、または比較的に広い実装面積を必要とする高出力、高輝度のＬＥＤ１０を実装できる利点がある。
【０２０４】
口金５０の内部空洞にＬＥＤ１０−１、１０−２を点灯する点灯回路４０が収納され、口金５０の電極端子５０ａ、５０ｂと、点灯回路４０の入力端子が、導電リード線１３により電気的接続される。
【０２０５】
点灯回路４０の入力側において、口金５０のネジ部の給電端子５０ａと底部の給電端子５０ｂに一対の電線１３により電気的接続される。
【０２０６】
点灯回路４０の出力電力は、電線１２、１２’により両面プリント回路基板１１を経由して、ＬＥＤ１０−１、１０−２に供給される。
【０２０７】
点灯回路４０の出力端子と両面プリント回路基板１１は、中空支持部材６５の中空部分（貫通孔）６５ｂを経由して導電リード電線１２、１２’により電気的接続され、両面プリント回路基板１１の上面と下面に配置されたＬＥＤ１０−１、１０−２が点灯される。
【０２０８】
前述の中空支持部材（中空支柱）６５の替わりに、中空部分（貫通孔）６５ｂを有しない中実支持部材（中実支柱）を用いてもよく、この場合には導電リード電線ははグローブ内の中実支持部材（中実支柱）の外部に設け、また前述の中空支持部材（中空支柱）６５を省略して、導電リード電線１２および１２’を棒状の二本の導電性棒部材とし、二本を離隔させて導電リード電線１２および１２’を兼ねる回路基板１１の支持部材とすることができる。
【０２０９】
両面プリント回路基板１１（１１−１、１１−２）とＬＥＤ１０（１０−１、１０−２）からなる発光ユニットＬＵ１は、ＬＥＤ１０−１、１０−２からの発光光線が上部グローブ分割部材２０−１と下部グローブ分割部材２０’−２の両方の内面に指向するように配置されている。
【０２１０】
図１６に示すように、回路基板１１の上面１１−１に配置されたＬＥＤ１０−１から放射される可視光線Ｌ１−１は上部グローブ分割部材２０−１を透過して外部に出射されて照明光線Ｌ２−１となる。
【０２１１】
また、回路基板１１の下面１１−２に配置されたＬＥＤ１０−２から放射される可視光線Ｌ１−２は下部グローブ分割部材２０−２を透過して外部に出射されて照明光線Ｌ２−２となる。
【０２１２】
したがってこのＬＥＤランプ１４０は、最も多く使われている代表的な一般照明用白熱電球と同様に、光透過性グローブ２０の全面から照明光線Ｌ２−１およびＬ２−２を出射できる。
【０２１３】
光透過性グローブ２０が無色透明材料からなる場合には、予めその内面に白色顔料などの光散乱性粒子を含む白色塗料などの散乱性塗料を塗布して光散乱層を形成して散乱性グローブとすることにより、ＬＥＤランプ１４０のＬＥＤ  １０からの指向性を有する可視光線をグローブで多方向に散乱させ、均一な照明光線とすることができる。
【０２１４】
光透過性グローブ２０の内面に散乱層を形成する替わりに、光透過性グローブの透明素材に予め光散乱性粒子を分散させて散乱性グローブとしてもよく、上述と同様にＬＥＤ  １０からの指向性を有する可視光線をグローブで多方向に散乱させ、均一な照明光線とすることができる。
【０２１５】
上述のように、ａ）半球状の分割グローブ２０−１と、ほぼロート（漏斗）状の分割グローブ２０’−２とは結合して一体化されて統合グローブとなり、ｂ）統合グローブ２０−１および２０’−２が囲む内部空間（空洞）内に、中空支持部材６５と中空支持部材６５により保持された発光ユニット（１０−１、１０−２および１１−１）が内蔵され、ｃ）口金５０の空洞内に点灯回路４０が内蔵され、これらの部材が一体化されて電球形ＬＥＤランプ１４０を構成する。
【０２１６】
下部シェル２０’−２は、その底部（小口径部）が保持部材６２の上部と固定され、点灯回路４０を保持部材６２の底部は電球形口金５０に固定され、全体が一体化されて、周知の電球用ソケットと着脱自在の電球形ＬＥＤランプ１４０となる。
【０２１７】
前述の実施例１ないし実施例４におけるＬＥＤランプ１１０、１２０、１３０、１４０およびこれらを用いた電球形ＬＥＤランプでは、白色光線を発する可視形ＬＥＤ１０または青色、緑色および赤色を発する三原色ＬＥＤ１０を両面回路基板１１に実装（搭載）した発光ユニットＬＵ１を用いて、白色光線または三原色の混色による疑似白色光線をグローブ２０から出射させて、ほぼ白色の照明光線を得ている。
【０２１８】
これらと異なり、以下に述べる実施例５ないし実施例８におけるＬＥＤランプ１５０、１６０、１７０、１８０およびこれらを用いた電球形ＬＥＤランプでは、光透過性グローブの内面に蛍光体を含む蛍光体膜を形成して配置し、この蛍光体を励起して可視光線に変換する青色／紫色光線を発光する青色／紫色形ＬＥＤまたは紫外線を発光する紫外形ＬＥＤを用いている。
【０２１９】
＜本発明の他の実施の形態：実施例５ないし実施例８＞
【０２２０】
（実施例５）  図１７の概略断面図で示す実施例５のＬＥＤランプ１５０は、図１３ないし図３７を参照して記述した実施例１のＬＥＤランプ１１０の一変形である。
【０２２１】
（実施例６）図１８の概略断面図で示す実施例６のＬＥＤランプ１６０は、図８ないし図１０を参照して記述した実施例２のＬＥＤランプ１２０の一変形である。
【０２２２】
（実施例７）図１９の概略断面図で示す実施例７のＬＥＤランプ１７０は、図１１ないし図１３を参照して記述した実施例３のＬＥＤランプ１３０の一変形である。
【０２２３】
（実施例８）図２０の概略断面図で示す実施例８のＬＥＤランプ１８０は、図１４ないし図１６を参照して記述した実施例４のＬＥＤランプ１４０の一変形である。
【０２２４】
したがって、実施例５ないし実施例８の記述において実施例１ないし実施例４と共通事項、共通点はできるだけ省略する。（同一部分、同一構成要素には同一参照符号を付している。）
【０２２５】
実施例５ないし実施例８を、図１７ないし図２０を参照して記載する。
【０２２６】
図１７ないし図２０において、参照符号９６を付した箇所は、参照符号９５を付した箇所を拡大した概略拡大断面図であり、光透過性グローブ２０（または２０Ａ）の内面に形成、配置した蛍光膜３０を示すものである。
【０２２７】
＜（Ａ）：黄色蛍光体と青色／紫色形ＬＥＤの組み合わせ＞
黄色蛍光体と青色／紫色形ＬＥＤを組み合わせることにより、白色発光ＬＥＤランプ１５０、１６０、１７０、１８０とすることができる。
【０２２８】
図１７ないし図２０に示すように、ＬＥＤランプ１５０、１６０、１７０、１８０は、複数の青色／紫色形発光ダイオード（ＬＥＤ）１０（１０−１、１０−２）を両面回路基板１１（１１−１、１１−２）の両面に実装した発光ユニットＬＵ１と、光透過性を有する第一の分割部材２０−１および光透過性を有する第二の分割部材２０−２（または２０‘−２）を結合したシェル（殻）を有する光透過性グローブ２０（または２０Ａ）からなり、発光ユニットＬＵ１が光透過性グローブ２０（または２０Ａ）の内部空間に内蔵されたものである。
【０２２９】
青色／紫色形発光ダイオード（ＬＥＤ）は、例えば豊田合成株式会社、日亜化学工業株式会社などから入手できる。
【０２３０】
光透過性グローブ２０（または２０Ａ）の一部９５を拡大した断面図（参照符号９６）に示すように、光透過性グローブ２０（または２０Ａ）の内面に全面的または部分的に黄色蛍光体３０（３０−１、３０−２）を配置している。
【０２３１】
黄色蛍光体３０は、光透過性グローブ２０（または２０Ａ）の内面に形成した複数の黄色蛍光体粒子３０ａを光透過性を有する有機または無機バインダーなどの結合剤３０ｂに分散した黄色蛍光体膜（層）３０からなることができる。
【０２３２】
青色／紫色形発光ダイオード（ＬＥＤ）１０（１０−１、１０−２）から放射する青色／紫色光線の一部は黄色蛍光体膜（層）３０に吸収され、黄色光線に変換されて、光透過性グローブ２０（または２０Ａ）を透過する。
【０２３３】
青色／紫色形発光ダイオード（ＬＥＤ）１０（１０−１、１０−２）から放射する青色／紫色光線の他の一部は黄色蛍光体膜（層）３０と、光透過性グローブ２０（または２０Ａ）を透過する。
【０２３４】
光透過性グローブ２０（または２０Ａ）を透過した黄色光線と青色／紫色光線は光透過性グローブ２０（または２０Ａ）の外部に出射されて黄色光線と青色／紫色光線の混合したほぼ白色の擬似白色光線からなる照明光線となる。
【０２３５】
ＬＥＤランプ１５０、１６０、１７０、１８０は、更に前記ＬＥＤを点灯する点灯回路４０と、電球形口金５０を備えることにより、周知のボール形白熱電球と類似、相似のボール・電球形ＬＥＤランプを提供する。
【０２３６】
＜（Ｂ）：白色／三原色蛍光体と紫外形ＬＥＤの組み合わせ＞
上記（Ａ）の替わりに、白色／三原色蛍光体と紫外形ＬＥＤを組み合わせることにより、白色発光ＬＥＤランプ１５０、１６０、１７０、１８０とすることができる。
【０２３７】
図１７ないし図２０に示すように、に示すように、ＬＥＤランプ１５０、１６０、１７０、１８０は、複数の紫外形発光ダイオード（ＬＥＤ）１０（１０−１、１０−２）を両面回路基板１１（１１−１、１１−２）の両面に実装した発光ユニットＬＵ１と、光透過性を有するほぼ半球形の第一の分割部材２０−１および光透過性を有するほぼ半球形の第二の分割部材２０−２（または２０‘−２）を結合しほぼ球形シェル（殻）を有する光透過性グローブ２０（または２０Ａ）からなり、発光ユニットＬＵ１が光透過性グローブ２０（または２０Ａ）の内部空間に内蔵されたものである。
【０２３８】
紫外形発光ダイオード（ＬＥＤ）は、例えば日亜化学工業株式会社、ナイトライド・セミコンダクター株式会社などから入手できる。
【０２３９】
光透過性グローブ２０（または２０Ａ）の一部９５を拡大した断面図（参照符号９６）に示すように、透過性グローブ２０（または２０Ａ）の内面に全面的または部分的に白色／三原色蛍光体３０（３０−１、３０−２）を配置している。
【０２４０】
白色蛍光体３０は、光透過性グローブ２０（または２０Ａ）の内面に形成した紫外光線を吸収して白色光線に波長変換する複数の白色蛍光体粒子３０ａを光透過性を有する有機または無機バインダーなどの結合剤３０ｂに分散した白色蛍光体膜（層）３０からなることができる。
【０２４１】
三原色蛍光体３０は、光透過性グローブ２０（または２０Ａ）の内面に形成した紫外光線を吸収して青色、緑色および赤色からなる三原色可視光線に波長変換する複数の三原色蛍光体粒子３０ａの混合体を光透過性を有する有機または無機バインダーなどの結合剤３０ｂに分散した三原色蛍光体膜（層）３０からなることができる
【０２４２】
紫外形発光ダイオード（ＬＥＤ）１０（１０−１、１０−２）から放射する紫外光線はほぼすべてが三原色蛍光体膜（層）３０に吸収され、青色、緑色および赤色からなる三原色可視光線に変換されて、光透過性グローブ２０（または２０Ａ）を透過し、三原色可視光線の混合したほぼ白色の擬似白色光線からなる照明光線となる。
【０２４３】
ＬＥＤランプ１５０、１６０、１７０、１８０は、更に前記ＬＥＤを点灯する点灯回路４０と、電球形口金５０を備えることにより、周知のボール形白熱電球と類似、相似のボール・電球形ＬＥＤランプを提供する。
【０２４４】
＜（Ｃ）：黄色蛍光体および青色蛍光体と紫外形ＬＥＤの組み合わせ＞
上記（Ａ）、上記（Ｂ）の替わりに、黄色蛍光体および青色蛍光体と紫外形ＬＥＤを組み合わせることにより、白色発光ＬＥＤランプ１５０、１６０、１７０、１８０とすることができる。
【０２４５】
図１７ないし図２０に示すように、に示すように、ＬＥＤランプ１５０、１６０、１７０、１８０は、複数の紫外形発光ダイオード（ＬＥＤ）１０（１０−１、１０−２）を両面回路基板１１（１１−１、１１−２）の両面に実装した発光ユニットＬＵ１と、光透過性を有するほぼ半球形の第一の分割部材２０−１および光透過性を有するほぼ半球形の第二の分割部材２０−２（または２０‘−２）を結合しほぼ球形シェル（殻）を有する光透過性グローブ２０（または２０Ａ）からなり、発光ユニットＬＵ１が光透過性グローブ２０（または２０Ａ）の内部空間に内蔵されたものである。
【０２４６】
紫外形発光ダイオード（ＬＥＤ）は、例えば日亜化学工業株式会社、ナイトライド・セミコンダクター株式会社などから入手できる。
【０２４７】
光透過性グローブ２０（または２０Ａ）の一部９５を拡大した断面図（参照符号９６）に示すように、
光透過性グローブ２０（または２０Ａ）の内面に全面的または部分的に黄色蛍光体および青色蛍光体３０（３０−１、３０−２）を配置している。
【０２４８】
黄色蛍光体および青色蛍光体３０は、光透過性グローブ２０（または２０Ａ）の内面に形成した複数の黄色蛍光体および複数の青色蛍光体からなる二種類の蛍光体粒子３０ａの混合体を光透過性を有する有機または無機バインダーなどの結合剤３０ｂに分散した黄色、青色混合蛍光体膜（層）３０からなることができる。
【０２４９】
その替わりに、光透過性グローブ２０（または２０Ａ）の内面に、複数の黄色蛍光体粒子を光透過性を有する有機または無機バインダーなどの結合剤に分散した黄色蛍光体膜（層）と、青色蛍光体粒子を光透過性を有する有機または無機バインダーなどの結合剤に分散した青色蛍光体膜（層）を任意の順序で積層して二層型蛍光体膜（層）としてもよい。
【０２５０】
紫外形発光ダイオード（ＬＥＤ）１０（１０−１、１０−２）から放射する紫外光線の一部は黄色、青色混合蛍光体膜（層）３０または二層型蛍光体膜（層）の黄色および青色蛍光体に吸収され、黄色光線および青色光線に変換されて、光透過性グローブ２０（または２０Ａ）を透過する。
【０２５１】
黄色、青色混合蛍光体膜（層）３０または二層型蛍光体膜（層）の青色蛍光体で変換された青色光線は、その一部が再び黄色蛍光体で黄色光線に変換され、またその一部が光透過性グローブ２０（または２０Ａ）を透過する。
【０２５２】
光透過性グローブ２０（または２０Ａ）を透過した黄色光線と青色光線は光透過性グローブ２０（または２０Ａ）の外部に出射されて黄色光線と青色光線の混合したほぼ白色の擬似白色光線からなる照明光線となる。
【０２５３】
ＬＥＤランプ１５０、１６０、１７０、１８０は、更に前記ＬＥＤを点灯する点灯回路４０と、電球形口金５０を備えることにより、周知の白熱電球と類似、相似の形状を有し、白熱電球用ソケットに着脱でき、白熱電球と互換性のある電球形ＬＥＤランプを提供できる。
【０２５４】
前述の実施例１ないし実施例４におけるＬＥＤランプ１１０、１２０、１３０、１４０およびこれらを用いた電球形ＬＥＤランプでは、白色光線を発する可視形ＬＥＤ１０または青色、緑色および赤色を発する三原色ＬＥＤ１０を両面回路基板１１に実装（搭載）した発光ユニットＬＵ１を用いて、白色光線または三原色の混色による疑似白色光線をグローブ２０から出射させて、ほぼ白色の照明光線を得ている。
【０２５５】
これらと異なり、以下に述べる実施例５ないし実施例８におけるＬＥＤランプ１９０、２００、２１０、２２０およびこれらを用いた電球形ＬＥＤランプでは、青色／紫色光線を発光する青色／紫色形ＬＥＤ１０または紫外線を発光する紫外形ＬＥＤ１０を両面回路基板１１に実装（搭載）した発光ユニットＬＵ１と、光透過性グローブ２０の内部に複数の蛍光体粒子３０≡を分散して配置した黄色蛍光体、白色または三原色蛍光体または黄色および青色蛍光体からなる蛍光体を含有する蛍光性／光透過性グローブとの組み合わせを用い、前記蛍光体がＬＥＤ１０からの短波長光線を吸収して可視光線に変換され、白色光線または黄色および青色光線の混色光線、三原色の混色光線による疑似白色光線をグローブ２０から出射させて、ほぼ白色の照明光線を得ている。
【０２５６】
＜本発明の他の実施の形態：実施例９ないし実施例１２＞
【０２５７】
（実施例９）図２１の概略断面図で示す実施例９のＬＥＤランプ１９０は、図１ないし図３を参照して記述した実施例１のＬＥＤランプ１１０の一変形である。
【０２５８】
（実施例１０）図２２の概略断面図で示す実施例１０のＬＥＤランプ２００は、図８ないし図１０を参照して記述した実施例２のＬＥＤランプ１２０の一変形である。
【０２５９】
（実施例１１）図２３の概略断面図で示す実施例１１のＬＥＤランプ２１０は、図１１ないし図１３を参照して記述した実施例３のＬＥＤランプ１３０の一変形である。
【０２６０】
（実施例１２）図２４の概略断面図で示す実施例１２のＬＥＤランプ２２０は、図１４ないし図１６を参照して記述した実施例４のＬＥＤランプ１４０の一変形である。
【０２６１】
したがって、実施例９ないし実施例１２の記述において実施例１ないし実施例４と共通事項、共通点はできるだけ省略する。（同一部分、同一構成要素には同一参照符号を付している。）
【０２６２】
実施例９ないし実施例１２を、図２１ないし図２４を参照して記載する。
【０２６３】
図２１ないし図２４において、参照符号９８を付した箇所は、参照符号９７を付した箇所を拡大した概略拡大断面図であり、光透過性グローブ２０の内部に蛍光体粒子３０’を分散して含有した光透過性／蛍光性グローブ（蛍光体含有光透過性グローブ）２０”または２０”Ａ（２０”−１および２０”−２）を示すものである。
【０２６４】
＜（Ｄ）：黄色蛍光体と青色／紫色形ＬＥＤの組み合わせ＞
次に示すように黄色蛍光体と青色／紫色形ＬＥＤを組み合わせることにより、白色発光ＬＥＤランプ１９０，２００，２１０，２２０とすることができる。
【０２６５】
図２１ないし図２４に示すように、ＬＥＤランプ１９０，２００，２１０，２２０は、複数の青色／紫色形発光ダイオード（ＬＥＤ）１０（１０−１、１０−２）を両面回路基板１１（１１−１、１１−２）の両面に実装した発光ユニットＬＵ１と、蛍光性／光透過性を有する第一の分割部材２０”−１および蛍光性／光透過性を有する第二の分割部材２０“−２を結合したシェル（殻）を有する蛍光性／光透過性グローブ２０”、２０”Ａからなり、発光ユニットＬＵ１が蛍光性／光透過性グローブ２０”、２０”Ａの内部空間に内蔵される。
【０２６６】
青色／紫色形発光ダイオード（ＬＥＤ）は、例えば豊田合成株式会社、日亜化学工業株式会社などから入手できる。
【０２６７】
蛍光性／光透過性グローブ２０”、２０”Ａの一部９５を拡大した断面図（参照符号９８）に示すように、光透過性グローブ２０の内部に複数の黄色蛍光体粒子３０’を分散して含有、配置している。
【０２６８】
青色／紫色形発光ダイオード（ＬＥＤ）１０（１０−１、１０−２）から放射する青色／紫色光線の一部は蛍光性／光透過性グローブ２０“、２０”Ａ内の黄色蛍光体粒子３０’に吸収され、黄色光線に変換されて、蛍光性／光透過性グローブ２０“、２０”Ａを透過する。
【０２６９】
青色／紫色形発光ダイオード（ＬＥＤ）１０（１０−１、１０−２）から放射する青色／紫色光線の他の一部は蛍光性／光透過性グローブ２０“、２０”Ａを透過する。
【０２７０】
蛍光性／光透過性グローブ２０“、２０”Ａを透過した黄色光線と青色／紫色光線は蛍光性／光透過性グローブ２０“、２０”Ａの外部に出射されて黄色光線と青色／紫色光線の混合したほぼ白色の擬似白色光線からなる照明光線となる。
【０２７１】
ＬＥＤランプ１９０，２００，２１０，２２０は、更に前記ＬＥＤを点灯する点灯回路４０と、電球形口金５０を備えることにより、周知の白熱電球と類似、相似の形状を有し、白熱電球用ソケットに着脱でき、白熱電球と互換性のある電球形ＬＥＤランプを提供できる。
【０２７２】
＜（Ｅ）：白色／三原色蛍光体と紫外形ＬＥＤの組み合わせ＞
上記（Ｄ）の替わりに、白色／三原色蛍光体と紫外形ＬＥＤを組み合わせることにより、白色発光ＬＥＤランプ１９０，２００，２１０，２２０とすることができる。
【０２７３】
図２１ないし図２４に示すように、に示すように、ＬＥＤランプ１９０，２００，２１０，２２０は、複数の紫外形発光ダイオード（ＬＥＤ）１０（１０−１、１０−２）を両面回路基板１１（１１−１、１１−２）の両面に実装した発光ユニットＬＵ１と、蛍光性／光透過性を有するほぼ半球形の第一の分割部材２０”−１および蛍光性／光透過性を有するほぼ半球形部分を有する第二の分割部材２０”−２を結合しほぼ球形シェル（殻）を有する蛍光性／光透過性グローブ２０”、２０”Ａからなり、発光ユニットＬＵ１が蛍光性／光透過性グローブ２０”、２０”Ａの内部空間に内蔵されたものである。
【０２７４】
紫外形発光ダイオード（ＬＥＤ）は、例えば日亜化学工業株式会社、ナイトライド・セミコンダクター株式会社などから入手できる。
【０２７５】
蛍光性／光透過性グローブ２０”、２０”Ａの一部９７を拡大した断面図（参照符号９８）に示すように、透過性グローブ２０の内部に複数の白色／三原色蛍光体粒子３０’を分散して配置している。
【０２７６】
紫外形発光ダイオード（ＬＥＤ）１０（１０−１、１０−２）から放射する多くの紫外光線は蛍光性／光透過性グローブ２０”、２０”Ａ内に分散されて含有、配置された白色または三原色蛍光体粒子３０’に吸収され、白色光線または青色、緑色および赤色からなる三原色可視光線に変換されて、蛍光性／光透過性グローブ２０”、２０”Ａを透過し、白色光線または三原色可視光線の混合したほぼ白色の擬似白色光線からなる照明光線となる。
【０２７７】
上記紫外光線の一部が蛍光性／光透過性グローブ２０”、２０”Ａを透過して外部に出射されるのを防止するために、蛍光性／光透過性グローブ２０”、２０”Ａの外面に可視光線を透過し、紫外線を遮断する紫外線遮蔽膜（選択透過膜）（図示せず）を設けるのが望ましい。
【０２７８】
この紫外線遮蔽膜（選択透過膜）としては、可視光線を透過し、紫外線を吸収して光触媒活性を示す酸化チタンなどの光触媒を含む紫外活性形光触媒膜が挙げられる。
【０２７９】
紫外線遮蔽膜（選択透過膜）として光触媒膜を用いることができ、光触媒分解機能により蛍光性／光透過性グローブ２０”、２０”Ａの外面に付着した汚れを分解してセルフ・クリーニングし、ＬＥＤランプ１９０，２００，２１０，２２０と、これらを用いた電球形ＬＥＤランプのグローブの汚れを防ぎ、汚れによる照度、輝度の低下が長期間にわたって少ない照明を提供できる。
【０２８０】
紫外線遮蔽膜（選択透過膜）として可視光線を透過し、紫外線を反射することができる屈折率の異なる複数の光学膜の積層膜からなるダイクロイック・ミラー膜を用いる場合には、蛍光性／光透過性グローブの外面にまで進行した紫外線を反射して再びグローブ内の蛍光体粒子を励起して再び可視光線に変換されて外部に出射するので、ＬＥＤランプ１９０，２００，２１０，２２０と、これらを用いた電球形ＬＥＤランプの照度、輝度の向上がはかれる。
【０２８１】
ＬＥＤランプ１９０，２００，２１０，２２０は、更に前記ＬＥＤを点灯する点灯回路４０と、電球形口金５０を備えることにより、周知の白熱電球と類似、相似の形状を有し、白熱電球用ソケットに着脱でき、白熱電球と互換性のある電球形ＬＥＤランプを提供できる。
【０２８２】
＜（Ｆ）：黄色蛍光体および青色蛍光体と紫外形ＬＥＤの組み合わせ＞
上記（Ｄ）、（Ｅ）の替わりに、黄色蛍光体および青色蛍光体と紫外形ＬＥＤを組み合わせることにより、白色発光ＬＥＤランプ１９０，２００，２１０，２２０とすることができる。
【０２８３】
図２１ないし図２４に示すように、に示すように、ＬＥＤランプ１９０，２００，２１０，２２０は、複数の紫外形発光ダイオード（ＬＥＤ）１０（１０−１、１０−２）を両面回路基板１１（１１−１、１１−２）の両面に実装した発光ユニットＬＵ１と、蛍光性／光透過性を有するほぼ半球形の第一の分割部材２０“−１および蛍光性／光透過性を有するほぼ半球形の第二の分割部材２０”−２を結合しほぼ球形シェル（殻）を有する蛍光性／光透過性グローブ２０”、２０”Ａからなり、発光ユニットＬＵ１が蛍光性／光透過性グローブ２０”、２０”Ａの内部空間に内蔵されたものである。
【０２８４】
紫外形発光ダイオード（ＬＥＤ）は、例えば日亜化学工業株式会社、ナイトライド・セミコンダクター株式会社などから入手できる。
【０２８５】
蛍光性／光透過性グローブ２０”、２０”Ａの一部９７を拡大した断面図（参照符号９８）に示すように、蛍光性／光透過性グローブ２０”、２０”Ａは、光透過性グローブ２０の内部に複数の黄色蛍光体と青色蛍光体粒子を混合した蛍光体粒子３０’を分散して含有、配置したものである。
【０２８６】
紫外形発光ダイオード（ＬＥＤ）１０（１０−１、１０−２）から放射する紫外光線は、蛍光性／光透過性グローブ２０”、２０”Ａ内の黄色、青色混合蛍光体粒子３０’に吸収され、黄色光線および青色光線に変換されて、蛍光性／光透過性グローブ２０”、２０”Ａを透過する。
【０２８７】
蛍光性／光透過性グローブ２０”、２０”Ａを透過した黄色光線と青色光線はその外部に出射されて黄色光線と青色光線の混合したほぼ白色の擬似白色光線からなる照明光線となる。
【０２８８】
上記紫外光線の一部が蛍光性／光透過性グローブ２０”、２０”Ａを透過して外部に出射されるのを防止するために、蛍光性／光透過性グローブ２０”、２０”Ａの外面に可視光線を透過し、紫外線を遮断する紫外線遮蔽膜（選択透過膜）（図示せず）を設けるのが望ましい。
【０２８９】
ＬＥＤランプ１９０，２００，２１０，２２０は、更に前記ＬＥＤを点灯する点灯回路４０と、電球形口金５０を備えることにより、周知の白熱電球と類似、相似の形状を有し、白熱電球用ソケットに着脱でき、白熱電球と互換性のある電球形ＬＥＤランプを提供できる。
【０２９０】
＜本発明の他の実施の形態：実施例１３＞  
実施例１３を、図２５ないし図２８に基づいて説明する。
【０２９１】
図２５は、ＬＥＤランプ２３０の概略的な分解斜視図である。
【０２９２】
図２６は、ＬＥＤランプ２３０の概略的な斜視図である。
【０２９３】
図２７は、図２６のＥ−Ｅ≡線に沿って切断したＬＥＤランプ２３０の概略的な断面図である。
【０２９４】
図２８は、ＬＥＤランプ２３０の光路を示す概略的な断面図である。
【０２９５】
図２５ないし図２８に示すように、ＬＥＤランプ２３０の発光ユニットＬＵ２は、上面に配線パターンを有する片面プリント回路基板１１≡とその上面に実装された複数のＬＥＤ１０−１を備える。
【０２９６】
すべての複数のＬＥＤ１０−１は、白色光線などの可視光線Ｌ１を放射する発光ダイオードとすることができる。
【０２９７】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０２９８】
光透過性グローブ２０は、アクリル樹脂、ポリカーボネート樹脂などの光透過性樹脂からなることができる。
【０２９９】
光透過性樹脂の替わりに光透過性ガラスを用いてもよい。
【０３００】
光透過性グローブ２０は、下側にほぼ円形などの開口を有するほぼ半円球形の上部シェル形グローブ２０‐１（第一の分割グローブ部材（セグメント））と、上側に上記開口とほぼ同じ直径を有するほぼ円形などの開口を有するほぼ半円球の下部シェル形グローブ２０‐２（第二の分割グローブ部材）とを組み合わせ、全体として下部を欠如したほぼ円球（円欠形）のシェル形グローブとすることができる。
【０３０１】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如したほぼ円球シェル形グローブ２０とすることができる。
【０３０２】
発光ユニットＬＵ（ＬＥＤ１０−１を実装したプリント回路基板１１≡）は、皿状部材６１の上面に固定される。
【０３０３】
下部シェル２０‐２は、その下部の開口（連通孔）近辺において皿状などの保持部材６１の周縁部に固定される。
【０３０４】
図２５ないし図２８に示すように、本実施の形態においては、前述の各種の実施の形態と異なり、全反射面また部分反射面からなるほぼ円盤（円板）状などのほぼ平板形の反射鏡７０が、ほぼ円球シェル形グローブ２０‐１、２０‐２内の空洞に設けられる。
【０３０５】
ほぼ円盤状の反射鏡７０は、ほぼ円球のグローブ２０‐１、２０‐２の中央の内径よりもわずかに小さな直径を有するのが望ましい。
【０３０６】
図２５ないし図２８に示すように、更に、反射鏡７０はそのほぼ中央部にほぼ円形などの開口部に設けるのが望ましく、またその開口部にほぼ円盤状などのほぼ平板形の光拡散部材７１を設けるのが望ましい。
【０３０７】
ほぼ円盤状などのほぼ平板状の反射鏡７０の周縁をほぼ円球のグローブ２０のグローブ分割部材２０‐１、２０‐２の結合個所の近辺に接着、溶着などの支持手段によりシェル形グローブ２０に固定することにより、反射鏡７０はグローブ２０の内部空間のほぼ中央にほぼ水平に支持される。
【０３０８】
ほぼ円盤状などほぼ平板形の反射鏡７０をグローブ２０に保持する具体的な支持手段としては、図６、図７に示した発光ユニットＬＵ１のほぼ円盤状などのほぼ平板形の回路基板１１の各種の支持手段と同じであるのでここでは省略する。（図６、図７の回路基板１１を反射鏡７０に書き換えると、反射鏡７０の支持手段となる。）
【０３０９】
光拡散部材７１は、ほぼ円盤状などほぼ平板形の光透過性部材の内部に複数の光散乱素子を混入したものでよい。
【０３１０】
電球形口金５０が保持部材６１の底部に固定され、口金５０の内部の空洞に点灯回路４０が収納され、全体が一体化されて、周知の白熱電球用ソケットと着脱自在の電球形ＬＥＤランプとなる。
【０３１１】
光路（ライトパス）を示す図２８を参照して、発光ユニットＬＵ２と円盤状の光拡散部材７１を設けた円盤状の反射鏡７０とは、所定距離だけ離隔して配置されて、ＬＥＤ１０−１から放射される白色光線などの可視光線Ｌ１が拡散して円盤上の反射鏡７０と円盤状の光拡散部材７１をほぼ全面的に照射できるようにすることができる。
【０３１２】
プリント回路基板１１≡の中央部の近辺に位置するＬＥＤ１０−１からの可視光線Ｌ１は主として円盤状の光拡散部材７１を照射し、プリント回路基板１１≡の中央部から外側に位置するＬＥＤ１０−１からの可視光線Ｌ１は主として環状、リング状の反射鏡７０を照射する。
【０３１３】
反射鏡７０が全反射鏡の場合には、円盤状の反射鏡７０に到達した可視光線Ｌ１は、反射鏡７０で全反射して下部シェル形グローブ２０‐２を透過して外部に出射して照明光線Ｌ２‐２となる。
【０３１４】
反射鏡７０が半反射鏡（ハーフ・ミラー）の場合には、円盤状の反射鏡７０に到達した可視光線Ｌ１は、一部が反射鏡７０で反射し下部シェル形グローブ２０‐２の方向に進行し、残りの一部が反射鏡７０を透過して上部シェル形グローブ２０‐１の方向に進行する。
【０３１５】
半反射鏡（ハーフ・ミラー）７０の替わりにその上面と下面を連通する多数の貫通孔を設けてもよい。
【０３１６】
下部シェル形グローブ２０‐２の方向に進行した可視光線Ｌ１は外部に出射して照明光線Ｌ２‐２となる。
【０３１７】
上部シェル形グローブ２０‐１の方向に進行した可視光線Ｌ１は、上部シェル形グローブ２０‐１の外部に出射して照明光線Ｌ２‐１となる。
【０３１８】
プリント回路基板１１≡の中央部の近辺に位置するＬＥＤ１０−１からの比可視光線Ｌ１は円盤状の光拡散部材７１において主として上方に拡散されて拡散角を拡大して拡散光線となる。
【０３１９】
この拡散光線は、上部シェル形グローブ２０‐１の方向に進行し外部に出射して照明光線Ｌ２‐１となる。
【０３２０】
上述の記載により明らかなように、図２５ないし図２８に示すＬＥＤランプ２３０、電球形ＬＥＤランプは、複数のＬＥＤ１０−１を上面に実装したプリント回路基板１１≡からなる発光ユニットＬＵ１と、実質的にほぼ球形シェルからなる光透過性グローブ２０（２０‐１、２０‐２）と、円盤状などほぼ平板状の反射鏡７０と円盤状などほぼ平板状の光拡散部材７１を組み合わせることにより、ほぼ球形シェルからなる光透過性グローブ２０のほぼ全面から照明用可視光線Ｌ２‐１、Ｌ２‐２を出射することができる顕著な効果を発揮することができる。
【０３２１】
図２７に示すように、全反射または半透過性の反射鏡７０は、樹脂、ガラスなどの光線透過性を有する円盤などの平板７０ａの下面にアルミニューム、銀、金などの反射性蒸着膜、無電解メッキ膜などの反射性膜７０ｂを形成したものである。
【０３２２】
半透過性の反射鏡７０は、反射性膜７０ｂの反射率および透過率の比率を反射性膜７０ｂの膜厚を可変することにより、任意に調整できる。
【０３２３】
反射鏡７０として、半透過性の反射鏡７０を用いるときには、光拡散部材７１を削除しても良い。
【０３２４】
光拡散部材７１を削除するときには、プリント回路基板１１≡の中央部の近辺に位置するＬＥＤ１０−１からの可視光線Ｌ１は半透過性の反射鏡７０のほぼ中央に位置するほぼ円形の開口（連通孔）を経由して上方に進行し、主として上部シェル形グローブ２０‐１の上部近辺を照射する。
【０３２５】
プリント回路基板１１≡の中央部から外側に位置するＬＥＤ１０−１からの光線Ｌ１は、主として円盤状の半透過性反射鏡７０に到達し、その一部が半透過性反射鏡７０で反射し、主として下部シェル形グローブ２０‐２の側面の方向に進行し、残りの一部が反射鏡７０を透過して上部シェル形グローブ２０‐１の側面の方向に進行する。
【０３２６】
したがって、プリント回路基板１１≡に実装された複数のＬＥＤ１０−１からの光線Ｌ１は、上部および下部シェル形グローブ２０‐１、２０‐２の外部に出射して照明光線Ｌ２‐１、Ｌ２‐２となる。
【０３２７】
＜本発明の他の実施の形態：実施例１４＞  
実施例１４を、図２９ないし図３２に基づいて説明する。
【０３２８】
図２９は、ＬＥＤランプ２４０の概略的な分解斜視図である。
【０３２９】
図３０は、ＬＥＤランプ２４０の概略的な斜視図である。
【０３３０】
図３１は、図３０２６のＧ−Ｇ≡線に沿って切断したＬＥＤランプ２４０の概略的な断面図である。
【０３３１】
図３２は、ＬＥＤランプ２４０の光路を示す概略的な断面図である。
【０３３２】
図２９ないし図３２に示すように、ＬＥＤランプ２４０の発光ユニットＬＵ２は、上面に配線パターンを有する片面プリント回路基板１１≡とその上面に実装された複数のＬＥＤ１０−１を備える。
【０３３３】
すべての複数のＬＥＤ１０−１は、白色光線などの可視光線Ｌ１を放射する発光ダイオードとすることができる。
【０３３４】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０３３５】
光透過性グローブ２０は、アクリル樹脂、ポリカーボネート樹脂などの光透過性樹脂からなることができる。
【０３３６】
光透過性樹脂の替わりに光透過性ガラスを用いてもよい。
【０３３７】
光透過性グローブ２０は、下側にほぼ円形の開口を有するほぼ半円球形の上部シェル形グローブ２０‐１（第一の分割グローブ部材（セグメント））と、上側に上記開口とほぼ同じ直径を有するほぼ円形の開口を有する半円球または半円球欠からなるほぼ半円球の下部シェル形グローブ２０‐２（第二の分割グローブ部材）とを組み合わせ、全体として下部を欠如したほぼ円球（円欠形）のシェル形グローブとすることができる。
【０３３８】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如したほぼ円球シェル形グローブ２０とすることができる。
【０３３９】
発光ユニットＬＵ（ＬＥＤ１０−１を実装したプリント回路基板１１≡）は、皿状部材６１の上面に固定される。
【０３４０】
下部シェル２０‐２は、その下部の開口（連通孔）近辺において皿状などの保持部材６１の周縁部に固定される。
【０３４１】
図２９ないし図３２に示すように、本実施の形態においては、前述の各種の実施の形態と異なり、円錐台状、円錐状などのほぼ錐状の反射鏡７０が、円球欠などのほぼ円球シェル形グローブ２０の空洞（内部空間）に収容されている。
【０３４２】
ほぼ円錐状の反射鏡７２は、ほぼ円錐状の光透過性基板の表面に半透過反射性膜７２ａを形成した半透過反射鏡（ハーフ・ミラー）からなるのが望ましい。
【０３４３】
半透過反射鏡７２の反射率および透過率の比率は、反射性膜７２ａの膜厚を可変することにより、任意に調整できる。
【０３４４】
ほぼ円錐状の反射鏡７２は、ほぼ円錐状の上部に大きな直径を有する第一の円形開口７２ｂと、下部に開口７２ｂの直径よりも小さな直径を有する第二の円形開口７２ｃを備える。
【０３４５】
図２９ないし図３２に示すように、反射鏡７２は、全体としてほぼ「八」、「ハ」字の逆形状の断面を有する。
【０３４６】
ＬＥＤランプ２４０の反射鏡７２は、下部の第二の円形開口７２ｃから上部の第一の円形開口７２ｂに向かって、所定角度で傾斜してほぼ直線状に広がって延在している。
【０３４７】
ほぼ円錐状の反射鏡７２の上部の第一の円形開口（連通孔）７２ｂは、ほぼ円球のグローブ２０（分割グローブ部材２０‐１および２０‐２）の中央の内径よりもわずかに小さな直径を有するのが望ましい。
【０３４８】
反射鏡７２の上部の周縁部は、ほぼ円球シェル形グローブ２０内の空洞におけるほぼ中間部において、グローブ２０の内面に部分的または全面的に固定されて、反射鏡７２はグローブ２０によって支持される。
【０３４９】
円錐状の反射鏡７２の上部開口（連通孔）７２ｂの周縁部の位置は、上部シェル・グローブ２０‐１（第一の分割部材）と、下部シェル・グローブ２０‐２（第二の分割部材）の結合部の近辺とするのが望ましい。
【０３５０】
グローブ２０の内径はグローブ２０の結合個所が最大なので、これにより限られたグローブ２０に収容する反射鏡７２の横方向の幅をほぼ最大とすることができる。
【０３５１】
保持部材６１の底部に電球形口金５０に固定され、口金５０の内部の空洞に点灯回路４０が収納され、全体が一体化されて、周知の電球用ソケットと着脱自在の電球形ＬＥＤランプとなる。
【０３５２】
図３２を参照して、プリント回路基板１１≡の中央部の近辺に位置するＬＥＤ１０−１からの可視光線Ｌ１は、主としてほぼ円錐状の反射鏡７２の下部の小さな開口（連通孔）７２ｃを経由して上部シェル・グローブ２０‐１の方向に光束の角度を広げて進行する。
【０３５３】
その可視光線Ｌ１は、上部シェル・グローブ２０‐１の外部に出射して照明光線Ｌ２‐１となる。
【０３５４】
反射鏡７２が半透過反射鏡の場合には、反射鏡７２に到達した可視光線Ｌ１は、一部が反射鏡７２で反射し下部シェル・グローブ２０‐２の方向に進行し、残りの一部が反射鏡７２を透過して上部シェル・グローブ２０‐１の方向に進行できる。
【０３５５】
下部シェル・グローブ２０‐２の方向に進行した可視光線Ｌ１は、下部シェル・グローブ２０‐２の外部に出射して照明光線Ｌ２‐２となる。
【０３５６】
前述のようにして、この実施例ではグローブ２０の底部に位置する発光ユニットＬＵ２に実装したＬＥＤ１０−１から放射する上方向の発光光線Ｌ１の光束の方向を反射鏡７２で適切に部分的に変換することにより、グローブ２０のほぼ全方向から出射させることができる。
【０３５７】
＜本発明の他の実施の形態：実施例１５＞  
実施例１５は、図２９ないし図３２を参照して記載した実施例１４の一変形である。
【０３５８】
実施例１５を示す図３３は、ＬＥＤランプ２５０とそれを用いた電球形ＬＥＤランプの概略的な断面図である。
【０３５９】
ここでは、主として実施例１４と異なる個所を記載し、実施例１４と同一な個所の記載はできるだけ省略する。
【０３６０】
実施例１４を示す図２９ないし図３２とこの実施例１５を示す図３３において、同一な部材には同一符号を付しているので、両者の同一な個所については実施例１４を参照されたい。
【０３６１】
図３３に示すように、ＬＥＤランプ２５０の発光ユニットＬＵ２は、上面に配線パターンを有する片面プリント回路基板１１≡とその上面に実装された複数のＬＥＤ１０−１を備える。
【０３６２】
すべての複数のＬＥＤ１０−１は、白色光線などの可視光線Ｌ１を放射する発光ダイオードとすることができる。
【０３６３】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０３６４】
光透過性グローブ２０は、下側にほぼ円形の開口を有するほぼ半円球形の上部シェル形グローブ２０‐１（第一の分割グローブ部材（セグメント））と、上側に上記開口とほぼ同じ直径を有するほぼ円形の開口を有する半円球または半円球欠からなるほぼ半円球の下部シェル形グローブ２０‐２（第二の分割グローブ部材）とを組み合わせ、全体として下部を欠如したほぼ円球（円欠形）のシェル形グローブとすることができる。
【０３６５】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如したほぼ円球シェル形グローブ２０とすることができる。
【０３６６】
発光ユニットＬＵ２は、皿状などの保持部材６１の上面に固定される。
【０３６７】
下部シェル２０‐２は、その下部の開口近辺において保持部材６１の周縁部に固定される。
【０３６８】
円錐台状などほぼ円錐状の反射鏡の反射鏡７０が、円球欠などのほぼ円球シェル形グローブ２０の空洞（内部空間）に収容されている。
【０３６９】
ほぼ円錐状の反射鏡７３は、ほぼ円錐状の上部に大きな直径を有する第一の円形開口（連通孔）７３ｂと、下部に開口（連通孔）７３ｂの直径よりも小さな直径を有する第二の円形開口（連通孔）７３ｃを備える。
【０３７０】
反射鏡７３は、全体としてほぼ「八」、「ハ」字の逆形状の断面を有する。
【０３７１】
実施例１４のＬＥＤランプ２４０においては、半透過鏡などの反射鏡７２は、下部の第二の円形開口（連通孔）７２ｃから上部の第一の円形開口（連通孔）７２ｂに向かって、所定角度で傾斜してほぼ直線状に広がって延在している。
【０３７２】
実施例１４のＬＥＤランプ２４０と異なり、実施例１５のＬＥＤランプ２５０においては、半透過鏡などの反射鏡７３は、下部の小さな第二の円形開口（連通孔）７３ｃから上部のより大きな第一の円形開口（連通孔）７３ｂに向かって、弧状、放物線状に曲線を描いて広がって延在している半透過鏡などの反射曲面７３ａを備える。
【０３７３】
第一の円形開口（連通孔）７３ｂは、ほぼ円球のグローブ２０（分割グローブ部材２０‐１および２０‐２）の中央の内径よりもわずかに小さな直径を有するのが望ましい。
【０３７４】
反射鏡７３の上部の周縁部は、ほぼ円球シェル形グローブ２０内の空洞におけるほぼ中間部において、グローブ２０の内面に部分的または全面的に固定されて、反射鏡７３はグローブ２０によって支持される。
【０３７５】
反射鏡７３の上部開口７３ｂの周縁部の位置は、上部シェル・グローブ２０‐１（第一の分割部材）と、下部シェル・グローブ２０‐２（第二の分割部材）の結合部の近辺とするのが望ましい。
【０３７６】
グローブ２０の内径はグローブ２０の結合個所が最大なので、これにより限られたグローブ２０に収容する反射鏡７３の横方向の幅をほぼ最大とすることができる。
【０３７７】
保持部材６１の底部に電球形口金５０に固定され、口金５０の内部の空洞に点灯回路４０が収納され、全体が一体化されて、周知の電球用ソケットと着脱自在の電球形ＬＥＤランプとなる。
【０３７８】
発光ユニットＬＵ２の片面プリント回路基板１１≡の中央部の近辺に位置するＬＥＤ１０−１からの可視光線Ｌ１は、主として弧状、放物線状の反射鏡７３の下部の小さな開口（連通孔）７３ｃから上部のより大きな開口（連通孔）７３ａを経由して上部シェル・グローブ２０‐１の方向に光束の角度を広げて進行する。
【０３７９】
その可視光線Ｌ１は、上部シェル・グローブ２０‐１の外部に出射して照明光線Ｌ２‐１となる。
【０３８０】
反射鏡７３が半透過反射鏡の場合には、弧状、放物線状の反射鏡７３に到達した可視光線Ｌ１は、一部が反射鏡７３の弧状、放物線状反射曲面７３ａで反射し下部シェル・グローブ２０‐２の方向（横方向）に進行し、残りの一部が反射鏡７３を透過して上部シェル・グローブ２０‐１の方向に進行できる。
【０３８１】
下部シェル・グローブ２０‐２の方向に進行した可視光線Ｌ１は、下部シェル・グローブ２０‐２の外部に出射して照明光線Ｌ２‐２となる。
【０３８２】
前述のようにして、この実施例のＬＥＤランプ２５０は、グローブ２０の底部の保持部材６１に配置された発光ユニットＬＵ２に実装したＬＥＤ１０−１から放射する上方向の発光光線Ｌ１の一部の光束の方向を反射鏡７３で横方向に変換することにより、グローブ２０のほぼ全方向から出射させることができる。
【０３８３】
＜本発明の他の実施の形態：実施例１６＞  
実施例１６は、図２９ないし図３２を参照して記載した実施例１４の一変形である。
【０３８４】
図３４は、ＬＥＤランプ２６０とそれを用いた電球形ＬＥＤランプの概略的な断面図である。
【０３８５】
ここでは、主として実施例１４と異なる個所を記載し、実施例１４と同一な個所の記載はできるだけ省略する。
【０３８６】
実施例１４を示す図２９ないし図３２とこの実施例１６を示す図３４において、同一な部材には同一符号を付しているので、両者の同一な個所については実施例１４を参照されたい。
【０３８７】
図３４に示すように、ＬＥＤランプ２６０の発光ユニットＬＵ２は、上面に配線パターンを有する片面プリント回路基板１１≡とその上面に実装された複数のＬＥＤ１０−１を備える。
【０３８８】
すべての複数のＬＥＤ１０−１は、白色光線などの可視光線Ｌ１を放射する発光ダイオードとすることができる。
【０３８９】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０３９０】
光透過性グローブ２０は、下側にほぼ円形の開口を有するほぼ半円球形の上部シェル形グローブ２０‐１（第一の分割グローブ部材（セグメント））と、上側に上記開口とほぼ同じ直径を有するほぼ円形の開口を有する半円球または半円球欠からなるほぼ半円球の下部シェル形グローブ２０‐２（第二の分割グローブ部材）とを組み合わせ、全体として下部を欠如したほぼ円球（円欠形）のシェル形グローブとすることができる。
【０３９１】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如した円球欠などのほぼ円球シェル形グローブ２０とすることができる。
【０３９２】
発光ユニットＬＵ２は、皿状などの保持部材６１の上面に固定される。
【０３９３】
下部シェル２０‐２は、その下部の開口（連通孔）近辺において保持部材６１の周縁部に固定される。
【０３９４】
保持部材６１の底部に電球形口金５０に固定され、口金５０の内部の空洞に点灯回路４０が収納され、全体が一体化されて、周知の電球用ソケットと着脱自在の電球形ＬＥＤランプとなる。
【０３９５】
上部に大口径の開口（連通孔）を、下部に小口径の開口（連通孔）を有するほぼ円錐台状の反射鏡７２が、ほぼ円球シェル形グローブ２０の空洞（内部空間）に収容されている。
【０３９６】
円錐台状の反射鏡７２の上部開口（連通孔）の周縁部の位置は、上部シェル・グローブ２０‐１（第一の分割部材）と、下部シェル・グローブ２０‐２（第二の分割部材）の結合部の近辺とするのが望ましい。
【０３９７】
グローブ２０の内径はグローブ２０の結合個所が最大なので、これにより限られたグローブ２０に収容する反射鏡７２の横方向の幅をほぼ最大とすることができる。
【０３９８】
反射鏡７２は、全体としてほぼ「八」、「ハ」字の逆形状の断面を有する。
【０３９９】
実施例１４のＬＥＤランプ２４０と同様に、実施例１６のＬＥＤランプ２６０では、半透過鏡などの反射鏡７２は、下部の第二の円形開口（連通孔）から上部の第一の円形開口（連通孔）に向かって、所定角度で傾斜してほぼ直線状に広がって延在する半透過鏡などの反射面を備える。
【０４００】
光拡散性円盤７１が反射鏡７２の下方のほぼ円形の開口（連通孔）部に配置され、光拡散性円盤７１の周縁部は反射鏡７２の周縁部に固定される。
【０４０１】
光拡散性円盤７１は、光透過性円盤に光散乱粒子などの複数の光拡散素子を混入したものである。
【０４０２】
発光ユニットＬＵ２の片面プリント回路基板１１≡の中央部の近辺に位置するＬＥＤ１０−１からの可視光線Ｌ１は、光拡散性円盤７１で散乱して透過し、上部シェル・グローブ２０‐１の方向に光束の角度を広げて進行する。
【０４０３】
その可視光線Ｌ１は、上部シェル・グローブ２０‐１の外部に出射して照明光線Ｌ２‐１となる。
【０４０４】
反射鏡７２が半透過反射鏡の場合には、回路基板１１≡の中央部より外側に位置する可視光線Ｌ１は、一部が所定角度の傾斜を有する反射鏡７２の反射面７２ａで反射し下部シェル・グローブ２０‐２の方向（横方向）に進行し、残りの一部が反射鏡７３を透過して上部シェル・グローブ２０‐１の方向に進行できる。
【０４０５】
下部シェル・グローブ２０‐２の方向に進行した可視光線Ｌ１は、下部シェル・グローブ２０‐２の外部に出射して照明光線Ｌ２‐２となる。
【０４０６】
前述のようにして、この実施例のＬＥＤランプ２６０は、グローブ２０の底部に位置する発光ユニットＬＵ２に実装したＬＥＤ１０−１から放射する上方向の可視光線Ｌ１を反射鏡７３で横方向に変換し、また可視光線Ｌ１を光拡散性円盤７１で散乱させて上方向に向かう光拡散角度を増大することにより、可視光線Ｌ１をグローブ２０のほぼ全方向から出射させることができる。
【０４０７】
＜本発明の他の実施の形態：実施例１７ないし実施例２０＞  
実施例１７ないし実施例２０は、それぞれ図２５ないし図２８を参照して記載した実施例１３の一変形である。
【０４０８】
図３５は、実施例１７のＬＥＤランプ２７０とそれを用いた電球形ＬＥＤランプの概略的な断面図である。
【０４０９】
図３６は、実施例１８のＬＥＤランプ２８０とそれを用いた電球形ＬＥＤランプの概略的な断面図である。
【０４１０】
図３７は、実施例１９のＬＥＤランプ２９０とそれを用いた電球形ＬＥＤランプの概略的な断面図である。
【０４１１】
図３８は、実施例２０のＬＥＤランプ３００とそれを用いた電球形ＬＥＤランプの概略的な断面図である。
【０４１２】
ここでは、主として実施例１３と異なる個所を記載し、実施例１３と同一な個所の記載はできるだけ省略する。
【０４１３】
実施例１３を示す図２５ないし図２８と実施例１７ないし実施例２０のそれぞれを示す図３５ないし図３８において、同一な部材には同一符号を付しているので、両者の共通な個所については実施例１３を参照されたい。
【０４１４】
図３５ないし図３８のそれぞれに示すように、ＬＥＤランプ２７０、２８０、２９０、３００、３１０、３００の発光ユニットＬＵ２は、上面に配線パターンを有する片面プリント回路基板１１’とその上面に実装された複数のＬＥＤ１０−１を備える。
【０４１５】
すべての複数のＬＥＤ１０−１は、白色光線などの可視光線Ｌ１を放射する発光ダイオードとすることができる。
【０４１６】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０４１７】
光透過性グローブ２０は、下側にほぼ円形の開口を有するほぼ半円球形の上部シェル形グローブ２０‐１（第一の分割グローブ部材（セグメント））と、上側に上記開口とほぼ同じ直径を有するほぼ円形の開口を有する半円球または半円球欠からなるほぼ半円球の下部シェル形グローブ２０‐２（第二の分割グローブ部材）とを組み合わせ、全体として下部を欠如したほぼ円球（円欠形）のシェル形グローブとすることができる。
【０４１８】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如したほぼ円球シェル形グローブ２０とすることができる。
【０４１９】
発光ユニットＬＵ２は、皿状などの保持部材６１の上面に固定される。
【０４２０】
下部シェル２０‐２は、その下部の開口（連通孔）近辺において保持部材６１の周縁部に固定される。
【０４２１】
反射鏡７０は、円球欠などのほぼ円球シェル形グローブ２０の空洞（内部空間）に収容されている。
【０４２２】
実施例１３のＬＥＤランプ２３０と同様に、この実施例１７ないし実施例２０のＬＥＤランプ２７０、２８０、２９０、３００においては、ほぼ中央にほぼ円形の開口（連通孔）部を有する環状（リング状）の反射平面を有するほぼ円盤状の反射鏡７０を備える。
【０４２３】
（実施例１７）：実施例１７のＬＥＤランプ２７０においては、実施例１３のＬＥＤランプ２３０と異なり、図３５に示すように、反射鏡７０の中央のほぼ円形の開口（連通孔）部に、上面がほぼ半球状の光透過性半球部材に光散乱粒子などの複数の光拡散素子を混入した半球状の光拡散部材７４を備え、光拡散半球部材７４を反射鏡７０に固定して配置している。
【０４２４】
（実施例１８）：実施例１８のＬＥＤランプ２８０においては、実施例１３のＬＥＤランプ２３０と異なり、図３６に示すように、反射鏡７０の中央のほぼ円形の開口（連通孔）部に、上面がほぼ半球状の光透過性半球部材７５と光透過性半球部材７５の上面のほぼ半球面に光散乱粒子などの複数の光拡散素子を混入した半球状光拡散膜７４’からなる光拡散部材（７５および７４’）を備えている。
【０４２５】
（実施例１９）：実施例１９のＬＥＤランプ２９０においては、実施例１３のＬＥＤランプ２３０と異なり、図３７に示すように、反射鏡７０の中央のほぼ円形の開口（連通孔）部に、上面がほぼ半球状の光透過性半球立体部材７６と光透過性半球立体部材７６の上面のほぼ半球面に沿って形成した複数のマイクロ・プリズム７６ａからなる光拡散部材（７６および７６ａ）を備えている。
【０４２６】
（実施例２０）：実施例２０のＬＥＤランプ３００においては、実施例１３のＬＥＤランプ２３０と異なり、図３８に示すように、反射鏡７０の中央のほぼ円形の開口（連通孔）部に、上面がほぼ半球状の殻からなる光透過性半球殻部材（ドーム、円蓋）の内部に光散乱粒子などの複数の光拡散素子を混入した半球殻光拡散部材７４’を備えている。
【０４２７】
発光ユニットＬＵ２の片面プリント回路基板１１’の中央部の近辺に位置するＬＥＤ１０−１からの可視光線Ｌ１は、光拡散部材７４、（７５および７４’）、（７６および７６ａ）、半球殻光拡散部材７４’で散乱または屈折し、上部シェル・グローブ２０‐１の方向にほぼ半球状に広がって進行する。
【０４２８】
その可視光線Ｌ１は、上部シェル・グローブ２０‐１の外部に出射して照明光線Ｌ２‐１となる。
【０４２９】
反射鏡７０が半透過反射鏡の場合には、可視光線Ｌ１は、反射平面で反射し下部シェル・グローブ２０‐２の方向に進行し、残りの一部が反射鏡７０を透過して上部シェル・グローブ２０‐１の方向に進行できる。
【０４３０】
下部シェル・グローブ２０‐２の方向に進行した可視光線Ｌ１は、下部シェル・グローブ２０‐２の外部に出射して照明光線Ｌ２‐２となる。
【０４３１】
前述のようにして、この実施例のＬＥＤランプ２６０は、グローブ２０の底部に位置する発光ユニットＬＵ２に実装したＬＥＤ１０−１から放射する上方向の可視光線Ｌ１を反射鏡７０で横下方向に変換し、また可視光線Ｌ１を光拡散部材（７４）、（７５および７４’）、（７６および７６ａ）、（７４’）で散乱または屈折し、上方向に向かう光拡散角度をほぼ半球状に広げて増大することにより、可視光線Ｌ１をグローブ２０のほぼ全方向から出射させることができる。
【０４３２】
＜本発明の他の実施の形態：実施例２１＞  
実施例２１は、図２９ないし図３２を参照して記載した実施例１４の一変形である。
【０４３３】
実施例２１を示す図３９は、ＬＥＤランプ３１０とそれを用いた電球形ＬＥＤランプの概略的な断面図である。
【０４３４】
ここでは、主として実施例１４と異なる個所を記載し、実施例１４と同一な個所の記載はできるだけ省略する。
【０４３５】
実施例１４を示す図２９ないし図３２とこの実施例２１を示す図３９において、同一な部材には同一符号を付しているので、両者の同一な個所については実施例１４を参照されたい。
【０４３６】
図３９に示すように、ＬＥＤランプ３１０の発光ユニットＬＵ２は、上面に配線パターンを有する片面プリント回路基板１１’とその上面に実装された複数のＬＥＤ１０−１を備える。
【０４３７】
すべての複数のＬＥＤ１０−１は、白色光線などの可視光線Ｌ１を放射する発光ダイオードとすることができる。
【０４３８】
その替わりに、複数のＬＥＤ１０−１として、青色、緑色および赤色を発する三原色ＬＥＤからなる複数の三原色ＬＥＤ群を用い、三原色ＬＥＤ群から放射する青色、緑色および赤色光線の混色により疑似白色光線とすることができる。
【０４３９】
光透過性グローブ２０は、下側にほぼ円形の開口を有するほぼ半円球形の上部シェル形グローブ２０‐１（第一の分割グローブ部材（セグメント））と、上側に上記開口とほぼ同じ直径を有するほぼ円形の開口を有する半円球または半円球欠からなるほぼ半円球の下部シェル形グローブ２０‐２（第二の分割グローブ部材）とを組み合わせ、全体として下部を欠如したほぼ円球（円欠形）のシェル形グローブとすることができる。
【０４４０】
上部シェル形グローブ２０‐１（第一の分割グローブ部材）と、下部を欠如したほぼ半円球の下部シェル形グローブ２０‐２（第二の分割グローブ部材）とは、上部シェル形グローブ２０‐１のほぼ円形開口の端面の近辺と下部シェル形グローブ２０‐２のほぼ円形開口の端面の近辺とを接着、溶着、ネジ着、凹凸噛みあわせなどの任意の結合手段により、結合して一体化することにより下部を欠如した円球欠などのほぼ円球シェル形グローブ２０とすることができる。
【０４４１】
発光ユニットＬＵ２は、皿状などの保持部材６１の上面に固定される。
【０４４２】
下部シェル２０‐２は、その下部の開口（連通孔）近辺において保持部材６１の周縁部に固定される。
【０４４３】
保持部材６１の底部に電球形口金５０に固定され、口金５０の内部の空洞に点灯回路４０が収納され、全体が一体化されて、周知の電球用ソケットと着脱自在の電球形ＬＥＤランプとなる。
【０４４４】
ＬＥＤランプ３１０のプリズム形反射手段（反射鏡と相似）は、その中央部を欠如してほぼ円柱状などの柱状空洞としたほぼ逆円錐台形のプリズム７７からなる。
【０４４５】
複数の光拡散素子を混入した柱状光拡散部材７８を上記柱状空洞に光透過性材料を挿入または充てんして配置し、プリズム７７と柱状光拡散部材７８を一体化したものである
【０４４６】
プリズム形反射手段７７の上部の環状周縁部は、ほぼ円球シェル形グローブ２０内の空洞におけるほぼ中間部において、グローブ２０の内面に部分的または全面的に固定されて、プリズム形反射手段７７はグローブ２０によって支持される。
【０４４７】
プリズム形反射手段７７の上部周縁部の位置は、上部シェル・グローブ２０‐１（第一の分割部材）と、下部シェル・グローブ２０‐２（第二の分割部材）の結合部の近辺とするのが望ましい。
【０４４８】
グローブ２０の内径はグローブ２０の結合個所が最大なので、これにより限られたグローブ２０に収容するプリズム形反射手段７７の横方向の幅をほぼ最大とすることができる。
【０４４９】
プリント回路基板１１’の中央部近辺に配置されたＬＥＤ１０−１からの可視光線Ｌ１は、主として柱状光拡散部材７８に入射し、柱状光拡散部材７８から拡散光線となって上部シェル形グローブ２０−１の内面の方向に進行する。
【０４５０】
プリント回路基板１１’の中央部近辺から周縁に配置されたＬＥＤ１０−１からの可視光線Ｌ１は、主としてプリズム７７の傾斜面７７ａに当たり、一部が傾斜面７７ａで反射して下部シェル形グローブ２０−２の内面の方向に進行し、一部が傾斜面７７からプリズム７７内に進行し、上部シェル形グローブ２０−１の内面の方向に進行する。
【０４５１】
前述のようにして、この実施例のＬＥＤランプ３１０は、グローブ２０の底部に位置する発光ユニットＬＵ２に実装したＬＥＤ１０−１から放射する上方向の可視光線Ｌ１をプリズム形反射手段７７で横方向に変換し、また可視光線Ｌ１を柱状光拡散部材７８で散乱させて上方向に向かう光拡散角度を増大することにより、可視光線Ｌ１をグローブ２０のほぼ全方向から出射させることができる。
【０４５２】
＜本発明の他の実施の形態：実施例２２＞  
実施例２２は、図２５ないし図２８を参照して記載した実施例１３の一変形である。
【０４５３】
実施例２２を示す図４０は、ＬＥＤランプ３２０とそれを用いた電球形ＬＥＤランプの概略的な断面図である。
【０４５４】
ここでは、主として実施例１３と異なる個所を記載し、実施例１３と同一な個所の記載はできるだけ省略する。
【０４５５】
実施例１３を示す図２５ないし図２８とこの実施例２２を示す図４０において、同一な部材には同一符号を付しているので、両者の同一な個所については実施例１３を参照されたい。
【０４５６】
この実施例２２では、例えば実施例１３（図２５ないし図２８参照）に示した発光ユニットＬＵ２における回路基板１１’と異なり、立体回路基板１１”を用いる。
【０４５７】
図４０に示すように、ＬＥＤランプ３２０は、立体基板に立体配線を形成した立体回路基板１１”と立体配線に実装された複数のＬＥＤ１０ａ、１０ｂからなる発光ユニットＬＵ３と、ほぼ環状の反射鏡７０と、光透過性グローブ２０を備える。
【０４５８】
光透過性グローブ２０は、ほぼ半円球状の上部シェル分割部材２０−１およびほぼ半円球台状の下部シェル分割部材２０−２を結合したほぼ円球台状のシェル構造を備える。
【０４５９】
光透過性グローブ２０のほぼ中央に位置する結合部の近辺において、反射鏡７０のほぼ環状の周縁部が光透過性グローブ２０と部分的または全面的に固定され、反射鏡７０は光透過性グローブ２０の内部空間に収容されて、反射鏡７０は光透過性グローブ２０によってほぼ水平に支持される。
【０４６０】
下部シェル分割部材２０−２は、その下端周縁がほぼ円盤状の支持部材６１に固定される。
【０４６１】
発光ユニットＬＵ３は、下部シェル分割部材２０−２の下端周縁の内側において、その底面がほぼ円盤状の支持部材６１に固定される。
【０４６２】
ほぼ円盤状の光透過部材７１ａ内に複数の光拡散素子７１ｂを混入したほぼ円盤状の光拡散部材７１が、ほぼ環状の反射鏡７０のほぼ中央のほぼ円形開口（連通孔）部に固定されて配置される。
【０４６３】
支持部材６１の底部と電球形口金５０が固定され、電球形口金５０の空洞に点灯回路４０が内蔵される。
【０４６４】
発光ユニットＬＵ３、反射鏡７０、光透過性グローブ２０からなるＬＥＤランプ３２０は、点灯回路４０が内蔵された電球形口金５０を備えることにより、白熱電球のソケットに着脱自在で、白熱電球と互換性を有する電球形ＬＥＤランプを提供できる。
【０４６５】
この実施例２２においては、立体回路基板１１”を用いることにより、第一のＬＥＤ１０ａから放射される光線の進行方向と、第二のＬＥＤ１０ｂから放射される光線の進行方向が異なるように、ＬＥＤの実装面の角度を変化させている。
【０４６６】
立体回路基板１１”は、ほぼ中央の領域に設けた少なくとも一つの平面とそれ以外の領域に設けた複数の傾斜面と有する段差のある立体基板と、平面、傾斜面、段差の少なくとも二つに形成されたＬＥＤ実装用の配線パターンからなる。
【０４６７】
例えば、立体回路基板１１”は、平面と傾斜面と段差を有する立体基板の立体的表面に沿って所定の配線パターンを有するフレキシブル回路シートを固定して配置したものとすることができる。
【０４６８】
少なくとも一つのＬＥＤ１０ａが平面上の配線パターンと対応して実装され、複数のＬＥＤ１０ｂが複数の傾斜面上の配線パターンと対応して実装されるのが望ましい。
【０４６９】
第一のＬＥＤ１０ａから放射される光線の進行方向と、第二のＬＥＤ１０ｂから放射される光線の進行方向が異なるように、実装面の角度を変化させている。
【０４７０】
ほぼ中央領域に位置する水平実装面に配置された第一のＬＥＤ１０ａから主として垂直上方向に光線Ｌ１が出射され、円盤状光拡散部材７１に入射し、その後に円盤状光拡散部材７１から出射した光線Ｌ１は、上部シェル形グローブ２０−１の内面の方向に進行し、上部シェル形グローブ２０−１から出射されて照明光線Ｌ２−１となる。
【０４７１】
中央領域以外に位置する傾斜実装面に配置された第二のＬＥＤ１０ｂが実装され、ＬＥＤ１０ｂから主として横斜め方向に光線Ｌ１が出射され、反射鏡７０および下部シェル形グローブ２０−２の内面の方向に進行し、下部シェル形グローブ２０−２から出射されて照明光線Ｌ２−２となる。
【０４７２】
上述のように、ＬＥＤランプ３２０とこれを用いた電球形ＬＥＤランプでは、発光ユニットＬＵ３からの光線がほぼ球状のグローブ２０の全面から出射され、ほぼ均一な輝度、照度を有する照明光線が得られる。
【０４７３】
＜実施例２３ないし実施例３０＞  
実施例２３ないし実施例３０は、図４０を参照した実施例２２の各種の変形である。
【０４７４】
図４０を参照した実施例２２では、立体基板に立体配線を形成した立体回路基板１１”と立体配線に実装された複数のＬＥＤ１０ａ、１０ｂからなる発光ユニットＬＵ３と、環状の平面的な反射鏡７０と、光透過性グローブ２０とを組み合わせたＬＥＤランプ３２０であるが、これに限定されず、次に示すように各種の変形が可能である。
【０４７５】
（実施例２３）実施例２３は、図２９ないし図３２に示すＬＥＤランプ２４０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２４０と同様である。
【０４７６】
（実施例２４）実施例２４は、図３３に示すＬＥＤランプ２５０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２５０と同様である。
【０４７７】
（実施例２５）実施例２５は、図３４に示すＬＥＤランプ２６０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２６０と同様である。
【０４７８】
（実施例２６）実施例２６は、図３５に示すＬＥＤランプ２７０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２７０と同様である。
【０４７９】
（実施例２７）実施例２７は、図３６に示すＬＥＤランプ２８０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２８０と同様である。
【０４８０】
（実施例２８）実施例２８は、図３７に示すＬＥＤランプ２９０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ２９０と同様である。
【０４８１】
（実施例２９）実施例２９は、図３８に示すＬＥＤランプ３００において発光ユニットＬＵ２の替わりに図４０に示す立体回路基板１１”と複数のＬＥＤ１０ａ、１０ｂからなる発光ユニットＬＵ３を用いたもので、その他はＬＥＤランプ３００と同様である。
【０４８２】
（実施例３０）実施例３０は、図３９に示すＬＥＤランプ３１０において発光ユニットＬＵ２の替わりに図４０に示す立体回路基板１１”と複数のＬＥＤ１０ａ、１０ｂからなる発光ユニットＬＵ３を用いたもので、その他はＬＥＤランプ３１０と同様である。
【０４８３】
＜本発明の他の実施の形態：実施例３１＞
実施例３１は、図３０を参照して記載した実施例１２と、例えば図２５ないし図２８を参照して記載した実施例１３などと、錐形反射鏡を組み合わせた実施例である。
【０４８４】
実施例３１を示す図４１は、ＬＥＤランプ３３０とそれを用いた電球形ＬＥＤランプの概略的な断面図である。
【０４８５】
ここでは、主として実施例１２と実施例１３と異なる個所を記載し、これらの実施例と同一な個所の記載はできるだけ省略する。
【０４８６】
実施例１２を示す図３０および実施例１３を示す図２５ないし図２８と、この実施例３１を示す図４１において、同一な部材には同一符号を付しているので、両者の同一な個所については図３０および図２５ないし図２８を参照されたい。
【０４８７】
この実施例３１では、実施例２２（図４０を参照）に示した立体回路基板１１”を用いた発光ユニットＬＵ３と、例えば実施例１３（図２５ないし図２８参照）に示した片面形回路基板１１’を用いた発光ユニットＬＵ２を組み合わせたものである。
【０４８８】
図４１に示すように、ＬＥＤランプ３３０は、片面形回路基板１１’の上面の平面配線に実装された複数のＬＥＤ１０−１からなる発光ユニットＬＵ２と、立体基板に立体配線を形成した立体回路基板１１”と立体配線に実装された複数のＬＥＤ１０ａ、１０ｂからなる発光ユニットＬＵ３と、円錐形、多角錐形などの錐形反射面を有する錐形反射鏡６３Ａと、光透過性グローブ２０を備える。
【０４８９】
光透過性グローブ２０は、ほぼ半円球状の上部シェル分割部材２０−１およびほぼ半円球台状の下部シェル分割部材２０−２を結合したほぼ円球台状のシェル構造を備える。
【０４９０】
下部シェル分割部材２０−２の底部は、その下端周縁がほぼ錐形台状のハウジング（収容部材）６２に固定される。
【０４９１】
一方の発光ユニットＬＵ２は、下部シェル分割部材２０−２の下端周縁の内側において、その底面がハウジング（収容部材）６２内の上部に固定される。
【０４９２】
他方の発光ユニットＬＵ３は、光透過性グローブ２０のほぼ中央に位置する結合部の近辺において、錐形反射鏡６３Ａの上部のほぼ環状の周縁部が光透過性グローブ２０と部分的または全面的に固定され、発光ユニットＬＵ３は光透過性グローブ２０の内部空間に収容されて、発光ユニットＬＵ３は光透過性グローブ２０によってほぼ水平に支持される。
【０４９３】
錐形反射鏡６３Ａは、その錐形反射面を下向きにして少なくともほぼ環状の周縁部が発光ユニットＬＵ３の底面に部分的または全面的に固定され、光透過性グローブ２０の内部空間に収容されて、錐形反射鏡６３Ａは発光ユニットＬＵ３によってほぼ水平に支持される。
【０４９４】
その替わりに、錐形反射鏡６３Ａの上部のほぼ環状の周縁部が光透過性グローブ２０と部分的または全面的に固定されてもよく、錐形反射鏡６３Ａは光透過性グローブ２０の内部空間に収容されて、錐形反射鏡６３Ａは光透過性グローブ２０によってほぼ水平に支持される。この場合、錐形反射鏡６３Ａと発光ユニットＬＵ３は、互いに密着または固定されなくてもよく、互いに離隔してもよい。
【０４９５】
点灯回路４０の直流出力は、一対の電線１２を経由して発光ニットＬＵ２のＬＥＤ  １０−１に供給されると共に、一対の導電リード線１２ａ、１２ｂを経由して発光ニットＬＵ３のＬＥＤ  １０ａ、１０ｂに供給される。点灯回路４０を内蔵したハウジング（収容部材）６２の底部に、点灯回路４０の入力端子とリード線１３を経由して電気的に接続された電球形口金５０が固定され、白熱電球のソケットに着脱自在で、白熱電球と互換性を有する電球形ＬＥＤランプを提供できる。
【０４９６】
この実施例３１においては、立体回路基板１１”を用いることにより、第一のＬＥＤ１０ａから放射される光線の進行方向と、第二のＬＥＤ１０ｂから放射される光線の進行方向が異なるように、ＬＥＤの実装面の角度を変化させている。
【０４９７】
立体回路基板１１”は、ほぼ中央の領域に設けた少なくとも一つの平面とそれ以外の領域に設けた複数の傾斜面を有する立体基板と、平面と傾斜面に形成された配線パターンからなる。
【０４９８】
例えば、立体回路基板１１”は、平面と傾斜面と段差を有する立体基板の立体的表面に沿って所定の配線パターンを有するフレキシブル回路シートを固定して配置したものとすることができる。
【０４９９】
少なくとも一つのＬＥＤ１０ａが平面上の配線パターンと対応して実装され、複数のＬＥＤ１０ｂが複数の傾斜面上の配線パターンと対応して実装されるのが望ましい。
【０５００】
第一のＬＥＤ１０ａから放射される光線の進行方向と、第二のＬＥＤ１０ｂから放射される光線の進行方向が異なるように、実装面の角度を変化させている。
【０５０１】
ほぼ中央領域に位置する水平実装面に配置された第一のＬＥＤ１０ａから主として垂直上方向に光線Ｌ２ａが出射され、上部シェル形グローブ２０−１の内面のほぼ上方向に進行する。
【０５０２】
また中央領域以外に位置する傾斜実装面に配置された第二のＬＥＤ１０ｂから主として横斜め方向に光線Ｌ２ｂが出射され、上部シェル形グローブ２０−１の内面のほぼ横方向に進行する。
【０５０３】
このようにしてほぼ垂直上方向に進む光線Ｌ２ａとほぼ横斜め方向に進む光線Ｌ２ｂが、上部シェル形グローブ２０−１の全面からで出射されてほぼ均一な輝度、照度を有する照明光線Ｌ２−１となる。
【０５０４】
発光ユニットＬＵ２は、片面形回路基板１１’の上側の平面に形成された所定の配線パターンと対応して表面実装形発光ダイオードなどの複数のＬＥＤ１０−１が平面的に配列して実装されたものである。
【０５０５】
ハウジング（収容部材）６２の上部に配置された発光ユニットＬＵ２は、グローブ２０の内部空間のほぼ中間部に配置された錐形反射鏡６３Ａと所定距離を保って隔離される。
【０５０６】
図４１に示すように、錐形反射鏡６３Ａは望ましくは放物曲面を有する錐形反射面を備える。
【０５０７】
発光ユニットＬＵ２のＬＥＤ１０−１の発光部と錐形反射鏡６３Ａの錐形反射面とは対向して所定距離を保って配置される。
【０５０８】
図４１の矢印付き鎖線で示すように、発光ユニットＬＵ２のＬＥＤ１０−１から放射する所定の出射角度範囲の光束を有する光線Ｌ２ａは、対向する錐形反射鏡６３Ａに向かって進み、その錐形反射面でほぼ横下方向に方向変換され、下部シェル形グローブ２０−２の内面の方向に進行し、下部シェル形グローブ２０−２の全面からで出射されて、ほぼ均一な輝度、照度を有する照明光線Ｌ２−２となる。
【０５０９】
上述のように、ＬＥＤランプ３３０とこれを用いた電球形ＬＥＤランプでは、発光ユニットＬＵ２およびＬＵ３からの光線が円球台形などのほぼ球状のグローブ２０の全面から出射され、ほぼ均一な輝度、照度を有する照明光線が得られる。
【０５１０】
＜本発明の他の実施の形態：実施例３２＞
実施例３２は、図４１を参照して記載した実施例３１の一変形である。
【０５１１】
実施例３２を示す図４２は、ＬＥＤランプ３４０とそれを用いた電球形ＬＥＤランプの概略的な断面図である。
【０５１２】
この実施例３２では、例えば実施例１３（図２５ないし図２８参照）に示した片面形回路基板１１’を用いた二つの発光ユニットＬＵ２と一つの反射鏡６３Ａを用いている。
【０５１３】
図４２に示すように、光透過性グローブ２０は、ほぼ半円球状の上部シェル分割部材２０−１およびほぼ半円球台状の下部シェル分割部材２０−２を結合したほぼ円球台状のシェル構造を備える。
【０５１４】
ＬＥＤランプ３４０は、上部シェル分割部材２０−１と下部シェル分割部材２０−２を結合した光透過性グローブ２０と、片面形回路基板１１’の上面に実装された複数のＬＥＤ１０−１からなる第一の発光ユニットＬＵ２ａと、片面形回路基板１１’の上面に実装された複数のＬＥＤ１０−１からなる第二の発光ユニットＬＵ２ｂと、錐形反射面を有する錐形反射鏡６３Ａを備える。
【０５１５】
第一の発光ユニットＬＵ２ａは、下部シェル分割部材２０−２の下端周縁の内側において、その底面がハウジング（収容部材）６２内の上部に固定される。
【０５１６】
第二の発光ユニットＬＵ２ｂは、その周縁部が上部シェル分割部材２０−１と下部シェル分割部材２０−２の結合個所の近辺において光透過性グローブ２０と固定されて、この発光ユニットＬＵ２ｂは光透過性グローブ２０の内部空間にほぼ水平に支持される。
【０５１７】
錐形反射鏡６３Ａは、その錐形反射面を下向きにして少なくともほぼ環状の周縁部が第二の発光ユニットＬＵ２ｂの底面に部分的または全面的に固定され、光透過性グローブ２０の内部空間に収容されて、錐形反射鏡６３Ａはこの発光ユニットＬＵ２ｂによってほぼ水平に支持される。
【０５１８】
点灯回路４０の直流出力は、一対の電線１２を経由して第一の発光ユニットＬＵ２ａのＬＥＤ  １０−１に供給されると共に、一対の導電リード線１２ａ、１２ｂを経由して第二の発光ユニットＬＵ２ｂのＬＥＤ  １０−１に供給される。
【０５１９】
点灯回路４０は、ハウジング（収容部材）６２に内蔵され、ハウジング（収容部材）６２の底部に、点灯回路４０の入力端子とリード線１３を経由して電気的に接続された電球形口金５０が固定され、白熱電球のソケットに着脱自在で、白熱電球と互換性を有する電球形ＬＥＤランプを提供できる。
【０５２０】
ハウジング（収容部材）６２の上部に配置された第一の発光ユニットＬＵ２ａは、グローブ２０の内部空間のほぼ中間部に配置された錐形反射鏡６３Ａと所定距離を保って隔離される。
【０５２１】
図４２に示すように、錐形反射鏡６３Ａは望ましくは放物曲面を有する錐形反射面を備える。
【０５２２】
第一の発光ユニットＬＵ２ａのＬＥＤ１０−１の発光部と錐形反射鏡６３Ａの錐形反射面とは対向して所定距離を保って配置される
【０５２３】
図４２の矢印付き鎖線で示すように、第一の発光ユニットＬＵ２ａのＬＥＤ１０−１から放射する所定の出射角度範囲の光束を有する光線Ｌ２ａは、対向する錐形反射鏡６３Ａに向かって進み、その錐形反射面でほぼ横下方向に方向変換され、下部シェル形グローブ２０−２の内面の方向に進行し、下部シェル形グローブ２０−２のほぼ全面から出射されて、ほぼ均一な輝度、照度を有する照明光線Ｌ２−２となる。
【０５２４】
図４２の矢印付き鎖線で示すように、第二の発光ユニットＬＵ２ｂのＬＥＤ１０−１から放射する所定の出射角度範囲の光束を有する光線Ｌ２ａは、上部シェル形グローブ２０−１のほぼ全面から出射されて、ほぼ均一な輝度、照度を有する照明光線Ｌ２−１となる。
【０５２５】
上述のように、ＬＥＤランプ３４０とこれを用いた電球形ＬＥＤランプでは、発光ユニットＬＵ２ａおよびＬＵ２ｂからの光線が円球台形などのほぼ球状のグローブ２０の全面から出射され、ほぼ均一な輝度、照度を有する照明光線が得られる。
【０５２６】
＜本発明の他の実施の形態：実施例３３＞
実施例３３は、図４１を参照して記載した実施例３１の一変形である。
【０５２７】
実施例３３を示す図４３は、ＬＥＤランプ３５０とそれを用いた電球形ＬＥＤランプの概略的な断面図である。
【０５２８】
ここでは、実施例３３と前述の実施例３１と異なる個所を記載し、これらの実施例と同一な個所の記載はできるだけ省略する。
【０５２９】
この実施例３３を示す図４３と前述の実施例３１を示す図４１において、同一な部材には同一符号を付しているので、両者の共通な個所については図４１を参照されたい。
【０５３０】
図４３に示すように、この実施例３３では、実施例３１と異なり、立体基板に立体配線を形成した立体回路基板１１”と立体配線に実装された複数のＬＥＤ１０ａ、１０ｂからなる発光ユニットＬＵ３は、その周縁部が光透過性グローブ２０によって固定、支持されていない。
【０５３１】
その替わりに発光ユニットＬＵ３は、一端がハウジング（収容部材）６２に固定され、他端が発光ユニットＬＵ３まで延長された少なくとも２本の自己支持性のある線状導電部材１２’ａ、１２’ｂによって光透過性グローブ２０の内部空間にほぼ水平状態を保って支持される。
【０５３２】
図４３に示すように、この実施例３３では、発光ユニットＬＵ３は、その周縁部と光透過性グローブ２０の内面とを所定離隔して光透過性グローブ２０の内部空間に保持される。
【０５３３】
線状導電部材１２’ａ、１２’ｂを鋼線、ステンレス・スチール、銅線、アルミニューム線などの自己支持性を有する導電体とすることにより、線状導電部材１２’ａ、１２’ｂは、発光ユニットＬＵ３のＬＥＤ１０ａ、１０ｂに駆動電力を導く電線（導電性リード線）と発光ユニットＬＵ３（と錐形反射鏡６３Ａ）の支持部材とを兼用することができる。
【０５３４】
＜本発明の他の実施の形態：実施例３４＞
実施例３４は、図４２を参照して記載した実施例３２の一変形である。
【０５３５】
実施例３４を示す図４４は、ＬＥＤランプ３６０とそれを用いた電球形ＬＥＤランプの概略的な断面図である。
【０５３６】
ここでは、実施例３４と前述の実施例３１と異なる個所を記載し、これらの実施例と同一な個所の記載はできるだけ省略する。
【０５３７】
この実施例３４を示す図４４と前述の実施例３２を示す図４２において、同一な部材には同一符号を付しているので、両者の共通な個所については図４１を参照されたい。
【０５３８】
図４４に示すように、この実施例３４のＬＥＤランプ３６０では、図４２を参照して記載した実施例３２のＬＥＤランプ３４０と同様に、一平面に発光ダイオードを実装する片面形回路基板１１’を用いた二つの発光ユニットＬＵ２ａ、ＬＵ２ｂと一つの反射鏡６３Ａを用いている。
【０５３９】
ＬＥＤランプ３６０は、光透過性グローブ２０と、片面形回路基板１１’の上平面に実装された複数のＬＥＤ１０−１からなる第一の発光ユニットＬＵ２ａと、片面形回路基板１１’の上平面に実装された複数のＬＥＤ１０−１からなる第二の発光ユニットＬＵ２ｂと、錐形反射面を有する錐形反射鏡６３Ａを備える。
【０５４０】
光透過性グローブ２０は、ほぼ半円球状の上部シェル分割部材２０−１およびほぼ半円球台状の下部シェル分割部材２０−２を結合したほぼ円球台状のシェル構造を備える。
【０５４１】
第一の発光ユニットＬＵ２ａは、下部シェル分割部材２０−２の下端周縁の内側において、その底面がハウジング（収容部材）６２内の上部に固定される。
【０５４２】
図４４に示すように、この実施例３４のＬＥＤランプ３６０では、実施例３１のＬＥＤランプ３４０と異なり、第二の発光ユニットＬＵ２ｂは、その周縁部が光透過性グローブ２０によって固定、支持されていない。
【０５４３】
その替わりに発光ユニットＬＵ３は、一端がハウジング（収容部材）６２に固定され、他端が発光ユニットＬＵ３まで延長された少なくとも２本の自己支持性のある線状導電部材１２’ａ、１２’ｂによって光透過性グローブ２０の内部空間にほぼ水平状態を保って支持される。
【０５４４】
錐形反射鏡６３Ａは、その錐形反射面を下向きにして少なくともほぼ環状の周縁部が第二の発光ユニットＬＵ２ｂの底面に部分的または全面的に固定され、光透過性グローブ２０の内部空間に収容されて、錐形反射鏡６３Ａはこの発光ユニットＬＵ２ｂによってほぼ水平に支持される。
【０５４５】
図４４に示すように、この実施例３４では、第二の発光ユニットＬＵ２ｂは、その周縁部と光透過性グローブ２０の内面とを所定離隔して光透過性グローブ２０の内部空間に保持される。
【０５４６】
線状導電部材１２’ａ、１２’ｂを鋼線、ステンレス・スチール、銅線、アルミニューム線などの自己支持性を有する導電体とすることにより、線状導電部材１２’ａ、１２’ｂは、発光ユニットＬＵ３のＬＥＤ１０ａ、１０ｂに駆動電力を導く電線（導電性リード線）と発光ユニットＬＵ３（と錐形反射鏡６３Ａ）の支持部材とを兼用することができる。
【０５４７】
点灯回路４０の直流出力は、少なくとも一対の導電性を有する線状支持部材１２’ａ、１２’ｂを経由して第一の発光ユニットＬＵ２ａのＬＥＤ  １０−１に供給されると共に、線状支持部材１２’ａ、１２’ｂを経由して第二の発光ユニットＬＵ２ｂのＬＥＤ  １０−１に供給される。
【０５４８】
点灯回路４０は、ハウジング（収容部材）６２に内蔵され、ハウジング（収容部材）６２の底部に、点灯回路４０の入力端子と導電リード線１３を経由して電気的に接続された電球形口金５０が固定され、白熱電球のソケットに着脱自在で、白熱電球と互換性を有する電球形ＬＥＤランプを提供できる。
【０５４９】
ハウジング（収容部材）６２の上部に配置された第一の発光ユニットＬＵ２ａは、グローブ２０の内部空間のほぼ中間部に配置された錐形反射鏡６３Ａと所定距離を保って隔離される。
【０５５０】
図４４に示すように、錐形反射鏡６３Ａは望ましくは放物曲面を有する錐形反射面を備える。
【０５５１】
第一の発光ユニットＬＵ２ａのＬＥＤ１０−１の発光部と錐形反射鏡６３Ａの錐形反射面とは対向して所定距離を保って配置される
【０５５２】
図４４の矢印付き鎖線で示すように、第一の発光ユニットＬＵ２ａのＬＥＤ１０−１から放射する所定の出射角度範囲の光束を有する光線Ｌ２ａは、対向する錐形反射鏡６３Ａに向かって進み、その錐形反射面でほぼ横下方向に方向変換され、下部シェル形グローブ２０−２の内面の方向に進行し、下部シェル形グローブ２０−２のほぼ全面から出射されて、ほぼ均一な輝度、照度を有する照明光線Ｌ２−２となる。
【０５５３】
図４２の矢印付き鎖線で示すように、第二の発光ユニットＬＵ２ｂのＬＥＤ１０−１から放射する所定の出射角度範囲の光束を有する光線Ｌ２ａは、上部シェル形グローブ２０−１のほぼ全面から出射されて、ほぼ均一な輝度、照度を有する照明光線Ｌ２−１となる。
【０５５４】
上述のように、ＬＥＤランプ３６０とこれを用いた電球形ＬＥＤランプでは、発光ユニットＬＵ２ａおよびＬＵ２ｂからの光線が円球台形などのほぼ球状のグローブ２０の全面から出射され、ほぼ均一な輝度、照度を有する照明光線が得られる。
【０５５５】
＜本発明の他の実施の形態：実施例３５＞
実施例３５は、図１４ないし図１６を参照した実施例４に記載の中空支持部材６５と図４１を参照した実施例３１を組み合わせた実施例である。
【０５５６】
実施例３５を示す図４５は、ＬＥＤランプ３７０とそれを用いた電球形ＬＥＤランプの概略的な断面図である。
【０５５７】
ここでは、この実施例３５と、前述の実施例４および実施例３１と異なる個所を主として記載し、これらの実施例４および実施例３１と同一な個所の記載はできるだけ省略する。（同一な部材には同一符号を付している。）
【０５５８】
図４５に示すように、この実施例３５のＬＥＤランプ３７０は、図４１を参照した実施例３１と同様に、片面形回路基板１１’の上面の平面配線に実装された複数のＬＥＤ１０−１からなる発光ユニットＬＵ２と、立体基板に立体配線を形成した立体回路基板１１”と立体配線に実装された複数のＬＥＤ１０ａ、１０ｂからなる発光ユニットＬＵ３と、円錐形、多角錐形などの錐形反射面を有する錐形反射鏡６３Ａと、光透過性グローブ２０を備える。
【０５５９】
光透過性グローブ２０は、ほぼ半円球状の上部シェル分割部材２０−１およびほぼ半円球台状の下部シェル分割部材２０−２を結合したほぼ円球台状のシェル構造を備える。
【０５６０】
発光ユニットＬＵ２は、下部シェル分割部材２０−２の下端周縁の内側において、その底面がハウジング（収容部材）６２内の上部に固定される。
【０５６１】
図４５に示すように、ＬＥＤランプ３７０では、図４１を参照した実施例３１のＬＥＤランプ３３０と異なり、第二の発光ユニットＬＵ３は、その周縁部が光透過性グローブ２０によって固定、支持されていない。
【０５６２】
その替わりに、第二の発光ユニットＬＵ３は、図１４ないし図１６を参照した実施例４と同様に、中空支持部材６５を用いて、その周縁部が光透過性グローブ２０の内面と所定距離を保って離隔され、光透過性グローブ２０の内部空間にほぼ水平に支持されることができる。
【０５６３】
錐形反射鏡６３Ａは、その錐形反射面を下向きにして少なくともほぼ環状の周縁部が発光ユニットＬＵ３の底面および、または中空支持部材（中空支柱）６５に部分的または全面的に固定され、光透過性グローブ２０の内部空間に収容されて、錐形反射鏡６３Ａはこの発光ユニットＬＵ３によってほぼ水平に支持される
【０５６４】
発光ユニットＬＵ３と光透過性グローブ２０の離隔距離が小さいときには、輸送中、地震などの振動により、中空支持部材６５が横方向に動いてその上部に固定された発光ユニットＬＵ３が光透過性グローブ２０の内面に激しく衝突して、発光ユニットＬＵ３および、または光透過性グローブ２０が損傷するおそれがある。
【０５６５】
それを避けるために上記の離隔距離を比較的に大きくするか、または中空支持部材６５の使用による発光ユニットＬＵ３の固定に追加して結合材などにより発光ユニットＬＵ３の周縁部と光透過性グローブ２０の内面を結合してもよい。
【０５６６】
図１４ないし図１６を参照した実施例４と同様に、少なくとも一つの中空支持部材６５は、発光ユニットＬＵ３をグローブ２０の内部空間の所定位置にほぼ水平に支持するとともに、発光ユニットＬＵ３の立体回路基板１１”に実装したＬＥＤ１０ａ、１０ｂに電力を供給する一対の電線１２’を収容する上下に連通する貫通孔を有する中空パイプ状からなる管状部材を備える。
その替わりに、少なくとも２本の電線１２´をコア（芯）とし熱可塑性機脂により棒状に樹脂成型して一体化して自己支持性を付与し、上下に連通する電線１２´を有する支持部材としてもよい。
【０５６７】
図４５に示すように、中空支持部材６５は、その下部において発光ユニットＬＵ２のほぼ中心位置に固定され、その下部からほぼ垂直に延長されて錐形反射鏡６３Ａの中心を貫通して発光ユニットＬＵ３の底部に達し、中空支持部材６５の上部と発光ユニットＬＵ３の底部が任意の固定手段により固定される。
【０５６８】
その替わりに、中空支持部材６５は錐形反射鏡６３Ａの中心を貫通部の近辺で固定されてもよく、更に錐形反射鏡６３Ａと発光ユニットＬＵ３を固定することにより、発光ユニットＬＵ３は中空支持部材６５に固定、支持されたことになる。
【０５６９】
ほぼ錐台形の壁を有するハウジング（収容部材）６２の収容空間内に、発光ユニットＬＵ２、ＬＵ３の発光ダイオードに駆動電力を供給する点灯回路４０が収納され、ハウジング６２の底部に電球形口金５０が固定されて、白熱電球用ソケットと着脱自在で、白熱電球と互換性を有する電球形ＬＥＤらンプが提供される。
【０５７０】
＜本発明の他の実施の形態：実施例３６＞
実施例３６は、例えば図４５を参照した実施例３５などに記載の中空支持部材６５と図４２を参照した実施例３２を組み合わせた実施例である。
【０５７１】
実施例３６を示す図４６は、ＬＥＤランプ３８０とそれを用いた電球形ＬＥＤランプの概略的な断面図である。
【０５７２】
ここでは、この実施例３６と、実施例３２および実施例３６と異なる個所を主として記載し、これらの実施例３２および実施例３６と同一な個所の記載はできるだけ省略する。（同一な部材には同一符号を付している。）
【０５７３】
図４６に示すように、この実施例３６のＬＥＤランプ３８０は、図４２を参照した実施例３２と同様に、片面形回路基板１１’の上面の平面配線に実装された複数のＬＥＤ１０−１からなる第一の発光ユニットＬＵ２ａと、片面形回路基板１１’の上面の平面配線に実装された複数のＬＥＤ１０−１からなる第二の発光ユニットＬＵ２ｂと、円錐形、多角錐形などの錐形反射面を有する錐形反射鏡６３Ａと、光透過性グローブ２０を備える。
【０５７４】
この実施例３６のＬＥＤランプ３８０は、図４５における立体回路基板１１”に複数のＬＥＤ１０ａ、１０ｂを実装した発光ユニットＬＵ３の替わりに、片面形回路基板１１’の上面の平面配線に実装された複数のＬＥＤ１０−１からなる第二の発光ユニットＬＵ２ｂを用いている。
【０５７５】
光透過性グローブ２０は、ほぼ半円球状の上部シェル分割部材２０−１およびほぼ半円球台状の下部シェル分割部材２０−２を結合したほぼ円球台状のシェル構造を備える。
【０５７６】
第一の発光ユニットＬＵ２ａは、下部シェル分割部材２０−２の下端周縁の内側において、その底面がハウジング（収容部材）６２内の上部に固定される。
【０５７７】
第二の発光ユニットＬＵ２ｂは、図４５を参照した実施例３５のＬＥＤランプ３７０と同様に、中空支持部材６５を用いて、その周縁部が光透過性グローブ２０の内面と所定距離を保って離隔され、光透過性グローブ２０の内部空間にほぼ水平に支持される。
【０５７８】
したがって第二の発光ユニットＬＵ２ｂは中空支持部材６５によって支持されているので、第二の発光ユニットＬＵ２ｂは光透過性グローブ２０によって支持されるか否かの選択は任意である。
【０５７９】
錐形反射鏡６３Ａは、その錐形反射面を下向きにして少なくともほぼ環状の周縁部が第二の発光ユニットＬＵ２ｂの底面および、または中空支持部材６５に部分的または全面的に固定され、光透過性グローブ２０の内部空間に収容されて、錐形反射鏡６３Ａはこの第二の発光ユニットＬＵ２ｂによってほぼ水平に支持される
【０５８０】
少なくとも一つの中空支持部材６５は、第二の発光ユニットＬＵ２ｂをグローブ２０の内部空間の所定位置にほぼ水平に支持するとともに、第二の発光ユニットＬＵ２ｂの発光ダイオードに電力を供給する一対の電線１２’を収容する上下に連通する貫通孔を有する中空パイプ状からなる管状部材を備える。
【０５８１】
図４６に示すように、中空支持部材６５は、その下部において発光ユニットＬＵ２のほぼ中心位置に固定され、その下部からほぼ垂直に延長されて錐形反射鏡６３Ａの中心を貫通して第二の発光ユニットＬＵ２ｂの底部に達し、中空支持部材６５の上部と第二の発光ユニットＬＵ２ｂの底部が任意の固定手段により固定される。
【０５８２】
その替わりに、中空支持部材６５は錐形反射鏡６３Ａの中心を貫通部の近辺で固定されてもよく、更に錐形反射鏡６３Ａと第二の発光ユニットＬＵ２ｂを固定することにより、第二の発光ユニットＬＵ２ｂは中空支持部材６５に固定、支持されたことになる。
【０５８３】
ほぼ錐台形の壁を有するハウジング（収容部材）６２の収容空間内に、発光ユニットＬＵ２ａおよびＬＵ２ｂの発光ダイオードに駆動電力を供給する点灯回路４０が収納され、ハウジング６２の底部に電球形口金５０が固定されて、白熱電球用ソケットと着脱自在で、白熱電球と互換性を有する電球形ＬＥＤらンプが提供される。
【０５８４】
＜本発明の他の実施の形態：実施例３７＞
実施例３７は、例えば図１４ないし図１６を参照した実施例４と同様に支持部材（支柱）と両面発光形発光ユニットを組み合わせた実施例である。
【０５８５】
図５３、図５４は実施例３７を示し、図５３はＬＥＤランプ３９０とそれを用いた電球形ＬＥＤランプの概略的な断面図であり、図５４は図５３における矢印ＡＲ３の方向から見たＬＥＤランプ３９０の概略的な平面図である。
【０５８６】
ここでは、この実施例３７と、前述の実施例４と異なる個所を主として記載し、実施例４と同一な個所の記載はできるだけ省略する。（同一な部材には同一符号を付している。）
【０５８７】
図５３、図５４に示すように、この実施例３７のＬＥＤランプ３９０は、少なくとも二つの発光ユニットＬＵ４Ａ、ＬＵ４Ｂと、発光ユニットＬＵ４Ａ、ＬＵ４Ｂを支持する少なくとも一つの支持部材（支柱）６５と、これらの部材ＬＵ４Ａ、ＬＵ４Ｂ、６５を収容する光透過性グローブ２０Ｂからなる。
【０５８８】
対向する発光ユニットＬＵ４Ａ、ＬＵ４Ｂは全体として縦断面がほぼ逆「ハ」字形、ほぼ逆「八」字形、またはほぼ逆「Ｖ」字形の形状（図５３参照）を構成するように、支持部材（支柱）６５により一部が固定された底面から左上方向と右上方向に傾斜して光透過性グローブ２０Ｂの内部空間に配置されている。
【０５８９】
発光ユニットＬＵ４Ａ、ＬＵ４Ｂは、それぞれほぼ半円板形（図５４参照）の両面プリント回路基板１１Ａ、１１Ｂと、回路基板１１Ａ、１１Ｂの両面に実装された複数のＬＥＤ１０−１、１０−２からなる。
【０５９０】
図５３、図５４に示すように、支持部材（支柱）６５は、底部から頂部まで連通する貫通孔を有する中空パイプ状からなる管状部材としてもよく、中空支持部材６５の頂部において発光ユニットＬＵ４Ａ、ＬＵ４Ｂの底面に固定され、発光ユニットＬＵ４Ａ、ＬＵ４Ｂをグローブ２０の内部空間に全体としてほぼ逆「Ｖ」字形状の傾斜を保つように支持すると共に、中空支持部材６５の底部がハウジング（収容部材）６２内の上部に固定される。
【０５９１】
したがって、ハウジング（収容部材）６２内に収容された点灯回路４０から延長され、発光ユニットＬＵ４Ａ、ＬＵ４ＢのＬＥＤ１０−１、１０−２に電力を供給する一対の電線１２を中空支持部材６の貫通孔に沿って収容することができる。
【０５９２】
光透過性グローブ２０は、ほぼ半円球状の上部シェル分割部材２０−１およびほぼ半円球台、円錐台状の下部シェル分割部材２０−２を結合したほぼ円球台状のシェル構造を備える。
【０５９３】
図５３に示すように、円錐形、多角錐形などの錐形反射面を有する逆錐形反射鏡６３Ａを設けるのが望ましく、逆錐形反射鏡６３Ａの先端部は中空支持部材６を通す貫通孔を有し、その底部はハウジング（収容部材）６２の上部に固定される。
【０５９４】
発光ユニットＬＵ４Ａ、ＬＵ４Ｂの発光ダイオードに駆動電力を供給する点灯回路４０が収納され、ハウジング６２の底部に電球形口金５０が固定されて、白熱電球用ソケットと着脱自在で、白熱電球と互換性を有する電球形ＬＥＤらンプが提供される。
【０５９５】
図５３に示すように、この実施例３７のＬＥＤランプ３９０においては、対向する第一の発光ユニットＬＵ４Ａと第二の発光ユニットＬＵ４Ｂが全体としてほぼ「Ｖ」字状の傾斜面を有するように対向して配置されていることに留意されたい。
【０５９６】
したがって、図５３に矢印付鎖線で示すように、第一の発光ユニットＬＵ４Ａの前面に配置されたＬＥＤ１０−１から放射される光線は左上を含む上方向に進み、第二の発光ユニットＬＵ４Ｂの前面に配置されたＬＥＤ１０−１から放射される光線は右上を含む上方向に進み、これらの光線は上部シェル分割部材２０−１のほぼ全面から出射して照明光線Ｌ２−１となる。
【０５９７】
更に第一の発光ユニットＬＵ４Ａの裏面に配置されたＬＥＤ１０−２から放射される光線は左下方向に進み、第二の発光ユニットＬＵ４Ｂの裏面に配置されたＬＥＤ１０−２から放射される光線は右下方向に進み、これらの光線は下部シェル分割部材２０−２のほぼ全面から出射して照明光線Ｌ２−２となる。
【０５９８】
逆錐形反射鏡６３Ａは、発光ユニットＬＵ４Ａ、ＬＵ４Ｂの裏面に配置されたＬＥＤ１０−２から放射され、ハウジング（収容部材）６２の方向に進む一部の光線を下部シェル分割部材２０−２の左下方向または右下方向に向けて反射させるように機能する。
【０５９９】
以上の説明から明らかなように、この実施例３７のＬＥＤランプ３９０とそれを用いた電球形ＬＥＤランプは、従来のものと比較してほぼ球状のグローブ２０Ｂのほぼ全面からほぼ均一な照明光線を出射できる顕著な効果を奏する。
【０６００】
＜本発明の他の実施の形態：実施例３８＞
実施例３８は、支持部材（支柱）と片面発光形発光ユニットを組み合わせた実施例である。
【０６０１】
実施例３８を示す図５５はＬＥＤランプ４００とそれを用いた電球形ＬＥＤランプの概略的な断面図である。
【０６０２】
ここでは、この実施例３８と、前述の各種の実施例と異なる個所を主として記載し、同一な個所の記載はできるだけ省略する。（同一な部材には同一符号を付している。）
【０６０３】
図５５に示すように、この実施例３８のＬＥＤランプ４００は、対向する傾斜して配置された第一、第二の片面発光形発光ユニットＬＵ５Ａ、ＬＵ５Ｂと、ほぼ水平に配置された第三の片面発光形発光ユニットＬＵ２ｂと、これらの発光ユニットＬＵ５Ａ、ＬＵ５Ｂ、ＬＵ２ｂを支持する少なくとも一つの支持部材（支柱）６５と、これらの部材ＬＵ５Ａ、ＬＵ５Ｂ、ＬＵ２ｂ、６５を収容する光透過性グローブ２０Ｂからなる。
【０６０４】
対向する片面発光形発光ユニットＬＵ５Ａ、ＬＵ５Ｂは全体として縦断面がほぼ逆「ハ」字形、ほぼ逆「八」字形、またはほぼ逆「Ｖ」字形の形状（図５５参照）を構成するように、支持部材（支柱）６５により一部が固定された底面から左上方向と右上方向に傾斜して光透過性グローブ２０Ｂの内部空間に配置されている。
【０６０５】
発光ユニットＬＵ５Ａ、ＬＵ５Ｂは、それぞれほぼ半円板形の片面回路基板と、片面回路基板の下面に実装された複数のＬＥＤ１０−２からなり、発光ユニットＬＵ２ｂは、ほぼ円板形の片面回路基板と、片面回路基板の上面に実装された複数のＬＥＤ１０−１からなる。
【０６０６】
図５５に示すように、支持部材（支柱）６５は、底部から頂部まで連通する貫通孔を有する中空パイプ状からなる管状部材としてもよく、中空支持部材６５はその中間部において発光ユニットＬＵ５Ａ、ＬＵ５Ｂを固定し、発光ユニットＬＵ５Ａ、ＬＵ５Ｂをグローブ２０の内部空間に全体としてほぼ逆「Ｖ」字形状の傾斜を保つように支持し、その頂部において発光ユニットＬＵ２ｂを固定し、その底部がハウジング（収容部材）６２内の上部に固定される。
【０６０７】
したがって、ハウジング（収容部材）６２内に収容された点灯回路４０から延長され、発光ユニットＬＵ５Ａ、ＬＵ５Ｂ、ＬＵ２ｂのＬＥＤ１０−１、１０−２に電力を供給する一対の電線１２を中空支持部材６の貫通孔に沿って収容することができる。
【０６０８】
光透過性グローブ２０は、ほぼ半円球状の上部シェル分割部材２０−１およびほぼ半円球台、円錐台状の下部シェル分割部材２０−２を結合したほぼ円球台状のシェル構造を備える。
【０６０９】
図５５に示すように、円錐形、多角錐形などの錐形反射面を有する逆錐形反射鏡６３Ａを設けるのが望ましく、逆錐形反射鏡６３Ａの先端部は中空支持部材６を通す貫通孔を有し、その底部はハウジング（収容部材）６２の上部に固定される。
【０６１０】
発光ユニットＬＵ５Ａ、ＬＵ５Ｂ、ＬＵ２ｂの発光ダイオードに駆動電力を供給する点灯回路４０が収納され、ハウジング６２の底部に電球形口金５０が固定されて、白熱電球用ソケットと着脱自在で、白熱電球と互換性を有する電球形ＬＥＤランプが提供される。
【０６１１】
図５５に示すように、この実施例３８のＬＥＤランプ４００においては、対向する第一の発光ユニットＬＵ５Ａと第二の発光ユニットＬＵ５Ｂが全体としてほぼ「Ｖ」字状の傾斜面を有するように対向して配置されていることに留意されたい。
【０６１２】
したがって、図５５に矢印付鎖線で示すように、第一の発光ユニットＬＵ５Ａの下面に配置されたＬＥＤ１０−２から放射される光線は左下を含むほぼ下方向に進み、第二の発光ユニットＬＵ５Ｂの下面に配置されたＬＥＤ１０−２から放射される光線は右下を含むほぼ下方向に進み、下部シェル分割部材２０−２から出射して照明光線Ｌ２−２となる。
【０６１３】
更に第三の片面発光形発光ユニットＬＵ２ｂの上面に配置されたＬＥＤ１０−１から放射される光線は上方向または横方向に進み、上部シェル分割部材２０−１から出射して照明光線Ｌ２−１となる。
【０６１４】
逆錐形反射鏡６３Ａは、発光ユニットＬＵ５Ａ、ＬＵ５Ｂの裏面に配置されたＬＥＤ１０−２から放射され、ハウジング（収容部材）６２の方向に進む一部の光線を下部シェル分割部材２０−２の左下方向または右下方向に向けて反射させる。
【０６１５】
以上の説明から明らかなように、この実施例３８のＬＥＤランプ４００とそれを用いた電球形ＬＥＤランプは、従来のものと比較してほぼ球状のグローブ２０Ｂのほぼ全面からほぼ均一な照明光線を出射できる顕著な効果を奏する。
【０６１６】
＜本発明の他の実施の形態：実施例３９＞
実施例３９は、少なくとも三枚の両面発光形発光ユニットをほぼ垂直に配列した実施例である。
【０６１７】
図５６、図５７は実施例３９を示し、図５６はＬＥＤランプ４１０とそれを用いた電球形ＬＥＤランプの概略的な断面図であり、図５７は図５６における矢印ＡＲ４の方向から見たＬＥＤランプ４１０の概略的な平面図である。
【０６１８】
ここでは、この実施例３９と、前述の各種の実施例と異なる個所を主として記載し、同一な個所の記載はできるだけ省略する。（同一な部材には同一符号を付している。）
【０６１９】
図５６、図５７に示すように、この実施例３９のＬＥＤランプ４１０は、少なくとも三つの発光ユニットＬＵ６Ａ、ＬＵ６Ｂ、ＬＵ６Ｃと、発光ユニットＬＵ６Ａ、ＬＵ６Ｂ、ＬＵ６Ｃを支持する少なくとも一つの支持部材（支柱）６５と、これらの部材ＬＵ６Ａ、ＬＵ６Ｂ、ＬＵ６Ｃ、６５を収容する光透過性グローブ２０Ｂからなる。
【０６２０】
発光ユニットＬＵ６Ａ、ＬＵ６Ｂ、ＬＵ６Ｃは、それぞれほぼ半円形、ほぼ半楕円形の両面回路基板１１Ａ、１１Ｂ、１１Ｃの両面に複数のＬＥＤ１０−１、１０−２を実装したものである。
【０６２１】
図５６、図５７に示すように、三つの発光ユニットＬＵ６Ａ、ＬＵ６Ｂ、ＬＵ６Ｃは、それぞれのほぼ直線の底辺が管状または棒状の支持部材６５の表面に固定され、それぞれのほぼ半円形、半楕円形の辺が光透過性グローブ２０Ｂ内面の近辺までウイング（翼）状に延長することができる。
【０６２２】
図５７に示すように、三つの発光ユニットＬＵ６Ａ、ＬＵ６Ｂ、ＬＵ６Ｃは、ほぼ三つ矢の羽根を有する矢（複数の羽根を有する弓矢）のように支持部材６５を軸としてほぼ均等な間隔で離隔されて配置するのが望ましい。
【０６２３】
発光ユニットＬＵ６Ａ、ＬＵ６Ｂ、ＬＵ６Ｃの底部をハウジング（収容部材）６２内の上部に固定することにより、または更に三つの発光ユニットＬＵ６Ａ、ＬＵ６Ｂ、ＬＵ６Ｃのそれぞれのほぼ直線の底辺を接着または固定部材により互いに固定して一体化することにより支持部材６５を省略することができる。
【０６２４】
ハウジング（収容部材）６２内に収容された点灯回路４０から延長される複数の電線１２を経由して発光ユニットＬＵ６Ａ、ＬＵ６Ｂ、ＬＵ６ＣのＬＥＤ１０−１、１０−２に電力を供給することができる。
【０６２５】
光透過性グローブ２０は、ほぼ半円球状の上部シェル分割部材２０−１およびほぼ半円球台、円錐台状の下部シェル分割部材２０−２を結合したほぼ円球台状などのシェル構造を備え、その内部空間に発光ユニットＬＵ６Ａ、ＬＵ６Ｂ、ＬＵ６Ｃが収容される。
【０６２６】
ハウジング６２の底部に電球形口金５０が固定されて、白熱電球用ソケットと着脱自在で、白熱電球と互換性を有する電球形ＬＥＤらンプが提供される。
【０６２７】
三つの発光ユニットＬＵ６Ａ、ＬＵ６Ｂ、ＬＵ６Ｃは、ほぼ三つ矢羽根の矢のように均等な間隔で離隔して配置することにより、ＬＥＤ１０−１、１０−２から放射される光線は一般照明用の白熱電球と同等または類似の外観を有する光透過性グローブ２０のほぼ全面から出射する。
【０６２８】
したがって、この実施例３９のＬＥＤランプ４１０とそれを用いた電球形ＬＥＤランプは、従来のＬＥＤランプと比較してほぼ球状のグローブ２０Ｂのほぼ全面からほぼ均一な照明光線を出射できる顕著な効果を奏する。
【０６２９】
＜本発明の他の実施の形態：実施例４０＞
実施例４０は、少なくとも三枚の両面発光形発光ユニットをほぼ垂直に配列した実施例３８の一変形である。
【０６３０】
図５８、図５９は実施例４０を示し、図５８はＬＥＤランプ４２０とそれを用いた電球形ＬＥＤランプの概略的な断面図であり、図５９は図５８における矢印ＡＲ５の方向から見たＬＥＤランプ４２０の概略的な平面図である。
【０６３１】
ここでは、この実施例４０と、前述の実施例３８と異なる個所を主として記載し、実施例３８と同一な個所の記載はできるだけ省略する。（同一な部材には同一符号を付している。）
【０６３２】
図５８、図５９に示すように、この実施例４０のＬＥＤランプ４２０は、前述の実施例３８の発光ユニットＬＵ６Ａ、ＬＵ６Ｂ、ＬＵ６Ｃと同様に、少なくとも三つの発光ユニットＬＵ７Ａ、ＬＵ７Ｂ、ＬＵ７Ｃと、発光ユニットＬＵ７Ａ、ＬＵ７Ｂ、ＬＵ７Ｃを支持する少なくとも一つの支持部材（支柱）６５と、これらの部材ＬＵ７Ａ、ＬＵ７Ｂ、ＬＵ７Ｃ、６５を収容する光透過性グローブ２０Ｂからなる。
【０６３３】
発光ユニットＬＵ７Ａ、ＬＵ７Ｂ、ＬＵ７Ｃは、前述の実施例３８の発光ユニットＬＵ６Ａ、ＬＵ６Ｂ、ＬＵ６Ｃの上部をほぼ水平に欠如し、発光ユニットＬＵ７Ａ、ＬＵ７Ｂ、ＬＵ７Ｃの上部欠如線に沿って前面に複数のＬＥＤ１０−１を実装した片面発光形発光ユニットＬＵ２ｂを固定したものである。
【０６３４】
図５８、図５９に示すように、三つの発光ユニットＬＵ７Ａ、ＬＵ７Ｂ、ＬＵ７Ｃは、それぞれのほぼ直線の底辺が管状または棒状の支持部材６５の表面に固定され、それぞれのほぼ半円形、半楕円形の他の辺が光透過性グローブ２０Ｂ内面の近辺までウイング（翼）状に延長することができる。
【０６３５】
図５７に示すように、三つの発光ユニットＬＵ７Ａ、ＬＵ７Ｂ、ＬＵ７Ｃは、ほぼ三つ矢羽根の矢のように支持部材６５を軸としてほぼ均等な角度、間隔で離隔されて配置するのが望ましい。
【０６３６】
発光ユニットＬＵ７Ａ、ＬＵ７Ｂ、ＬＵ７Ｃの底部をハウジング（収容部材）６２内の上部に固定することにより、または更に三つの発光ユニットＬＵ７Ａ、ＬＵ７Ｂ、ＬＵ７Ｃのそれぞれのほぼ直線の底辺を接着または固定部材により互いに固定して一体化することにより支持部材６５を省略することができる。
【０６３７】
ハウジング（収容部材）６２内に収容された点灯回路４０から延長される複数の電線１２を経由して発光ユニットＬＵ７Ａ、ＬＵ７Ｂ、ＬＵ７ＣのＬＥＤ１０−１、１０−２に電力を供給することができる。
【０６３８】
光透過性グローブ２０は、ほぼ半円球状の上部シェル分割部材２０−１およびほぼ半円球台、円錐台状の下部シェル分割部材２０−２を結合したほぼ円球台状などのシェル構造を備え、その内部空間に発光ユニットＬＵ７Ａ、ＬＵ７Ｂ、ＬＵ７Ｃが収容される。
【０６３９】
ハウジング６２の底部に電球形口金５０が固定されて、白熱電球用ソケットと着脱自在で、白熱電球と互換性を有する電球形ＬＥＤらンプが提供される。
【０６４０】
三つの発光ユニットＬＵ７Ａ、ＬＵ７Ｂ、ＬＵ７Ｃは、ほぼ三つ矢羽根の矢のように均等な間隔で離隔して配置することにより、ＬＥＤ１０−１、１０−２から放射される光線は一般照明用の白熱電球と同等または類似の外観を有する光透過性グローブ２０のほぼ全面から出射する。
【０６４１】
更に、この実施例４０では、ほぼ垂直に配列された発光ユニットＬＵ７Ａ、ＬＵ７Ｂ、ＬＵ７Ｃの上部のほぼ水平な欠如線に沿って、前面に複数のＬＥＤ１０−１を実装した片面発光形発光ユニットＬＵ２ｂがほぼ水平に配置されているので、ほぼ球状のグローブ２０Ｂの前面から出射する光線の輝度、照度を向上できる。
【０６４２】
したがって、この実施例４０のＬＥＤランプ４２０とそれを用いた電球形ＬＥＤランプは、従来のＬＥＤランプと比較してほぼ球状のグローブ２０Ｂのほぼ全面からほぼ均一な照明光線を出射できる顕著な効果を奏する。
【０６４３】
＜蛍光体坦持グローブ＞
図１７ないし図２４を参照した各種の実施例においるＬＥＤランプとそれを用いた電球形ＬＥＤランプは、光透過性グローブ２０に蛍光体（３０ａ、３０’）または蛍光体（３０ａ、３０’）を含む部材を坦持し、短波長形発光ダイオードから放射した比較的に紫外光線、青色、紫色光線などの短波長領域を含む一次短波長光線を蛍光体（３０ａ、３０’）に照射している。
【０６４４】
蛍光体（３０ａ、３０’）は一次短波長光線を吸収して励起され、それより長い波長領域の可視光線に波長変換させ二次可視光線となり、二次可視光線をグローブ２０から出射させて照明光線とするか、または一次短波長光線が青色、紫色光線の場合には二次可視光線と青色、紫色一次光線の混色光線をグローブ２０から出射させて照明光線としている。
【０６４５】
このように蛍光体と短波長形発光ダイオードとの組み合わせは、図１７ないし図２４を参照した各種の実施例に限定されず、本明細書に記載した他のすべての実施例についても適用できることに留意されたい。
【０６４６】
蛍光体をグローブに坦持する手段としては、（Ａ）図１７ないし図２０を参照した各種の実施例に記載したようにグローブの内面に蛍光体を固着する手段と、（Ｂ）図２１ないし図２４を参照した各種の実施例に記載したようにグローブの内部に蛍光体を分散する手段がある。
【０６４７】
図４７ないし図５２を参照して上記（Ａ）のグローブの内面に蛍光体を固着する手段と蛍光体の各種の形態の詳細を次に記載する。
【０６４８】
図４７は、蛍光体をグローブの内面に被覆した蛍光体坦持グローブの一例を示す、蛍光体坦持グローブの一部を拡大して示す概略断面図である。
【０６４９】
図４８は、蛍光体をグローブの内面に固着した蛍光体坦持グローブの例を示す、蛍光体坦持グローブの一部を拡大して示す概略断面図である。
【０６５０】
図４９は、蛍光体をグローブの内面に固着した蛍光体坦持グローブの例を示す、蛍光体坦持グローブの一部を拡大して示す概略断面図である。
【０６５１】
図５０は、蛍光体をグローブの内面に固着した蛍光体坦持グローブの例を示し、図５０Ａは蛍光体坦持グローブの一部を拡大して示す概略断面図であり、図５０Ｂは図５０Ａの矢印ＡＲ１の方向から見た蛍光体の分布を示す概略平面図である。
【０６５２】
図５１（図５１Ａ、図５１Ｂ）は、蛍光体の二種類の変形の形態を示す概略拡大断面図である。
【０６５３】
図５２は、蛍光体をグローブの内面に固着した蛍光体坦持グローブの例を示し、図５２Ａは蛍光体坦持グローブの一部を拡大して示す概略断面図であり、図５２Ｂは図５２Ａの矢印ＡＲ２の方向から見た蛍光体の分布を示す概略平面図である。
【０６５４】
図４７に示すように、図１７ないし図２４を参照した各種の実施例に記載したように、バインダ樹脂、バインダ・ガラスなどの光透過性結合材３０ｂと複数の蛍光体粒子３０ａの混合体を塗布して、光透過性グローブ２０の内面に蛍光体膜３０を形成されることができる。
【０６５５】
図４８に示すように、真空蒸着、スパッタリングなどの物理的堆積法、化学的堆積法、静電塗装などの粉体塗装法により、複数の蛍光体粒子３０ａを光透過性グローブ２０の内面に固着して蛍光体膜３１を形成することができる。
【０６５６】
図４９に示すように、光透過性グローブ２０の内面に予め未硬化または固化前のバインダ樹脂、バインダ・ガラスなどの光透過性結合材膜３３を光透過性グローブ２０の内面に形成し、次いでスプレー塗装、静電塗装などの粉体塗装法などにより、複数の蛍光体粒子３０ａを光透過性結合材膜３３に付着し、その後に光透過性結合材膜３３を未硬化または固化して、光透過性グローブ２０の内面に蛍光体膜３２を固着し形成することができる。
【０６５７】
以上に図４７ないし図４９を参照して蛍光体粒子の単体を用いて種々の手段により蛍光体をグローブに坦持した例を記述したが、その替わりに図５１に示すように複数の蛍光体粒子を光透過性芯（コア）の内部または表面に配置した蛍光体含有粒子をグローブに坦持した蛍光体坦持グローブとすることができる。
【０６５８】
図５１Ａに示すように、蛍光体を含む一つの形態の蛍光体含有粒子３４Ａは、光透過性芯（コア）（光透過性粒子）３０ｃに複数の蛍光体粒子３０ａを分散して含有させたものである。
【０６５９】
蛍光体含有粒子３４Ａは、蛍光体粉末（蛍光体粒子）と光透過性部材を混合した混合物を、公知の手段より造粒、整粒、乾燥又は焼結して製造することができる。
【０６６０】
その替わりに上記の混合物を噴霧、造粒、乾燥により蛍光体含有粒子３４Ａを製造してもよい
【０６６１】
図５１Ｂに示すように、他の形態の蛍光体含有粒子３４Ｂは、複数の蛍光体粒子３０ａを、光透過性粒子からなる光透過性芯（コア）３０ｃの表面に膜状（層状）に被覆した蛍光体膜（蛍光体クラッド）３０ｄを形成して、光透過性粒子の表面に蛍光体を部分的または全面的に坦持したものである。
【０６６２】
蛍光体含有粒子３４Ｂは、例えば公知の遠心コーティング、転動コーティング、流動層コーティング、スプレーコーティング、またはディピングなどの塗布手段により、光透過性芯（コア）３０ｃの表面に、光透過性結合材３０ｄを用いるか、用いることなく、複数の蛍光体粒子３０ａを含む蛍光体層あるいは蛍光体膜を形成し、乾燥、焼結等の公知の硬化または固化手段により蛍光体被覆（蛍光体クラッド）３０ｄを形成することができる。
【０６６３】
その替わりに、蛍光体含有粒子３４Ｂは、真空蒸着、スパッタリングなどの公知の物理的沈着、堆積手段により、光透過性芯（コア）３０ｃの表面に、複数の蛍光体粒子３０ａを被覆して蛍光体膜（蛍光体クラッド）３０ｄを形成してもよい。
【０６６４】
図５０に示すように、複数の蛍光体含有粒子３４（３４Ａ：図５１Ａ参照、３４Ｂ：（図５１Ｂ参照）を光透過性グローブ２０の内面に膜状（層状）に形成して、光透過性グローブ２０の内面に蛍光体膜３５を固着した蛍光体坦持グローブとすることができる。
【０６６５】
光透過性芯（コア）（光透過性粒子）３０ｃに複数の蛍光体粒子３０ａを分散して含有させた蛍光体含有粒子３４Ａまたは光透過性芯（コア）（光透過性コア）３０ｃの表面に蛍光体被覆（蛍光体クラッド）３０ｄを形成した蛍光体含有粒子３４Ｂからなる蛍光体膜３５とすることにより、光透過性グローブの内面に存在する蛍光体の表面積または容積が広くなり高輝度のＬＥＤランプを提供できる。
【０６６６】
蛍光体粒子３０ａの内部で光散乱を生じ、方向性をもたない無指向性の拡散光（散乱光線）として発せられ、直視しても眼に優しい特性が向上する。
【０６６７】
図５０Ａに示す蛍光体膜３５は、平均粒度がほぼ等しい複数の蛍光体含有粒子３４からなり、図５０Ｂに示すように複数の蛍光体含有粒子３４がほぼ等しい間隔、またはランダムな間隔で光透過性グローブ２０の内面に分布して配置されている。
【０６６８】
図１７ないし図２０、図４７ないし図４９に示した蛍光体粒子３０ａ、図５０Ａ、図５０Ｂ、図５１Ａ、図５１Ｂに示した蛍光体含有粒子３４（３４Ａ、３４Ｂ）を光透過性グローブ２０の内面に均一に存在させるには蛍光性粒子の流動性がよく形状が均一であることがのぞましい。
【０６６９】
蛍光体粒子３０ａ、蛍光体含有粒子３４（３４Ａ、３４Ｂ）は、粒子は小さすぎると流動性が悪く、また凝集等が生じ、大きすぎると粒子の自重が重くなるため光透過性グローブ２０の内面に固着するときに製造操作性が悪くなるために、蛍光体粒子３０ａ、蛍光体含有粒子３４（３４Ａ、３４Ｂ）の粒子径は粒子径５０μｍないし５ｍｍのものを用いることができ、更に粒子径２００μｍないし２ｍｍの範囲内が望ましい。
【０６７０】
図１７ないし図２０、図４７ないし図４９、図５０Ａ、図５０Ｂ、図５１Ａ、図５１Ｂに示すように、蛍光体粒子３０ａ、蛍光体含有粒子３４（３４Ａ、３４Ｂ）の粒子形状はほぼ球形が望ましい。
【０６７１】
図５０Ａ、図５０Ｂに示すように、光透過性グローブ２０の内面に蛍光体粒子３０ａ、蛍光体含有粒子３４（３４Ａ、３４Ｂ）の粒度がほぼ等しいか近似しているときには、隣接する複数の粒子の間に所定の間隔が生じる。
【０６７２】
図５２Ａ、図５２Ｂに示すように、大きな粒径を有する大蛍光体含有粒子３４ａと、小さな粒径を有する小蛍光体含有粒子３４ｂからなる粒径の異なる蛍光体含有粒子を光透過性グローブ２０の内面に固着することにより、光透過性グローブ２０の内面に蛍光体含有粒子を高密度で分布して存在させることができる。
【０６７３】
図５２Ａ、図５２Ｂには、隣接する複数の大蛍光体含有粒子３４ａの間に少なくとも一つの小蛍光体含有粒子３４ｂを配置した一例が示されている。
【０６７４】
光透過性グローブ２０の内面に粒径の異なる蛍光体含有粒子３４ａ、３４ｂを固着するためには、異なる蛍光体含有粒子の混合体からなる蛍光体膜を同時に形成してもよく、一方の蛍光体含有粒子からなる蛍光体膜を形成後に他方の蛍光体含有粒子からなる蛍光体膜を形成してもよく、更に固着した蛍光体膜の上に粒子径の異なる蛍光体含有粒子を固着してもよい。
【０６７５】
蛍光体含有粒子３４（３４Ａ、３４Ｂ）は粒子ごとにまたは同一粒子に黄色蛍光体および青色蛍光体を含み、光透過性グローブの内面に形成した複数の黄色蛍光体および複数の青色蛍光体からなる二種類の複数色の蛍光体含有粒子からなる一層の蛍光体膜を形成することができる。
【０６７６】
その替わりに、黄色蛍光体を有する蛍光体含有粒子３４（３４Ａ、３４Ｂ）からなる黄色蛍光体膜と、青色蛍光体を有する蛍光体含有粒子３４（３４Ａ、３４Ｂ）からなる青色蛍光体膜を任意の順序で積層した二層形蛍光体膜としてもよい。
【０６７７】
紫外形発光ダイオード（ＬＥＤ）１０（１０−１、１０−２、または１０ａ、１０ｂ）から放射する紫外光線の一部は黄色、青色混合蛍光体を有する粒子層または多層型蛍光体を有する粒子層の黄色および青色蛍光体に吸収され、黄色光線および青色光線に変換されて、光透過性グローブ２０（または２０Ａ、２０Ｂ）を透過する。
【０６７８】
黄色、青色混合蛍光体を有する粒子層または多層型蛍光体を有する粒子層の青色蛍光体で変換された青色光線は、その一部が再び黄色蛍光体で黄色光線に変換され、またその一部が光透過性グローブ２０（または２０Ａ、２０Ｂ）を透過する。
【０６７９】
光透過性グローブ２０（または２０Ａ、２０Ｂ）を透過した黄色光線と青色光線は光透過性グローブ２０（または２０Ａ）の外部に出射されて黄色光線と青色光線の混合したほぼ白色の擬似白色光線からなる照明光線となる。
【０６８０】
青色光線または紫色光線形発光ダイオードを発光ユニットとして用いた場合は、黄色蛍光体を有する粒子を光透過性グローブの内面に固着する。
【０６８１】
蛍光体を有する粒子の蛍光体が青色、緑色および赤色の三原色蛍光体の場合は、紫外形発光ダイオード（ＬＥＤ）１０（１０−１、１０−２または１０ａ、１０ｂ）から放射する紫外光線はほぼすべてが三原色蛍光体を有する粒子層に吸収され、青色、緑色および赤色からなる三原色可視光線に変換されて、光透過性グローブ２０（または２０Ａ、２０Ｂ）を透過し、三原色可視光線の混合したほぼ白色の擬似白色光線からなる照明光線となる。
【０６８２】
上記（Ａ）のグローブの内面に蛍光体を固着する替わりに、（Ｂ）図２１ないし図２４を参照した各種の実施例に記載したようにグローブ２０の内部に蛍光体を分散した蛍光体含有グローブ２０”を用いてもよい。
【０６８３】
グローブの内部に分散する蛍光体としては、図２１ないし図２４を参照して記載したように複数の蛍光体粒子３０’の単体を用いても、図５１Ａを参照して記載したように光透過性芯（コア）３０ｃの内部に複数の蛍光体粒子３０ａを分散した蛍光体含有粒子３４Ａを用いてもよく、また図５１Ｂを参照して記載したように光透過性芯（コア）３０ｃの表面に複数の蛍光体粒子３０ａを光透過性結合材３０ｅ内に分散して被覆した蛍光体膜３０ｄを有する蛍光体含有粒子３４Ｂを用いてもよい。
【０６８４】
上記（Ａ）のようにグローブの内面に蛍光体を固着する替わりに、（Ｃ）グローブの外面に蛍光体を固着してもよい。
【０６８５】
上記（Ａ）、上記（Ｂ）、上記（Ｃ）の任意の二つまたは三つを組み合わせてもよい。
【０６８６】
以上に開示した各種の実施の形態における各種の構成要素、構成部分を任意に組み合わせても良い。
【０６８７】
以上に添付図面を参照して本発明の各種の実施の形態を説明したが、本発明はこれらの実施の形態に限定されず、本発明の精神と特許請求の範囲に基づいて各種の変形、設計変更、改良および均等物の構築が可能であることに留意されたい。
【図面の簡単な説明】
【０６８８】
【図１】図１は、発光ダイオード・ランプ（ＬＥＤランプ）１１０を示す概略的な分解斜視図である。
【図２】図２は、ＬＥＤランプ１１０を示す概略的な斜視図である。
【図３】図３は、図２のＡ−Ａ’線に沿って切断したＬＥＤランプ１１０の概略的な断面図である。
【図４】図４は、発光ユニットＬＵ１を示す概略的な平面図である。
【図５】図５は、発光ユニットＬＵ１を点灯する点灯回路４０を示す概略的なブロック・ダイヤグラムである。
【図６】図６（図６Ａないし図６Ｄ）は、上部の第一のグローブ分割部材２０−１と下部の第二のグローブ分割部材２０−２とを結合して一体化する各種の結合手段と、回路基板１１を光透過性グローブ２０の内部空間の所定位置に保持する各種の支持手段を示す概略的な部分断面図である。
【図７】図７（図７Ａないし図７Ｆ）は、上部の第一のグローブ分割部材２０−１と下部の第二のグローブ分割部材２０−２とを結合して一体化する各種の結合手段と、回路基板１１を光透過性グローブ２０の内部空間の所定位置に保持する各種の支持手段を示す概略的な部分断面図である。
【図８】図８は、発光ダイオード・ランプ（ＬＥＤランプ）１２０を示す概略的な分解斜視図である。
【図９】図９は、ＬＥＤランプ１２０を示す概略的な斜視図である。
【図１０】図１０は、図９のＢ−Ｂ’線に沿って切断したＬＥＤランプ１２０の概略的な断面図である。
【図１１】図１１は、ＬＥＤランプ１３０の概略的な分解斜視図である。
【図１２】図１２は、ＬＥＤランプ１３０の概略的な斜視図である。
【図１３】図１３は、図１２１４のＣ−Ｃ’線に沿って切断したＬＥＤランプ１３０の概略的な断面図である。
【図１４】図１４は、ＬＥＤランプ１４０の概略的な分解斜視図である。
【図１５】図１５は、ＬＥＤランプ１４０の概略的な斜視図である。
【図１６】図１６は、図１４のＤ−Ｄ’線に沿って切断したＬＥＤランプ１４０の概略的な断面図である。
【図１７】図１７は、実施例５のＬＥＤランプ１５０を示す概略断面図である。
【図１８】図１８は、実施例６のＬＥＤランプ１６０を示す概略断面図である。
【図１９】図１９は、実施例７のＬＥＤランプ１７０を示す概略断面図である。
【図２０】図２０は、実施例８のＬＥＤランプ１８０を示す概略断面図である。
【図２１】図２１は、実施例９のＬＥＤランプ１９０を示す概略断面図である。
【図２２】図２２は、実施例１０のＬＥＤランプ２００を示す概略断面図である。
【図２３】図２３は、実施例１１のＬＥＤランプ２１０を示す概略断面図である。
【図２４】図２４は、実施例１２のＬＥＤランプ２２０を示す概略断面図である。
【図２５】図２５は、ＬＥＤランプ２３０の概略的な分解斜視図である。
【図２６】図２６は、ＬＥＤランプ２３０の概略的な斜視図である。
【図２７】図２７は、図２６のＥ−Ｅ≡線に沿って切断したＬＥＤランプ２３０の概略的な断面図である。
【図２８】図２８は、ＬＥＤランプ２３０の光路を示す概略的な断面図である。
【図２９】図２９は、ＬＥＤランプ２４０の概略的な分解斜視図である。
【図３０】図３０は、ＬＥＤランプ２４０の概略的な斜視図である。
【図３１】図３１は、図３０２６のＧ−Ｇ≡線に沿って切断したＬＥＤランプ２４０の概略的な断面図である。
【図３２】図３２は、ＬＥＤランプ２４０の光路を示す概略的な断面図である。
【図３３】図３３は、実施例１５のＬＥＤランプ２５０を示す概略的な断面図である。
【図３４】図３４は、実施例１６のＬＥＤランプ２６０を示す概略的な断面図である。
【図３５】図３５は、実施例１７のＬＥＤランプ２７０を示す概略的な断面図である。
【図３６】図３６は、実施例１８のＬＥＤランプ２８０を示す概略的な断面図である。
【図３７】図３７は、実施例１９のＬＥＤランプ２９０を示す概略的な断面図である。
【図３８】図３８は、実施例２０のＬＥＤランプ３００を示す概略的な断面図である。
【図３９】図３９は、実施例２１のＬＥＤランプ３１０を示す概略的な断面図である。
【図４０】図４０は、実施例２２のＬＥＤランプ３２０を示す概略的な断面図である。
【図４１】図４１は、実施例２３のＬＥＤランプ３３０を示す概略的な断面図である。
【図４２】図４２は、実施例２４のＬＥＤランプ３４０を示す概略的な断面図である。
【図４３】図４３は、実施例２５のＬＥＤランプ３５０を示す概略的な断面図である。
【図４４】図４４は、実施例２６のＬＥＤランプ３６０を示す概略的な断面図である。
【図４５】図４５は、実施例２７のＬＥＤランプ３７０を示す概略的な断面図である。
【図４６】図４６は、実施例２８のＬＥＤランプ３８０を示す概略的な断面図である。
【図４７】図４７は、蛍光体をグローブの内面に被覆した蛍光体坦持グローブの一例を示す、蛍光体坦持グローブの一部を拡大して示す概略断面図である。
【図４８】図４８は、蛍光体をグローブの内面に固着した蛍光体坦持グローブの例を示す、蛍光体坦持グローブの一部を拡大して示す概略断面図である。
【図４９】図４９は、蛍光体をグローブの内面に固着した蛍光体坦持グローブの例を示す、蛍光体坦持グローブの一部を拡大して示す概略断面図である。
【図５０】図５０は、蛍光体をグローブの内面に固着した蛍光体坦持グローブの例を示し、図５０Ａは蛍光体坦持グローブの一部を拡大して示す概略断面図であり、図５０Ｂは図５０Ａの矢印ＡＲ１の方向から見た蛍光体の分布を示す概略平面図である。
【図５１】図５１（図５１Ａ、図５１Ｂ）は、蛍光体の二種類の変形の形態を示す概略拡大断面図である。
【図５２】図５２は、蛍光体をグローブの内面に固着した蛍光体坦持グローブの例を示し、図５２Ａは蛍光体坦持グローブの一部を拡大して示す概略断面図であり、図５２Ｂは図５２Ａの矢印ＡＲ２の方向から見た蛍光体の分布を示す概略平面図である。
【図５３】図５３は、実施例３７のＬＥＤランプ３９０とそれを用いた電球形ＬＥＤランプの概略的な断面図である。
【図５４】図５４は、図５３における矢印ＡＲ３の方向から見たＬＥＤランプ３９０の概略的な平面図である。
【図５５】図５５は、実施例３８のＬＥＤランプ４００を示す概略的な断面図である。
【図５６】図５６は、実施例３９のＬＥＤランプ４１０を示す概略的な断面図である。
【図５７】図５７は図５６における矢印ＡＲ４の方向から見たＬＥＤランプ４１０の概略的な平面図である。
【図５８】図５８は、実施例４０のＬＥＤランプ４２０を示す概略的な断面図である。
【図５９】図５９は、図５８における矢印ＡＲ５の方向から見たＬＥＤランプ４２０の概略的な平面図である。
【図６０】図６０は、先行技術１（特許文献２：特許公開２００１−２４３８０７、図１）を示す概略的な断面図である。
【図６１】図６１は、先行技術２（特許文献２：特許公開２００６−１５６１８７、図１）を示す概略的な断面図である。
【０６８９】
本発明の実施の形態を示す全ての図面（図１ないし図６９）において、同一の構成要素、同一の構成部分には同一の参照符号を付してある。
【符号の説明】
【０６９０】
１１０、１２０、１３０、１４０、１５０、１６０、１７０、１８０、１９０、２００、２１０、２２０、２３０、２４０、２５０、２６０、２７０、２８０、２９０、３００、３１０、３２０、３３０、３４０、３５０、３６０、３７０、３８０、３９０、４００、４１０、４２０−−−ＬＥＤランプ、電球形ＬＥＤランプ
ＬＵ１、ＬＵ２、ＬＵ２ａ、ＬＵ２ｂ、ＬＵ３、ＬＵ４Ａ、ＬＵ４Ｂ、ＬＵ５Ａ、ＬＵ５Ｂ、ＬＵ６Ａ、ＬＵ６Ｂ、ＬＵ６Ｃ、ＬＵ７Ａ、ＬＵ７Ｂ、ＬＵ７Ｃ−−−発光ユニット、
１０、１０−１、１０−２、１０ａ、１０ｂ−−−発光ダイオード（ＬＥＤ）、
１１、１１’、１１”、１１Ａ、１１Ｂ、１１Ｃ、−−−回路基板、
１２、１２’、１２ａ、１２ｂ−−−電線、導電リード線、
１２’ａ、１２’ｂ−−−自己支持性のある線状導電部材、
２０−−−光透過性グローブ、
２０−１、２０−２−−−グローブ分割部材（第一の分割部材、第二の分割部材）、
２０”、２０”Ａ−−−蛍光体含有グローブ、
２０”−１、２０”−２−−−蛍光体含有グローブ分割部材、
２２−−−結合手段、
３０、３１、３２、３５、３６−−−蛍光体膜、
３０ａ、３０’、３４ａ、３４ｂ−−−蛍光体粒子、
３４Ａ、３４Ｂ−−−蛍光体含有粒子、
４０−−−点灯回路、
５０−−−電球形口金、
６１、６２−−−保持部材、
６３、６３Ａ−−−錐形反射鏡、
６５−−−支持部材、支柱（中空支持部材、中空支柱）
６７−−−接合層
７０−−−反射鏡
７１−−−光拡散部材
７２−−−反射鏡
７４、７４’−−−光拡散膜、光拡散部材
７６−−−半球立体部材
７７−−−プリズム
７８−−−光拡散部材
【図１】
2010157459.tif 000003
【図２】
2010157459.tif 000004
【図３】
2010157459.tif 000005
【図４】
2010157459.tif 000006
【図５】
2010157459.tif 000007
【図６】
2010157459.tif 000008
【図７】
2010157459.tif 000009
【図８】
2010157459.tif 000010
【図９】
2010157459.tif 000011
【図１０】
2010157459.tif 000012
【図１１】
2010157459.tif 000013
【図１２】
2010157459.tif 000014
【図１３】
2010157459.tif 000015
【図１４】
2010157459.tif 000016
【図１５】
2010157459.tif 000017
【図１６】
2010157459.tif 000018
【図１７】
2010157459.tif 000019
【図１８】
2010157459.tif 000020
【図１９】
2010157459.tif 000021
【図２０】
2010157459.tif 000022
【図２１】
2010157459.tif 000023
【図２２】
2010157459.tif 000024
【図２３】
2010157459.tif 000025
【図２４】
2010157459.tif 000026
【図２５】
2010157459.tif 000027
【図２６】
2010157459.tif 000028
【図２７】
2010157459.tif 000029
【図２８】
2010157459.tif 000030
【図２９】
2010157459.tif 000031
【図３０】
2010157459.tif 000032
【図３１】
2010157459.tif 000033
【図３２】
2010157459.tif 000034
【図３３】
2010157459.tif 000035
【図３４】
2010157459.tif 000036
【図３５】
2010157459.tif 000037
【図３６】
2010157459.tif 000038
【図３７】
2010157459.tif 000039
【図３８】
2010157459.tif 000040
【図３９】
2010157459.tif 000041
【図４０】
2010157459.tif 000042
【図４１】
2010157459.tif 000043
【図４２】
2010157459.tif 000044
【図４３】
2010157459.tif 000045
【図４４】
2010157459.tif 000046
【図４５】
2010157459.tif 000047
【図４６】
2010157459.tif 000048
【図４７】
2010157459.tif 000049
【図４８】
2010157459.tif 000050
【図４９】
2010157459.tif 000051
【図５０】
2010157459.tif 000052
【図５１】
2010157459.tif 000053
【図５２】
2010157459.tif 000054
【図５３】
2010157459.tif 000055
【図５４】
2010157459.tif 000056
【図５５】
2010157459.tif 000057
【図５６】
2010157459.tif 000058
【図５７】
2010157459.tif 000059
【図５８】
2010157459.tif 000060
【図５９】
2010157459.tif 000061
【図６０】
2010157459.tif 000062
【図６１】
2010157459.tif 000063
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は前記光透過性グローブの内部空間に内蔵された、ＬＥＤランプ。
【請求項２】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、周縁部が前記第一および第二の光透過性分割部材の結合個所またはその近辺に部分的または全面的に固定されて前記光透過性グローブによって支持され、前記光透過性グローブの内部空間に内蔵された、ＬＥＤランプ。
【請求項３】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、その外径部または周縁部が前記光透過性グローブの最大口径部の寸法とほぼ等しく、
前記発光ユニットおよび、または前記反射鏡は、前記外径部において前記第一および第二の光透過性分割部材の結合個所またはその近辺に部分的または全面的に固定されて前記光透過性グローブによって支持され、前記光透過性グローブの内部空間に内蔵された、ＬＥＤランプ。
【請求項４】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材を結合したほぼ球形シェル（殻）を有する光透過性グローブからなり、
前記発光ユニットおよび、または前記反射鏡は、前記光透過性グローブの最小口径部または底部の近辺から延長した支持部材によって支持され、前記光透過性グローブの内部空間に内蔵された、ＬＥＤランプ。
【請求項５】
複数の発光ダイオード（ＬＥＤ）を回路基板に実装した発光ユニット、または、前記発光ユニットおよび前記発光ユニットと対向した反射鏡と、
光透過性を有しほぼ半球形の第一の分割部材および光透過性を有しほぼ半球形、ほぼ錐台形、またはほぼ錐形の第二の分割部材の開口部の周縁端面を部分的または全面的に結合しほぼ「Ｓ」字形曲線を有するほぼ球形シェル（殻）からなる光透過性グローブからなり、
前記発光ユニットおよび、または前記反射鏡は前記光透過性グローブの内部空間に内蔵された、ＬＥＤランプ。
【請求項６】
請求項１ないし請求項５のいずれかに記載のＬＥＤランプであって、
前記第一の分割部材と前記第二の分割部材を結合する手段は、（ａ）接合部、（ｂ）対向する凹凸部の間に設けられた接合部、（ｃ）対向する凹部の間に設けられた接合部、（ｄ）対向する傾斜端面に設けられた接合部、（ｅ）互いにかみ合う切り込み部の間に設けられた接合部、（ｆ）対向する凹凸のネジからなるネジ部および（ｇ）嵌合部からなる群から選択される、ＬＥＤランプ。
【請求項７】
請求項４に記載のＬＥＤランプであって、前記発光ユニットおよび、または前記反射鏡は、その最大外径部または最大周縁部が前記光透過性グローブの内径の寸法とほぼ等しいか、わずかに小さい、ＬＥＤランプ。
【請求項８】
請求項１ないし請求項６のいずれかに記載のＬＥＤランプであって、前記発光ダイオード（ＬＥＤ）が白色光線を放射する白色発光ダイオードからなる、白色発光形ＬＥＤランプ。
【請求項９】
請求項１ないし請求項7のいずれかに記載のＬＥＤランプであって、複数の前記発光ダイオード（ＬＥＤ）が青色、緑色および赤色を放射する三原色発光ダイオードの組み合わせからなり、
三原色の混色により疑似白色光線を得る、白色発光形ＬＥＤランプ。
【請求項１０】
請求項１ないし請求項7のいずれかに記載のＬＥＤランプであって、
前記発光ダイオード（ＬＥＤ）が主として青色光線および、または紫色光線を放射する発光ダイオードからなり、
前記青色光線および、または紫色光線を吸収して黄色光線に波長変換する黄色蛍光体を前記光透過性グローブに担持し、
前記青色および、または紫色光線と前記黄色光線の混色により疑似白色光線を得る、白色発光形ＬＥＤランプ。
【請求項１１】
請求項１ないし請求項7のいずれかに記載のＬＥＤランプであって、
前記発光ダイオード（ＬＥＤ）が主として紫外光線を放射する発光ダイオードからなり、
前記紫外光線を吸収して白色光線に波長変換する白色蛍光体または前記紫外光線を吸収して青色、緑色および赤色からなる三原色可視光線に波長変換する三原色蛍光体を光透過性グローブに担持した、白色発光形ＬＥＤランプ。
【請求項１２】
請求項９ないし請求項１１のいずれかに記載の白色発光形ＬＥＤランプであって、
前記光透過性グローブの表面に、前記蛍光体からなる蛍光体粒子または前記蛍光体粒子を含有する蛍光体含有粒子を固着して蛍光体膜を形成した、白色発光形ＬＥＤランプ。
【請求項１３】
請求項９ないし請求項１１のいずれかに記載の白色発光形ＬＥＤランプであって、
前記光透過性グローブに、前記蛍光体からなる蛍光体粒子または前記蛍光体粒子を含有する蛍光体含有粒子を分散して蛍光体含有グローブとした、白色発光形ＬＥＤランプ。
【請求項１４】
請求項１ないし請求項１３のいずれかに記載のＬＥＤランプであって、
前記発光ユニットは、第一の表面と第二の表面を有する両面回路基板と、前記第一の表面に実装された少なくとも一つの第一の前記ＬＥＤと、前記第二の表面に実装された少なくとも一つの第二の前記ＬＥＤからなる両面発光形発光ユニットである、ＬＥＤランプ。
【請求項１５】
請求項１ないし請求項１３のいずれかに記載のＬＥＤランプであって、
前記発光ユニットは、両面または片面にＬＥＤ実装面を有する両面または片面回路基板と，前記ＬＥＤ実装面にＬＥＤを実装した両面または片面発光形発光ユニットからなり、前記反射鏡は、前記ＬＥＤ実装面と対向して配置されたほぼ錐形の反射鏡からなる、ＬＥＤランプ。
【請求項１６】
請求項１ないし請求項１３のいずれかに記載のＬＥＤランプであって、
前記発光ユニットは、片面回路基板の一表面に少なくとも一つの前記ＬＥＤを実装した片面発光形発光ユニットからなり、
前記反射鏡は、一方の前記表面に実装された前記ＬＥＤと対向して配置され、前記反射鏡は、ほぼ中央部に開口（連通孔）を有し、（ａ）ほぼ平板形状の全反射性または半反射性の反射鏡、（ｂ）ほぼ錐形状の全反射または半反射性の反射鏡および（ｃ）ほぼ錐台形状のプリズムから選択された、ＬＥＤランプ。
【請求項１７】
請求項１６に記載のＬＥＤランプであって、
前記反射鏡の前記開口（連通孔）に光拡散部材を設けた、ＬＥＤランプ。
【請求項１８】
請求項１ないし請求項１３のいずれかに記載のＬＥＤランプであって、
前記発光ユニットは、平面、傾斜面および段差の少なくとも二つの実装部を有する立体基板と、前記実装部に前記ＬＥＤを実装した、ＬＥＤランプ。
【請求項１９】
請求項１ないし請求項１３のいずれかに記載のＬＥＤランプであって、
二つの前記発光ユニットを備え、それらの間にほぼ錐形の反射鏡を介在した、ＬＥＤランプ。
【請求項２０】
請求項１ないし請求項１３のいずれかに記載のＬＥＤランプであって、
二つの前記発光ユニットを備え、
傾斜して対向する二つの前記発光ユニットが全体として正または逆のほぼ「ハ」字形、ほぼ「八」字形、またはほぼ「Ｖ」字形の形状を構成するように、前記光透過性グローブの内部空間に配置された、ＬＥＤランプ。
【請求項２１】
請求項１ないし請求項１３のいずれかに記載のＬＥＤランプであって、
複数の前記発光ユニットを備え、
複数の前記発光ユニットは、全体として複数の羽根を有する弓矢の形状を構成するように、前記光透過性グローブの内部空間に配置された、ＬＥＤランプ。
【請求項２２】
請求項２０または請求項２１に記載のＬＥＤランプであって、
前記発光ユニットの回路基板が、それぞれほぼ円形、ほぼ楕円形、ほぼ半円形またはほぼ半楕円形の形状を有する基板からなる、ＬＥＤランプ。
【請求項２３】
請求項２１または請求項２２に記載のＬＥＤランプであって、
前記発光ユニットは、両面回路基板の両面に前記ＬＥＤを実装した両面発光形発光ユニットからなる、ＬＥＤランプ。
【請求項２４】
請求項２１または請求項２３に記載のＬＥＤランプであって、
更に、複数の前記発光ユニットの上部をほぼ水平に欠如した形状を有し、その欠如線に沿って、片面にＬＥＤを実装した片面発光形発光ユニットを配置した、ＬＥＤランプ。
【請求項２５】
請求項１ないし請求項２４のいずれかに記載のＬＥＤランプと、
前記ＬＥＤを点灯する点灯回路と、
電球形口金を備えた電球形ＬＥＤランプ。
【請求項２６】
請求項１２に記載の白色発光形ＬＥＤランプであって、
前記蛍光体膜は、（ａ）前記蛍光体粒子（３０ａ）と結合材（３０ｂ）を混合した蛍光体膜（３０）、（ｂ）前記蛍光体粒子（３０ａ）からなる蛍光体膜（３１）、（ｃ）前記光透過性グローブの表面に形成した結合材膜（３３）に固着した前記蛍光体粒子（３０ａ）からなる前記蛍光体膜（３２）、（ｄ）前記蛍光体含有粒子（３４）からなる蛍光体膜（３５）および（ｅ）粒径の異なる蛍光体含有粒子（３４ａ、３４ｂ）からなる蛍光体膜（３６）からなる群から選択された蛍光体膜である、白色発光形ＬＥＤランプ。
【請求項２７】
請求項１２または請求項１３に記載の白色発光形ＬＥＤランプであって、
前記蛍光体含有粒子は、光透過性コアからなる光透過性粒子（３０ｃ）に複数の蛍光体粒子（３０ａ）を分散して含有させた蛍光体含有粒子（３４Ａ）、または複数の蛍光体粒子（３０ａ）を光透過性粒子からなる光透過性コア（３０ｃ）の表面に蛍光体膜（３０ｄ）を形成した蛍光体含有粒子（３４Ｂ）である、白色発光形ＬＥＤランプ。
【請求項２８】
請求項１２または請求項１３に記載の白色発光形ＬＥＤランプであって、
前記蛍光体粒子３０ａ、前記蛍光体含有粒子（３４、３４Ａ、３４Ｂ）の平均粒子径は粒子径５０μｍないし５ｍｍの範囲内である、白色発光形ＬＥＤランプ。
【請求項２９】
請求項１２または請求項１３に記載の白色発光形ＬＥＤランプであって、
前記蛍光体膜は、複数色の蛍光体含有粒子からなる一層の蛍光体膜または複数色の蛍光体含有粒子のそれぞれの蛍光体膜を積層した複数層の蛍光体膜からなる、白色発光形ＬＥＤランプ。